(57)【要約】本発明は哺乳類tribbles相似体(htrb)を用いて分裂促進因子活性化プロテインキナーゼ経路を調節する方法および試薬を提供する。【特許請求の範囲】
【請求項１】
配列番号１に示すヌクレオチド配列またはその相補体と少なくとも約90%同一のヌクレオチド配列を含むことを特徴とする、htrb-1をコードする単離された核酸。
【請求項２】
前記核酸が、配列番号１に示すヌクレオチド配列またはその相補体と少なくとも約95%同一のヌクレオチド配列を含むことを特徴とする請求項1記載の核酸。
【請求項３】
前記核酸が、配列番号１に示すヌクレオチド配列またはその相補体と少なくとも約99%同一のヌクレオチド配列を含むことを特徴とする請求項１記載の核酸。
【請求項４】
前記核酸が、配列番号１に示すヌクレオチド配列またはその相補体と少なくとも約95%同一のヌクレオチド配列を含み、かつAP-1阻害活性をコードすることを特徴とする請求項１記載の核酸。
【請求項５】
配列番号１のヌクレオチド282から1400に対応するhtrb-1 ORFをコードする核酸とハイブリダイズすることを特徴とする、請求項１から４いずれか１項記載の核酸。
【請求項６】
配列番号２に示すhtrb-1ポリペプチド配列と少なくとも約75%同一のhtrbポリペプチドをコードすることを特徴とする請求項１記載の単離された核酸。
【請求項７】
AP-1阻害活性をさらにコードすることを特徴とする請求項６記載の単離された核酸。
【請求項８】
IL-8基礎的発現の阻害、AP-1転写活性化の阻害、MEKK-1キナーゼシグナル伝達の阻害、MKK-7キナーゼシグナル伝達の阻害、細胞肥大促進活性、ERKキナーゼシグナル伝達の活性化、およびJNKキナーゼシグナル伝達の阻害：から成る群より選択されるhtrb生物活性をコードすることを特徴とする、請求項１、２、３または６いずれか１項記載の単離された核酸。
【請求項９】
配列番号１のヌクレオチド283から730; 配列番号１のヌクレオチド1から729;および配列番号１のヌクレオチド1500から1916：から成る群より選択されるhtrb-1ヌクレオチド配列とストリンジェントな条件下でハイブリダイズするヌクレオチド配列を含む単離された核酸。
【請求項１０】
配列番号２に示すhtrb-1ポリペプチド配列と少なくとも約50%同一のhtrbポリペプチドをコードすることを特徴とする請求項９記載の核酸。
【請求項１１】
htrb-1生物活性をコードすることを特徴とする請求項１０記載の核酸。
【請求項１２】
前記 htrbヌクレオチド配列と同一の少なくとも25個の連続ヌクレオチドを含むことを特徴とする請求項９記載の核酸。
【請求項１３】
配列番号２に示すhtrb-1ポリペプチド配列をコードする単離された核酸。
【請求項１４】
配列番号２のアミノ酸残基1から150の範囲のhtrb-1配列からの少なくとも10個の連続アミノ酸からなるポリペプチド配列を含む単離されたポリペプチド。
【請求項１５】
配列番号２のアミノ酸残基1から150の範囲のhtrb-1配列からの少なくとも20個の連続アミノ酸を含むことを特徴とする請求項１４記載のポリペプチド。
【請求項１６】
配列番号２に示すhtrb-1ポリペプチド配列と少なくとも70%同一のアミノ酸配列を含む単離されたポリペプチド。
【請求項１７】
前記アミノ酸配列が、配列番号２に示すhtrb-1ポリペプチド配列と少なくとも80%同一であることを特徴とする請求項１６記載のポリペプチド。
【請求項１８】
前記アミノ酸配列が、配列番号２に示すhtrb-1ポリペプチド配列と少なくとも90%同一であることを特徴とする請求項１６記載のポリペプチド。
【請求項１９】
少なくとも一つのhtrb-1生物活性を有することを特徴とする請求項１３から１８何れか１項記載のポリペプチド。
【請求項２０】
前記htrb-1生物活性が、IL-8基礎的発現の阻害、AP-1転写活性化の阻害、MEKK-1キナーゼシグナル伝達の阻害、MKK-7キナーゼシグナル伝達の阻害、細胞肥大促進活性、ERKキナーゼシグナル伝達の活性化、およびJNKキナーゼシグナル伝達の阻害：から成る群より選択されることを特徴とする請求項１９記載のポリペプチド。
【請求項２１】
配列番号２に示す配列を有する単離されたhtrb-1ポリペプチド。
【請求項２２】
細胞にhtrbアゴニストまたはアンタゴニストを与える工程を含むことを特徴とする、細胞中のAP-1媒介炎症性シグナルを調節する方法。
【請求項２３】
前記htrbアゴニストまたはアンタゴニストが、htrbポリペプチド、htrb類似構造ペプチドまたはhtrb核酸であることを特徴とする請求項２２記載の方法。
【請求項２４】
前記htrbアゴニストまたはアンタゴニストが、htrb-1、htrb-1 N htrb-1 C、htrb-1 N C、htrb-3、およびhtrb-1 5' UTRおよびN末端可変領域アンチセンス構造、htrb-3 5'UTRおよびN末端可変領域アンチセンス構造、htrb-1 3'UTRセンス構造から成る群より選択されることを特徴とする請求項２３記載の方法。
【請求項２５】
前記AP-1媒介炎症性シグナルが、TNF誘導炎症性シグナル、およびインターロイキン誘導炎症性シグナル：から成る群より選択されることを特徴とする請求項２２記載の方法。
【請求項２６】
請求項１４、１５、１６、１７、１８、２０または２１のいずれかのhtrbポリペプチドと細胞とを接触させる工程を含むことを特徴とする、細胞中のAP-1媒介炎症性シグナルを阻害する方法。
【請求項２７】
前記htrbポリペプチドが、htrb-1、htrb-1 N htrb-1 C、htrb-1 N C、htrb-3、htrb-3 N htrb-3 C、およびhtrb-3 N Cから成る群より選択されることを特徴とする請求項２６記載の方法。
【請求項２８】
細胞にhtrbアゴニスト活性を与える工程を含むことを特徴とする、細胞中のERK媒介シグナルを活性化する方法。
【請求項２９】
前記htrbアゴニスト活性が、請求項１３、１４、１５、１６、１７または２０のいずれかのhtrb-1ポリペプチドによって与えられることを特徴とする請求項２８記載の方法。
【請求項３０】
前記htrbポリペプチドが、htrb-1、htrb-1 N htrb-1 C、htrb-1 N C、htrb-3、htrb-3 N htrb-3 C、およびhtrb-3 N Cから成る群より選択されることを特徴とする請求項２９記載の方法。
【請求項３１】
前記ERK媒介シグナルが、AP-1媒介遺伝子活性化シグナル、エストロゲン受容体媒介遺伝子活性化シグナル、FGF誘導性シグナル、PMA誘導性シグナルから成る群より選択されることを特徴とする請求項２８記載の方法。
【請求項３２】
(a)哺乳類cDNAベクターライブラリの低複雑度プールを、インターロイキン遺伝子レポーターを含む哺乳類レポーター細胞に導入し;
(b) ベクターのみを導入した哺乳類レポーター細胞と比較したインターロイキン遺伝子レポーター活性の上昇または低下を用いて導入細胞を特定することによって、陽性クローンに関して遺伝子導入されたレポーター細胞をスクリーニングし;そして
(c)前記陽性クローンからの低複雑度プールを再導入し、再導入で得られた陽性クローンからの挿入cDNAを配列決定することによって、陽性クローンからインターロイキン制御遺伝子を同定して、それによってインターロイキン制御遺伝子を同定する；各工程を含むことを特徴とする、インターロイキン制御遺伝子を同定する方法。
【請求項３３】
前記インターロイキン遺伝子レポーターが、IL-1A遺伝子レポーター、IL-1B遺伝子レポーター、IL-1RN遺伝子レポーター、およびIL-8遺伝子レポーターから成る群より選択されることを特徴とする請求項３２記載の方法。
【請求項３４】
前記哺乳類細胞が、HeLa細胞、NIH3T3細胞、Raw細胞、末梢血リンパ球：から成る群より選択されることを特徴とする請求項３２記載の方法。
【請求項３５】
前記哺乳類cDNAライブラリが、PBMCライブラリ、HeLa細胞ライブラリ、PMA誘導性哺乳類細胞ライブラリ、およびサイトカイン誘導性哺乳類細胞ライブラリから成る群より選択されることを特徴とする請求項３２記載の方法。
【請求項３６】
(a) インターロイキン制御遺伝子cDNAおよび発現ベクターを含むインターロイキン制御遺伝子クローンを、哺乳類細胞集団において発現させ;
(b) 前記細胞から発現された遺伝子を示す核酸の集団を単離し;
(c) 前記細胞から発現された遺伝子を示す核酸の集団のマイクロアレイ分析によって、インターロイキン制御遺伝子発現細胞の遺伝子発現プロファイルを決定し;そして
(d) インターロイキン制御遺伝子発現細胞の中でアップレギュレートまたはダウンレギュレートされている前記インターロイキン制御遺伝子以外の遺伝子を同定するために、インターロイキン制御遺伝子クローンを導入した細胞からのmRNA発現の遺伝子発現パターンを、ベクターだけを導入して得られたものと比較し、それによって炎症性シグナル伝達ネットワーク中のインターロイキン制御遺伝子の遺伝子ターゲットを同定する；各工程を含むことを特徴とする、炎症性シグナル伝達ネットワーク中のインターロイキン制御遺伝子の遺伝子ターゲットを同定する方法。
【請求項３７】
請求項３６記載の方法をさらに含むことを特徴とする、請求項３２記載の方法。
【請求項３８】
前記哺乳類細胞が、HeLa細胞、NIH3T3細胞、Raw細胞、末梢血リンパ球から成る群より選択されることを特徴とする請求項３６記載の方法。
【請求項３９】
前記発現された遺伝子を示す核酸の集団がmRNA集団であることを特徴とする請求項３６記載の方法。
【請求項４０】
前記発現された遺伝子を示す核酸の集団がcDNA集団であることを特徴とする請求項３６記載の方法。
【請求項４１】
マイクロアレイ分析が、遺伝子転写プロファイルまたは遺伝子発現フィンガープリントを与えることを特徴とする請求項３６記載の方法。
【発明の詳細な説明】
【技術分野】
【０００１】
本発明は、哺乳類TRIBBLESシグナル伝達経路およびそれに関連する方法と試薬に関する。
【背景技術】
【０００２】
免疫および炎症性遺伝子の機能は、リウマチ性関節炎、炎症性腸疾患、乾癬、アルツハイマー病といった多くの疾患において中心的な役割を果たす。これらの免疫および炎症性遺伝子は、互いに依存するシグナル伝達系構成成分の複雑なネットワークとして機能することを示唆する証拠がある。これらのシグナル伝達系構成成分は、細胞外（たとえばインターロイキン類といったさまざまなサイトカインの作用を通じて）および細胞内（たとえばシグナル伝達キナーゼやAP-1およびNF-Bといった転写調節因子の作用を通じて）の療法で起こるシグナル伝達現象を媒介する。疾患の経過に関連する炎症反応を制御するためのさまざまな方法が存在する。たとえば、アスピリン（サリチル酸）は、ＮＦ−κＢ活性化における主要な酵素であるI-kBキナーゼをブロックすることによってＮＦ−κＢの活性化を阻害する。スルファサラジンおよび金化合物もまたＮＦ−κＢ活性化を阻害する。糖質コルチコイドは、ＮＦ−κＢ活性化に関係する糖質コルチコイド受容体に結合することによって炎症性遺伝子の発現を抑制する。
【０００３】
そのような薬物は、リウマチ性関節炎といった炎症性疾患を制御するために一般的に用いられている。にもかかわらず、特定の異常な炎症性過程を抑制する一方で病的でない炎症性過程は干渉されることなく継続できるように特に適合させた特別の抗炎症特異性を有する薬物を開発する必要がある。事実、さまざまな抗炎症薬は特別のニーズを有する特定の患者のために最適化された薬物治療にとって有益であると思われる(非特許文献１)を参照のこと)。さらに、炎症の分子メカニズムを理解することの進歩の継続は、炎症性疾患を抑えるためのより効果的でより特異的で、より毒性の低い薬物の開発に利益をもたらすことになる。このネットワークを構成する遺伝子間の関係を理解することで、自己免疫及び炎症性疾患を抑えるための薬物の幅広い標的が与えられる。疾患の過程を抑えるために、この遺伝子ネットワーク中の一個またはそれ以上の点で、単独または協同して作用するように、分子アゴニストおよびアンタゴニストを設計することができる。
【０００４】
最近、炎症性サイトカイン、細菌細胞壁およびせん断応力によって引き起こされるシグナル伝達系ネットワークに注目して多くの仕事がなされている。一般的に、２つの主要なシグナル伝達カスケードがこれらの刺激によって活性化される。免疫および炎症性遺伝子ネットワーク制御に関係する主要な細胞間シグナル伝達カスケードは、分裂促進因子活性化プロテインキナーゼ（MAPK、またはストレスキナーゼ）カスケードと、DdBキナーゼカスケード、またJAK/STATシグナル伝達経路である(たとえば非特許文献２を参照)。ＮＦ−κＢの活性化は、主にI kB キナーゼ(IKK)を介していると考えられている一方、AP- l/ATFの活性化はストレス活性化プロテインキナーゼ類(SAPKs、またJunキナーゼあるいはJNKsとも呼ばれる)に媒介されうると考えられている。IKKαおよびKKβは、IKK複合体核の２つの触媒サブユニットであり、IKK複合体核はまた制御サブユニットNEMO(ＮＦ−κＢ必須モジュレータ)/IKKγを含む。後者のタンパク質はIKKの活性化に必須であるが、その作用機構は未知であるがしかし、細胞内でNEMO/IKKγと直接相互作用するタンパク質であるこれまで未知であったCIKS(IKKおよびSAPK/JNK伝達物質)の分子クローニングから情報が得られる可能性がある(非特許文献３を参照)。異常に発現されると、CIKSはIKKおよびSAPK/JNKキナーゼを刺激し、ＮＦ−κＢ依存性レポーターの転写を促進する。ＮＦ−κＢの活性化はキナーゼ能力不全の干渉するIKK変異体の存在下で抑止される。CIKSは、IKKおよびSAPK/JNKモジュールへ上流のシグナル伝達現象から繋げる助けになっている可能性があり、CIKSは２つのストレス誘導シグナル伝達経路の活性化を調整することができ、腫瘍壊死因子受容体関連因子受容体タンパク質について知られている機能を思わせる。
【特許文献１】
米国特許第5,176,996号明細書
【特許文献２】
米国特許第5,264,564号明細書
【特許文献３】
米国特許第5,256,775号明細書
【特許文献４】
国際公開第88/09810号パンフレット
【特許文献５】
国際公開第89/10134号パンフレット
【特許文献６】
国際公開第90/11364号パンフレット
【特許文献７】
米国特許第5,093,246号明細書
【特許文献８】
国際公開第88/04300号パンフレット
【特許文献９】
欧州特許出願公開第0259149号明細書
【特許文献１０】
米国特許第5,223,409号明細書
【特許文献１１】
米国特許第5,198,346号明細書
【特許文献１２】
米国特許第5,096,815号明細書
【特許文献１３】
国際公開第92/15694号パンフレット
【特許文献１４】
米国特許第4,833,080号明細書
【特許文献１５】
米国特許第4,683,195号明細書
【特許文献１６】
米国特許第4,683,202号明細書
【特許文献１７】
米国特許第 5,498,531号明細書
【特許文献１８】
国際公開第94/16101号パンフレット
【特許文献１９】
米国特許第5,459,039号明細書
【特許文献２０】
米国特許第4,998,617号明細書
【特許文献２１】
米国特許第5,593,826号明細書
【特許文献２２】
米国特許第4,656,127号明細書
【特許文献２３】
仏国特許発明第2,650,840号明細書
【特許文献２４】
国際公開第91/02087号パンフレット
【特許文献２５】
国際公開第92/15712号パンフレット
【特許文献２６】
国際公開第9 1/07660号パンフレット
【特許文献２７】
米国特許第5,328,470号明細書
【特許文献２８】
米国特許第5,539,083号明細書
【特許文献２９】
米国特許第5,578,832号明細書
【特許文献３０】
米国特許第5,556,752号明細書
【特許文献３１】
米国特許第5,510,270号明細書
【非特許文献１】
Davies & Skjodt (2000) Clin Pharmoacokinet 38: 377-92
【非特許文献２】
Rivest et al. (2000) Proc Soc Exp Biol Med 223: 22-38
【非特許文献３】
Leonardi et al. (2000) PNAS, USA 97: 10494-9
【非特許文献４】
Mata et al. (2000) Cell 101 : 5 1 1-22
【非特許文献５】
Grosshans & Wieschaus (2000) Cell 101 : 523-31
【非特許文献６】
Mayumi-Matsuda, K. et al. (1999) Biochemical and Biophysical Research Communications 258:260-64
【非特許文献７】
Wilkin, F. et al. (1997) European Journal of Biochemistry 248:660-68
【非特許文献８】
Cacace, A.M. et al. (1999) Molecular and Cellular 生物学 19:229-40
【非特許文献９】
Yasuda, J. et al. (1999) Mol. 細胞. Biol. 19:7245-54
【非特許文献１０】
Levchenko, A. et al. (2000) Proc. Natl. Acad. Sci. USA 97:5818-23
【非特許文献１１】
Methods in Enzymology, vol. 266: Computer Methods for Macromolecular Sequence Analysis (1996), ed. Doolittle, Academic Press, Inc., a division of Harcourt Brace & Co., San Diego, California, USA
【非特許文献１２】
Meth. Mol. Biol. 70: 173-187 (1997)
【非特許文献１３】
Feng et al., J. Mol. Evol. (1987) 25:351-360
【非特許文献１４】
Needleman et al., J. Mol. Biol. (1970) 48:443-453
【非特許文献１５】
Smith and Waterman, Adv. Appl. Math. (1981) 2:482-489
【非特許文献１６】
Current Protocols in Molecular Biology, John Wiley & Sons, N.Y. (1989), 6.3.1-6.3.6
【非特許文献１７】
Molecular Cloning: A Laboratory Manual, 2nd Ed., ed. by Sambrook, Fritsch and Maniatis (Cold Spring Harbor Laboratory Press: 1989) Chapters 16 and 17
【非特許文献１８】
Van der Krol et al. (1988) Biotechnology 6:958-976
【非特許文献１９】
Stein et al. (1988) CancerRes 48:2659-2668
【非特許文献２０】
Wagner, R. 1994. Nature 372:333
【非特許文献２１】
Letsinger et al., 1989, Proc. Natl. Acad. Sci. U.S.A. 86:6553-6556
【非特許文献２２】
Lemaitre et al., 1987, Proc. Natl. Acad. Sci. 84:648-652
【非特許文献２３】
Zon, 1988, Pharm. Res. 5:539-549
【非特許文献２４】
Perry-O'Keefe et al. (1996) Proc. Natl. Acad. Sci. U.S.A. 93:14670
【非特許文献２５】
Eglom et al. (1993) Nature 365:566
【非特許文献２６】
Gautier et al., 1987, Nucl. Acids Res. 15:6625-6641
【非特許文献２７】
Inoue et al., 1987, Nucl. Acids Res. 15:6131-6148
【非特許文献２８】
Inoue et al., 1987, FEBS Lett. 215:327-330
【非特許文献２９】
Stein et al. 1988, Nucl. Acids Res. 16:3209
【非特許文献３０】
Sarin et al., 1988, Proc. Natl. Acad. Sci. U.S.A. 85:7448-7451
【非特許文献３１】
Bemoist and Chambon, 1981, Nature 290:304-310
【非特許文献３２】
Yamamoto et al., 1980, Cell 22:787-797
【非特許文献３３】
Wagner et al., 1981, Proc. Natl. Acad. Sci. U.S.A. 78: 1441-1445
【非特許文献３４】
Brinster et al, 1982, Nature 296:39-42
【非特許文献３５】
Sarver et al., 1990, Science 247:1222-1225
【非特許文献３６】
Haseloffand Gerlach, 1988, Nature, 334:585-591
【非特許文献３７】
Zaug, et al., 1984, Science, 224:574-578
【非特許文献３８】
Zaug and Cech, 1986, Science, 231 :470-475
【非特許文献３９】
Zaug, et al., 1986, Nature, 324:429-433
【非特許文献４０】
Been and Cech, 1986, Cell, 47:207-216
【非特許文献４１】
Smithies et al., 1985, Nature 317:230-234
【非特許文献４２】
Thomas & Capecchi, 1987, Cell 51 :503-512
【非特許文献４３】
Thompson et al., 1989 Cell 5:313-321
【非特許文献４４】
Helene, C. 1991, Anticancer Drug Des., 6(6):569-84
【非特許文献４５】
Helene, C., et al, 1992, Ann. N.Y. Acad. Sci., 660:27 36
【非特許文献４６】
Maher, LJ., 1992, Bioassays 14(12):807-15
【非特許文献４７】
Goeddel; Gene Expression Technology: Methods in Enzymology 185, Academic Press, San Diego, CA (1990)
【非特許文献４８】
Broach et al. (1983) in Experimental Manipulation of Gene Expression, ed. M. Inouye Academic Press, p. 83
【非特許文献４９】
Ben-Bassat et al. (1987) J. Bacteriol. 169:75 1-757
【非特許文献５０】
Miller et al.(1987) PNAS 84:271 8-1722
【非特許文献５１】
Evans et al.25 (1989) Nature 339:385
【非特許文献５２】
Huang et al. (1988) J. Virol. 62:3855
【非特許文献５３】
Schliengeret al. (1992) J. Virol. 66:2
【非特許文献５４】
Posnett et al. (1988) JBC 263:1719
【非特許文献５５】
Nardelli et al. (1992) J. Immunol. 148:914
【非特許文献５６】
Current Protocols hi Molecular Biology, eds. Ausubel et al. (N.Y.: John Wily & Sons, 1991)
【非特許文献５７】
Biochemistry, 2nd ed., Ed. by L. Stryer, WH Freeman and Co.: 1981
【非特許文献５８】
Narang, SA (1983) Tetrahedron 39:3
【非特許文献５９】
Itakura et al. (1981) Recombinant DNA, Proc 3rd Cleveland Sympos. Macromolecules, ed. AG Walton, Amsterdam: Elsevier pp 273-289
【非特許文献６０】
Itakura et al. (1984) Annu. Rev. Biochem. 53:323
【非特許文献６１】
Itakura et al. (1984) Science 198:1056
【非特許文献６２】
Ike et al. (1983) Nucleic Acid Res. 1 1:477
【非特許文献６３】
Scott et al. (1990) Science 249:386-390
【非特許文献６４】
Roberts et al. (1992) PNAS 89:2429-2433
【非特許文献６５】
Devlin et al. (1990) Science 249: 404-406
【非特許文献６６】
Cwirla et al. (1990) PNAS 87: 6378-6382
【非特許文献６７】
Arkin and Yourvan, 1992, PNAS USA 89:781 1-7815
【非特許文献６８】
Yourvan et al., 1992, Parallel Problem Solving from Nature, 2., In Maenner and Manderick, eds., Elsevir Publishing Co., Amsterdam, pp.401-410
【非特許文献６９】
Delgrave et al., 1993, Protein Engineering 6(3):327-33 1
【非特許文献７０】
Freidinger et al. in Peptides: Chemistry and Biology, G.R. Marshall ed., ESCOM Publisher: Leiden, Netherlands, 1988
【非特許文献７１】
Huffman et al. in Peptide: Chemistry and Biology, G.R. Marshall ed., ESCOM Publisher: Leiden, Netherlands, 1988
【非特許文献７２】
Garvey et al. in Peptide: Chemistry and Biology, G.R. Marshall ed., ESCOM Publisher Leiden, Netherlands, 1988
【非特許文献７３】
Ewenson et al. (1986) J Med Chem 29:295
【非特許文献７４】
Ewenson et al. in Peptide: Structure and Function (Proceedings of the 9th American Peptide Symposium) Pierce Chemical Co. Rockland, IL, 1985
【非特許文献７５】
Nagai et al. (1985) Tetrahedron Lett 26:647
【非特許文献７６】
Sato et al. (1986) J Chem Soc Perkin Trans 1 :123 1
【非特許文献７７】
Gordon et al. (1985) Biochem Biophys Res Communl26:419
【非特許文献７８】
Dann et al. (1986) Biochem Biophys Res Commun 134:71
【非特許文献７９】
Harlow, E. and Lane, D., 1988, "Antibodies: A Laboratory Manual", Cold Spring Harbor Laboratory Press, Cold Spring Harbor, New York)
【非特許文献８０】
Nature, 256: 495-497, 1975
【非特許文献８１】
Kozbar et al., (1983) Immunology Today , 4: 72
【非特許文献８２】
Cole et al., (1985) Monoclonal Antibodies and Cancer Therapy, Alan R. Liss, Inc. pp. 77-96
【非特許文献８３】
Doetschman et al. (1985) J. Embryol. Exp. 87:27-45
【非特許文献８４】
loffe et al. (1995) PNAS 92:7357 7361
【非特許文献８５】
Teratocarcinomas and Embryonic Stem Cells: A Practical Approach, EJ. Robertson, ed. IRL Press, 洗浄ton, D.C. [1987]
【非特許文献８６】
Bradley et al. (1986) Current Topics in Devel. Biol.20:357-371
【非特許文献８７】
Hogan et al. Manipulating the Mouse Embryo, (Cold Spring Harbor Laboratory Press, Cold Spring Harbor, 1986)
【非特許文献８８】
Lakso et al. (1992) PNAS 89:6232-6236
【非特許文献８９】
Orban et al. (1992) PNAS 89:6861-6865)
【非特許文献９０】
O'Gorman et al. (1991) Science 251 :1351-1355
【非特許文献９１】
Abremski et al. (1984) J. Biol. Chem. 259: 1 509-1 5 14
【非特許文献９２】
Brinster et al. (1985) PNAS 82:4438-4442
【非特許文献９３】
Jaenich, R. (1976) PNAS 73: 1260-1264
【非特許文献９４】
Jahner et al. (1985) PNAS 82:6927-6931
【非特許文献９５】
Van der Putten et al. (1985) PNAS 82 :6 1 48-6 1 52
【非特許文献９６】
Stewart et al. (1987) EMBO J. 6:383-388
【非特許文献９７】
Jahner et al. (1982) Nature 298:623-628
【非特許文献９８】
Evans et al. (1981) Nature 292:154-156
【非特許文献９９】
Bradley et al. (1984) Nature 309:255-258
【非特許文献１００】
Gossler et al. (1986) PNAS 83: 9065-9069
【非特許文献１０１】
Robertson et al. (1986) Nature 322:445-448
【非特許文献１０２】
Jaenisch, R. (1988) Science 240:1468-1474
【非特許文献１０３】
Habig et al (1974) J Biol Chem 249:7130
【非特許文献１０４】
Ellison et al. (1991) J Biol Chem 266:21 150-21 157
【非特許文献１０５】
McConnell et al. (1992) Science 257: 1906
【非特許文献１０６】
Cronin et al. (1996) Human Mutation 7:244
【非特許文献１０７】
Landegran et al. (1988) Science 241 :1077-1080
【非特許文献１０８】
Nakazawa et al. (1994) PNAS 91 :360-364
【非特許文献１０９】
Abravaya et al. (1995) Nuc Acid Res 23:675-682
【非特許文献１１０】
Guatelli, J.C. et al., 1990, Proc. Natl. Acad. Sci. USA 87:1874-1878
【非特許文献１１１】
Kwoh, D.Y. et al., 1989, Proc. Natl. Acad. Sci. USA 86:1173-1177
【非特許文献１１２】
Lizardi, P.M. et al., 1988, Bio/Technology 6: 1197
【非特許文献１１３】
Proc. Natl Acad Sci USA (1977) 74:560
【非特許文献１１４】
Sanger et al (1977) Proc. Nat. Acad. Sci 74:5463
【非特許文献１１５】
Cohen et al. (1996) Adv Chromatogr 36:127-162
【非特許文献１１６】
Griffin et al. (1993) Appl Biochem Biotechnol 38:147-159
【非特許文献１１７】
Biotechniques (1995) 19:448
【非特許文献１１８】
Myers, et al. (1985) 10 Science 230:1242
【非特許文献１１９】
Cotton et al (1988) Proc. Natl Acad Sci USA 85:4397
【非特許文献１２０】
Saleeba et al (1992) Methods Enzymol. 217:286-295
【非特許文献１２１】
Hsu et al. (1994) Carcinogenesis 15: 1657-1662
【非特許文献１２２】
Orita et al. (1989) Proc Natl. Acad. Sci USA 86:2766
【非特許文献１２３】
Cotton (1993) Mutat Res 285:125 1 44
【非特許文献１２４】
Hayashi (1 992) Genet Anal Tech Appl 9:73-79
【非特許文献１２５】
Keen et al. (1991) Trends Genet 7:5
【非特許文献１２６】
Myers et al (1985) Nature 313:495
【非特許文献１２７】
Rosenbaum and Reissner (1987) Biophys Chem 265: 12753
【非特許文献１２８】
Saiki et al. (1986) Nature 324:163
【非特許文献１２９】
Saiki et al (1989) Proc. Natl Acad. Sci USA 86:6230
【非特許文献１３０】
Gibbs et al (1989) Nucleic Acids Res. 17:2437-2448
【非特許文献１３１】
Prossner (1993) Tibtech 11 :238
【非特許文献１３２】
Gasparini et al (1992) Mol. Cell Probes 6:1
【非特許文献１３３】
Barany (1991) Proc. Natl. Acad. Sci USA 88:189
【非特許文献１３４】
Landegren, U. et al., Science 241 :1077-1080 (1988)
【非特許文献１３５】
Nickerson, D. A. et al., Proc. Natl. Acad. Sci. (U.S.A.) 87:8923-8927 (1990)
【非特許文献１３６】
Tobe et al. ((1996) Nucleic Acids Res 24: 3728
【非特許文献１３７】
Komher, J. S. et al., Nucl. Acids. Res.17:7779-7784 (1989)
【非特許文献１３８】
Sokolov, B. P., Nucl. Acids Res. 18:3671 (1990)
【非特許文献１３９】
Syvanen, A. -C., et al., Genomics 8:684-692 (1990)
【非特許文献１４０】
Kuppuswamy, M. N. et al., Proc. Natl. Acad. Sci. (U.S.A.) 88:1 143-1 147 (1991)
【非特許文献１４１】
Prezant, T. R. et al., Hum. Mutat. 1:159-164 (1992)
【非特許文献１４２】
Ugozzoli, L. et al., GATA 9:107-1 12 (1992)
【非特許文献１４３】
Nyren, P. et al., Anal. Biochem. 208:171-175 (1993)
【非特許文献１４４】
Syvanen, A. -C., et al., AmerJ. Hum. Genet. 52:46-59 (1993)
【非特許文献１４５】
Roest, et. al., (1993) Hum. Mol. Genet. 2:1719-21
【非特許文献１４６】
van der Luijt, et. al., (1994) Genomics 20:1-4
【非特許文献１４７】
Nuovo, G.J., 1992, PCR in situ hybridization: protocols and applications, Raven Press, NYを
【非特許文献１４８】
Voller, "The Enzyme Linked Immunosorbent Assay (ELISA)", Diagnostic Horizons 2 : 1-7, 1978, Microbiological Associates Quarterly Publication, Walkersville, MD
【非特許文献１４９】
Voller, et ah, J. Clin. Pathol. 31 :507-520 (1978)
【非特許文献１５０】
Butler, Meth. Enzymol. 73:482-523 (1981)
【非特許文献１５１】
Maggio, (ed.) Enzyme Immunoassay, CRC Press, Boca Raton, FL, 1 980
【非特許文献１５２】
Ishikawa, et al., (eds.) Enzyme Immunoassay, Kgaku Shoin, Tokyo, 1981)
【非特許文献１５３】
Weintraub, B., Principles of Radioimmunoassay, Seventh Training Course on Radioligand Assay Technology, The Endocrine Society, March, 1986
【非特許文献１５４】
Jokhi et al.(1997) Cytokine 9: 126-37
【非特許文献１５５】
Dammann et al. (1997) Pediatr Res 42: 1-8
【非特許文献１５６】
Chen et al. (1994) PNAS 91 : 3054-3057
【非特許文献１５７】
Dev et al. ((1994) Cancer Treat Rev 20:105-1 15
【非特許文献１５８】
Verma et al., Human Chromosomes: a Manual of Basic Techniques, Pergamon Press, New York (1988)
【非特許文献１５９】
DNA Cloning, Volumes I and II (D. N. Glover ed., 1985
【非特許文献１６０】
Oligonucleotide synthesis (M. J. Gait ed., 1984)
【非特許文献１６１】
Nucleic Acid Hybridization (B. D. Hames & S. J. Higgins eds. 1984)
【非特許文献１６２】
Transcription and Translation (B. D. Hames & S. J. Higgins eds. 1984)
【非特許文献１６３】
Culture Of Animal Cells (R. I. Freshney, Alan R. Liss, Inc., 1987)
【非特許文献１６４】
Immobilized Cells And Enzymes (IRL Press, 1986)
【非特許文献１６５】
B. Perbal, A Practical Guide To Molecular Cloning (1984)
【非特許文献１６６】
the treatise, Methods In Enzymology (Academic Press, Inc., N.Y.)Gene Transfer Vectors For Mammalian Cells (J. H. Miller and M. P. Calos eds.,1987, Cold Spring Harbor Laboratory)
【非特許文献１６７】
Methods In Enzymology, Vols. 154 and 155 (Wu et al. eds.), Imrnunochemical Methods In Cell And Molecular Biology (Mayer and Walker, eds., Academic Press, London, 1987)
【非特許文献１６８】
Handbook Of Experimental Immunology, Volumes I-IV (D. M. Weir and C. C. Blackwell, eds., 1986);
【非特許文献１６９】
Bittner et al., 2000, Nature 406:443-546
【非特許文献１７０】
Egholm et al., 1993, PNA hybridyzes to complementary oligonucleotides obeying the Watson-Crick hydrogen-bonding rules, Nature 365:566-568
【非特許文献１７１】
Schena et al., 1995, Science 270:467-470
【非特許文献１７２】
DeRisi et al., 1996, Nature Genetics 14:457-460
【非特許文献１７３】
Shalon et al., 1996, Genome Res. 6:639-645
【非特許文献１７４】
Schena et al., 1995, Proc. Natl. Acad. Sci. USA 93:10539-1 1286
【非特許文献１７５】
Fodor et al., 1991, Science 251 :767-773
【非特許文献１７６】
Pease et al., 1994, Proc. Natl. Acad. Sci. USA 91 :5022-5026
【非特許文献１７７】
Lockhart et al., 1996, Nature Biotech 14:1675
【非特許文献１７８】
Maskos and Southern, 1992, Nuc. Acids Res. 20:1679-1684
【非特許文献１７９】
Klug and Berger, 1987, Methods Enzymol. 152:316-325
【非特許文献１８０】
Kricka, 1992, Academic Press San Diego, Calif
【非特許文献１８１】
Zhao et al., 1995, Gene 156:207
【非特許文献１８２】
Pietu et al., 1996, Genome Res. 6:492
【非特許文献１８３】
Ausubel et al., 1987, Current Protocols in Molecular Biology, Greene Publishing and Wiley-Interscience, New York
【非特許文献１８４】
Shalon et al., 1996, Genome Research 6:639-645
【非特許文献１８５】
Schena et al., 1996, ゲノム Res. 6:639-645
【非特許文献１８６】
Ferguson et al., 1996, Nature Biotech. 14:1681-1684,
【非特許文献１８７】
Sherlock, 2000, Curr. Opin. Immunol. 12:201-205
【非特許文献１８８】
Butte et al., 2000, Pacific Symposium on Biocomputing, Hawaii, World Scientific, p.418-29
【非特許文献１８９】
Tamayo et al., 1999, PNAS 96:2907-12
【非特許文献１９０】
Wu & Anderson (1998) Nature 392: 93-7
【非特許文献１９１】
Hamann, J. et al. (1993) Journal ofImmunology 150:4920-27
【非特許文献１９２】
Seher, T.C. et al. (2000) Curr. Biol. 10:623-29
【非特許文献１９３】
Mukaida, N. et al. (1994) Journal of Leukocyte Biology 56:554-58
【非特許文献１９４】
Wilkin, F. et al. (1996) Journal of Biological Chemistry 271 :2845 1-57
【非特許文献１９５】
Rorth, P. et al. (2000) Mol. Cell 6:23-30)
【非特許文献１９６】
Foltz, IN. et al. (1998) J. Biol. Chem. 273:9344-51
【非特許文献１９７】
Holland, P.M. et al. (1997) Journal of Biological Chemistry 272:24994-98
【非特許文献１９８】
Davis, R.J. (1999) Biochemical Society Symposia 64:1-12
【非特許文献１９９】
Yamaoka, S. et al. (1998) Cell 93:1231-40
【非特許文献２００】
Rudolph, D. et al. (2000) Genes Dev. 14:854-62
【非特許文献２０１】
Harhaj, E.W. et al. (1999) Journal of Biological Chemistry 274:2291 1-14
【非特許文献２０２】
Schaeffer, HJ. et al (1998) Science 281:1668-71
【非特許文献２０３】
Whitmarsh, A.J. et al. (1998) Science 281:1671-74
【非特許文献２０４】
Kiss-Tom, E. et al., Journal ofImmunological 方法 239, 125-135 (2000)
【非特許文献２０５】
Wyllie, D.H. et al. (2000) Journal of Immunology 165:7125-32
【非特許文献２０６】
Maamra, M. et al. (1999) Journal of Biological Chemistry 274: 14791-98
【発明の開示】
【発明が解決しようとする課題】
【０００５】
個々のストレスキナーゼ媒介経路は異なる細胞型では異なる挙動を示す。特異性は、CIKSといったある経路の成分を細胞型特異的に発現することで部分的に達成しうる。これらの分裂促進因子活性化プロテインキナーゼシグナル伝達経路の制御および特異性に寄与するすべての構成成分は、それぞれがこの炎症性シグナル伝達現象の重要な群を制御するための標的であるので、すべての構成成分を同定することが重要である。
【課題を解決するための手段】
【０００６】
本発明は一部、ある哺乳類htrbs遺伝子のクローニングおよび同定、および特定のストレスキナーゼ経路の阻害因子として機能するコードされたhtrbsタンパク質に基づく。htrbs遺伝子は、ショウジョウバエの発生において形態形成と細胞運命決定とともに有糸分裂を調整する、ショウジョウバエtribbles遺伝子の哺乳類相同遺伝子である(非特許文献４および非特許文献５を参照)。本発明はhuman tribbles homologue-1に因んでhtrb-1と名付けられたショウジョウバエtribbles遺伝子のヒト相同遺伝子を提供する（homo SKIP1 (Gen Bank Accession NO. AF250310)ともいう）。htrb-1は、ＮＦ−κＢおよびAP-1の両方の誘導にIL-8プロモータ内に存在するこれらの転写活性化因子結合部位を通じて反応するサイトカイン応答性インターロイキン−１(EL-8)遺伝子リポーターの基本的であるが誘導されたものでない活性を阻害する。本発明のhtrb-1遺伝子は、AP-1媒介転写誘導を特異的に阻害し、ＮＦ−κＢまたはJAK/STAT媒介転写誘導は阻害しない。従って、本発明のhtrb-1遺伝子は、ストレスキナーゼ誘導経路を調節する便利かつ特異的な手段を提供する。
【０００７】
好適な実施形態においては、本発明は配列番号１に示されたヌクレオチド配列と少なくとも約９０％同一であるヌクレオチド配列かまたはその相補配列、および好ましくは少なくとも約95%または99%同一であるヌクレオチド配列から成る核酸をコードする、単離されたhtrb-1を提供する。ある実施形態では、本発明の核酸はさらにAP-1活性化阻害活性を有する。本発明はさらに、配列番号２に示されたhtrb-1ポリペプチド配列と少なくとも約75%同一であるポリペプチドのようなhtrbポリペプチドをコードし、さらに好ましくはAP-1阻害活性をコードする、単離された核酸を提供する。ある好適な実施形態においては、本発明の単離された核酸は、IL-8基本発現阻害活性、およびAP-1転写活性化阻害活性、MEKK-1キナーゼシグナル伝達阻害活性、MKK-7キナーゼシグナル伝達阻害活性、ERKキナーゼシグナル伝達阻害活性、JNKキナーゼシグナル伝達阻害活性、あるいは細胞肥大促進活性といったhtrb生物活性をコードする。本発明の好適な核酸は、たとえば：配列番号１のヌクレオチド1から448；配列番号1のヌクレオチド 1から729；および配列番号1のヌクレオチド1500から1916、といったストリンジェントな条件下である特定のhtrb-1ヌクレオチド配列とハイブリッドを形成するヌクレオチド配列を有する単離された核酸を含む。
【０００８】
本発明はさらに、配列番号２のアミノ酸残基1から150の範囲のhtrb-1配列から少なくとも10、そしてより好ましくは20または30の連続するアミノ酸のポリペプチド配列を含む単離されたhtrbポリペプチドを提供する。好ましくは本発明のhtrbポリペプチドは、配列番号２に示されたhtrb-1配列と少なくとも約70%、より好ましくは80、90、95または99%同一である。好適な実施形態においては、htrbポリペプチドはhtrb-1生物活性、たとえば：IL-8基本発現阻害、AP-1転写活性化阻害、MEKK-1キナーゼシグナル伝達阻害、MKK-7キナーゼシグナル伝達阻害、ERKキナーゼシグナル伝達阻害、JNKキナーゼシグナル伝達阻害、あるいは細胞肥大促進、といった能力をコードする。
【０００９】
特に好適な実施形態においては、本発明は細胞にアゴニストまたはアンタゴニストを与えることによって細胞内でAP-1媒介炎症性シグナルを調節する方法を提供する。htrbアゴニストまたはアンタゴニストは、htrbポリペプチド、htrb類似構造ペプチドまたはhtrb核酸とすることができる。本発明の好ましいhtrb核酸アゴニストまたはアンタゴニストは、htrb-1、htrb-1 N htrb-1 C、htrb-1 N C、htrb-3、htrb-1 5 ' UTRおよびN末端可変領域アンチセンス構造、htrb-3 5’UTRおよびN末端可変領域アンチセンス構造、そしてhtrb-1 3 'UTRセンス構造を含む。
【００１０】
本発明の好ましいhtrbポリペプチドアゴニストまたはアンタゴニストは、htrb-1、htrb1 N htrb-1 C、htrb-1 N C、htrb-3、htrb-3 N htrb-3 C、そしてhtrb-3 N Cを含む。本発明の方法は、TNF誘導炎症性シグナル、またはインターロイキン誘導炎症性シグナルといったAP-1媒介炎症性シグナルを阻害するのに用いうる。本発明の方法はさらに、細胞にhtrbアゴニスト活性を与えることによって細胞内でERK媒介シグナルを活性化する方法を提供する。ERK媒介シグナルはたとえば、AP-1媒介遺伝子活性化シグナル、エストロゲン受容体媒介遺伝子活性化シグナル、FGF誘導シグナル、あるいはPMA誘導シグナルでありうる。
【００１１】
特に好適な一実施形態においては、本発明は特定のクローニング過程によってインターロイキン制御遺伝子を同定する方法を提供する。インターロイキン制御遺伝子を同定するために、本発明の過程は：(1)インターロイキン遺伝子または炎症性遺伝子レポーターを含む哺乳類レポーター細胞に、哺乳類cDNAベクターライブラリの低複雑度プールを導入する；(2)遺伝子導入されたレポーター細胞を、ベクターだけを導入した哺乳類レポーター細胞と比較したインターロイキン遺伝子レポーター活性の上昇または低下を用いて導入細胞を特定することにより陽性細胞を得るためにスクリーニングする；そして(3)前記の陽性クローンからの低複雑性プールを再導入し、再導入で得られた陽性クローンからの挿入cDNAを配列決定することによって陽性クローンからインターロイキン制御遺伝子を同定することを含む。インターロイキンまたは炎症性遺伝子レポーターはIL-1A遺伝子レポーター、IL-1B遺伝子レポーター、IL-1RN遺伝子レポーター、またはIL-8遺伝子レポーターでありうる。本発明のこの側面での使用に好ましい細胞は、HeLa細胞、NIH 3T3細胞、Raw細胞、または末梢血リンパ球といった哺乳類細胞を含む。本発明のこの側面での使用に好ましいライブラリは、PBMCライブラリ、HeLa細胞ライブラリ、PMA誘導哺乳類細胞ライブラリ、または、IL-5、TGF-β、インターフェロン-α、またはIL-12誘導哺乳類細胞といった他のサイトカイン誘導哺乳類細胞から作られた哺乳類細胞ライブラリのような哺乳類cDNA ライブラリを含む。
【００１２】
本発明のこの面の好適な実施形態においては、さらに別の炎症性制御ネットワーク遺伝子を得るために、相互作用過程が用いられる。炎症性シグナル伝達ネットワークを作り出しているインターロイキン制御遺伝子のもう一つの遺伝子ターゲットを同定するために、本発明のこの過程は：最初にインターロイキン制御遺伝子cDNAおよび発現ベクターを含むインターロイキン制御遺伝子クローンを哺乳類細胞集団の中に発現させる；次に前記細胞から発現された遺伝子を示す核酸の集団を単離する；前記細胞からの発現された遺伝子を示す核酸のマイクロアレイ分析によってインターロイキン制御遺伝子発現細胞の遺伝子発現プロファイルを決定する；そして、インターロイキン制御遺伝子発現細胞の中でアップレギュレートまたはダウンレギュレートされている、前記インターロイキン制御遺伝子以外の遺伝子を同定するために、インターロイキン制御遺伝子クローンを導入された細胞からのmRNA発現の遺伝子発現パターンを、ベクターだけを導入されたものと比較することを含む。好適な実施形態においては、本方法は、遺伝子転写プロファイリングまたは遺伝子発現フィンガープリントといったマイクロアレイ分析によって、応答性遺伝子の発現改変を評価する。
【発明を実施するための最良の形態】
【００１３】
本発明は一部、ある哺乳類htrbs遺伝子のクローニングおよび同定、および特定のストレスキナーゼ経路の阻害因子として機能するコードされたhtrbsタンパク質に基づく。htrbs遺伝子は、ショウジョウバエの発生において形態形成と細胞運命決定とともに有糸分裂を調整する、ショウジョウバエtribbles遺伝子の哺乳類相同遺伝子である(非特許文献４および非特許文献５を参照)。本発明はhuman tribbles homologue-1に因んでhtrb-1と名付けられたショウジョウバエtribbles遺伝子のヒト相同遺伝子を提供する。htrb-1遺伝子はまたヒトSKIP1遺伝子としても知られ、核酸配列(配列番号１)および対応するポリペプチド配列(配列番号２)はGenBank Accession NO. AF250310に記載され、図10に示される。配列番号１のヌクレオチド282から1400は、htrb-1ポリペプチド(配列番号２)をコードするhtrb-1遺伝子のORFに対応する。htrb-1遺伝子は、ＮＦ−κＢおよびAP-1の両方の誘導にIL-8プロモータ内に存在するこれらの転写活性化因子結合部位を通じて反応するサイトカイン応答性インターロイキン−１(EL-8)遺伝子リポーターの基本的であるが誘導されたものでない活性を阻害する。本発明のhtrb-1遺伝子は、AP-1媒介転写誘導を特異的に阻害し、ＮＦ−κＢまたはJAK/STAT媒介転写誘導は阻害しない。従って、本発明のhtrb-1遺伝子は、ストレスキナーゼ誘導経路を調節する便利かつ特異的な手段を提供する。
【００１４】
分裂促進因子活性化プロテインキナーゼカスケードは幅広い細胞外刺激によって活性化される。しかし、個々の経路は異なる細胞型では異なる反応を示す。この特異性は、ある経路の成分を細胞型特異的に発現することによって部分的に達成しうる。本発明は、MAPK経路の活性に影響する一群の哺乳類tribbles相同遺伝子(htrbs)を提供する。これらのタンパク質の発現は緊密に制御されている(非特許文献６；非特許文献７を参照)。htrbの過剰発現または内因性レベルの抑制はストレスキナーゼ反応性レポーターの阻害に繋がり、これらのタンパク質がMAPK経路の律速成分に相当することを示唆する。htrbの作用機構は、htrb濃度の上昇によって大幅に増強される細胞外シグナル制御キナーゼ(ERKs)のリン酸化の制御を含む。さらに、ERK、JNKおよびp38反応性レポーターの上流キナーゼによる最適活性化は異なる量のhtrbの存在下で達成され、個々のMAPK経路の選択的活性化はhtrb発現の制御によって起こることを示唆する。足場となる構成成分の発現レベルの制御はシグナル伝達反応の幅を制限する効果的な方法である(たとえば非特許文献８；非特許文献９)と示唆する実験的証拠が増えつつあり、数学モデルに支持されている(非特許文献１０を参照)。我々の観察に基づき、我々はhtrbタンパク質が足場でありMAPK媒介細胞反応の動力学を制御しているモデルを提案する。本発明はさらに、それぞれ41%および51%がhtrb-1遺伝子と同一である、htrb-2およびhtrb-3 genesを提供する。htrb-3遺伝子はまたヒトSKIP3遺伝子としても知られ、核酸配列(配列番号３)および対応するポリペプチド配列(配列番号４)がGenBank Accession NO. AF250311に記載され、図１１に示される。配列番号３のヌクレオチド1から1083がhtrb-3のORFに対応し、したがって、配列番号４に対応するhtrb-3 ポリペプチドをコードする。本発明はまたさらに、炎症性シグナル伝達を制御するためにこれらの構成成分を用いる方法を提供する。
【００１５】
本発明はさらに、炎症性シグナル伝達ネットワークの構成成分である他の遺伝子をクローニングし同定するための方法を提供する。好適な実施形態においては、この方法は、インターロイキン遺伝子レポーターの基本的または誘導された濃度の増加もしくは減少の効果を示す遺伝子についてcDNAの低複雑性プールをスクリーニングすることを含む。ある実施形態では、本発明の方法は、インターロイキン8(IL-8)レポーター構造のようなサイトカイン反応性レポーター構造の活性を調節する遺伝子産物についての発現スクリーニングを含む。インターロイキン(EL)-8は、そのＧタンパク質結合受容体CXCR1およびCXCR2を通して急性炎症において重要な役割を果たすC-X-Cケモカインである。特に好適な実施形態においては、さらに遺伝子ネットワークの構成成分は、このように同定されたインターロイキン制御遺伝子を用いたマイクロアレイ分析を含む反復過程によってクローンされ同定される。バイオテクノロジービジネスのこれらの方法の目的は、自己免疫および炎症性疾患の経過の制御のための幅広い薬物ターゲットを同定することを含む。さらに先の目標は、自己免疫または炎症性疾患の経過を制御するために、炎症性遺伝子ネットワーク中の任意の一個またはそれ以上の点で、単独または協同して作用しうる分子アゴニストおよびアンタゴニストの設計を含む。
【００１６】
定義
便宜上、本明細書、実施例、および付属の請求項で用いたある用語および語句の意味を下記に示す。
【００１７】
「異常な活性」の語は、htrbといったポリペプチドの活性について当てはめられるとき、野生型または天然ポリペプチドの活性と異なる、または健康被験者のポリペプチドの活性と異なる活性を指す。ポリペプチドの活性は、その天然の対応物の活性より強いために異常でありうる。あるいは、活性はその天然の対応物の活性と比べて弱いかまたは存在しないために異常でありうる。異常な活性はまた活性の変化でありうる。たとえば、異常なポリペプチドは別の標的ペプチドと相互作用しうる。細胞は、htrbをコードする遺伝子の過剰発現または低発現のために、異常なhtrb活性を有しうる。
【００１８】
「アゴニスト」の語は、ここで用いられるように、htrb生物活性を模倣しまたはアップレギュレートする(たとえば増強しまたは補う)物質を指すことを意図する。htrbアゴニストは、野生型htrbタンパク質、または野生型htrbの少なくとも一つの生物活性、たとえばAP-1活性化阻害活性を有するその誘導体でありうる。htrb治療薬はまた、htrb遺伝子の発現をアップレギュレートする化合物か、またはhtrbタンパク質の少なくとも一つの生物活性を増加させるものでありうる。アゴニストはまた、htrbポリペプチドと、たとえばEL-1タイプIまたはタイプII受容体といったもう一つの分子との相互作用を増加させる化合物でありうる。そのようなアゴニストは、たとえば、htrbのMAPKへの結合を増加させ、それによってMAPK媒介炎症性シグナルのhtrb依存性阻害を促進する。あるいは、htrbアゴニストはのMAPKへの結合を増加させうる。
【００１９】
「対立遺伝子」の語は、ここでは「対立変異体」と相互に交換しうるよう用いられ、遺伝子またはその一部分の選択的な形を指す。対立遺伝子は同一の相同染色体上の遺伝子座つまり位置を占める。被験者がある遺伝子の二個の同一の対立遺伝子を持つとき、その被験者は当該遺伝子または対立遺伝子についてホモ接合であるという。被験者がある遺伝子の二個の異なる対立遺伝子を持つとき、その被験者は当該遺伝子または対立遺伝子についてヘテロ接合であるという。特定遺伝子の対立遺伝子は互いに単一ヌクレオチド、または数個のヌクレオチドで異なり得、またヌクレオチドの置換、欠失、挿入を含みうる。しばしば起こる配列変異はトランジション変異(つまりプリンからプリンの置換、ピリミジンからピリミジンの置換、たとえばAからGまたはCからT)、トランスバージョン変異(つまりプリンからピリミジン、およびピリミジンからプリンの置換、たとえばAからTまたはCからG)、そして反復DNA配列変化(たとえば三塩基反復およびその他のタンデムリピート配列の延長または短縮)を含む。ある遺伝子の対立遺伝子はまた変異を含む遺伝子の形でありうる。「htrb遺伝子の多型領域の対立変異体」の語は、別の個人のその遺伝子領域でみられる一または数個のヌクレオチド配列を有するhtrb遺伝子の一つの領域を指す。
【００２０】
ここで用いられる「アンタゴニスト」は、少なくとも一つのhtrb生物活性をダウンレギュレートする(たとえば抑制または阻害する)物質を指すことを意図する。htrbアンタゴニストは、htrbタンパク質と、たとえばMARKといったもう一つの分子との間の相互作用を阻害または低下させる化合物でありうる。アンタゴニストはまた、htrb遺伝子の発現をダウンレギュレートする化合物かまたは、存在するhtrbタンパク質の量を減少させるものでありうる。htrbアンタゴニストはhtrbポリペプチドの優性阻害型、たとえば、標的ペプチドと相互作用できるhtrbポリペプチドの一つの形でありうる。htrbアンタゴニストはまた、htrbポリペプチドの優性阻害型をコードする核酸、htrbアンチセンス核酸、または特異的にhtrbRNAと相互作用できるリボザイムでありうる。さらに別のhtrbアンタゴニストは、htrbポリペプチドと結合しその作用を阻害する分子でありうる。そのような分子は、たとえば、生物活性を有しないhtrb標的ペプチドの形、およびAP-1転写因子といったhtrb標的分子への結合を阻害するものといったペプチドを含む。
【００２１】
ここで用いられる「抗体」の語は、たとえば任意のアイソタイプ(IgG、IgA、IgM、IgE、など)の完全な抗体を含むことを意図し、そしてまた脊椎動物たとえば哺乳類タンパク質と特異的に反応するその断片を含む。抗体は従来の方法で断片化することができ、その断片は同じ方法で完全な抗体について上記に示した通り実用のためにスクリーニングされる。したがってこの語は、あるタンパク質と選択的に反応できる、タンパク質分解によって切断したかまたは抗体分子の組み換えによって作成された部分の断片を含む。そのようなタンパク質分解および／または組み換え断片の限定されない例は、Fab、F(ab')2、Fab’、Fv、およびペプチドリンカーで結合したV[L]および／またはV[H]領域を含む一本鎖抗体(scFv)を含む。scFvは共有結合または非共有結合で二またはそれ以上の結合部位を有する抗体を形成しうる。本発明はポリクローナル、モノクローナル、またはその他の抗体および組み換え抗体の精製調製物を含む。
【００２２】
核酸の異常な発現「に伴う」または「に特徴づけられる」疾患、病気、あるいは状態は、核酸の発現の異常なレベルによって生じたか、それが寄与しているか、またはそれが原因となった患者の疾患、病気、あるいは状態を指す。
【００２３】
ここで用いられる「htrbポリペプチドの生物活性断片」は、断片が特に野生型htrbポリペプチドの活性を模倣または拮抗する完全長htrbポリペプチド断片を指す。生物活性断片は好ましくはMAPKと相互作用できる断片である。
【００２４】
「生物学的活性」または「生物活性」または「活性」または「生物機能」は、互いに交換可能に用いられ、ここでの目的では、htrbポリペプチド(その未変性または変性コンホメーションで)、またはその任意の部分配列によって直接または間接に発揮されるエフェクターもしくは抗原機能を意味する。生物活性は、たとえばMAPK、好ましくはERKといった標的ペプチドへの結合を含む。htrb生物活性はhtrbポリペプチドに直接干渉することで調節しうる。あるいは、htrb生物活性は、たとえばhtrb遺伝子の発現を調節することによって、htrbポリペプチドの濃度を調節することによって調節しうる。
【００２５】
「バイオマーカー」の語は、その存在または濃度が検出できまた疾患状態のような既知の状態と相関する、たとえば核酸、ペプチド、ホルモン、などといった生物分子を指す。
【００２６】
「細胞」、「宿主細胞」または「組み換え宿主細胞」はここでは相互に交換しうるよう用いられる用語である。これらの用語は特定の対象細胞だけでなくその子孫またはそのような細胞の潜在的な子孫も指す。変異または環境の影響によってある修飾が後の世代に起こりうるため、そのような子孫は、実際、お野菜棒と同一ではない可能性があるが、なおここで用いられる用語の範囲に含まれる。
【００２７】
「キメラポリペプチド」または「融合ポリペプチド」は対象のhtrbポリペプチドの一つをコードする最初のアミノ酸配列と、htrbポリペプチドとは無関係でまたどの領域とも本質的に相同でない第二のアミノ酸配列定義領域(たとえばポリペプチド部分)との融合である。キメラポリペプチドは、第一のポリペプチドも発現している生物に（別のポリペプチド中であっても)みられる無関係の領域に存在しえ、また異なる種類の生物によって発現されるポリペプチド構造の「種間」、「遺伝子間」、などの融合でありうる。一般的に、融合ポリペプチドは一般式X-htrb-Yで表すことができ、ここでhtrbはhtrbポリペプチドから得られたポリペプチドの一部を示し、XおよびYは独立して、存在しないかまたは、自然発生変異体を含め、ある生物においてhtrb配列に関係しないアミノ酸配列を示す。
【００２８】
「送達複合体」はターゲッティング方法(たとえば標的細胞表面への遺伝子、タンパク質、ポリペプチドまたはペプチドのより親和性の高い結合および／または標的細胞による細胞内または核内取り込みの増大をもたらす分子)を意味する。ターゲッティング方法の例には：ステロール類(たとえばコレステロール)、脂質(たとえば陽イオン性脂質、バイロソームまたはリポソーム)、ウイルス(たとえばアデノウイルス、アデノ関連ウイルス、およびレトロウイルス)または標的細胞特異的結合物質(たとえば標的細胞特異的受容体に認識されるリガンド)が含まれる。好ましい複合体は、標的細胞による内在化の前の顕著な解離を防ぐため、in vivoで十分に安定である。しかし、遺伝子、タンパク質、ポリペプチドまたはペプチドが機能する形で放出されるように、複合体は適当な条件下で細胞内で切断しうる。
【００２９】
よく知られているように、遺伝子は各個体のゲノム内で単一または複数コピーで存在しうる。そのような複製遺伝子は同一でありえ、またはヌクレオチド置換、付加または欠失を含むある修飾を有する可能性があり、それはすべてなお実質的に同じ活性を有するポリペプチドをコードする。「htrbポリペプチドをコードするDNA配列」はしたがって、特定個体の中の一またはそれ以上の遺伝子を指しうる。
【００３０】
さらに、生物個体間でヌクレオチド配列中にある差異が存在しえ、これは対立遺伝子と呼ばれる。そのような対立遺伝子差はコードされたポリペプチドのアミノ酸配列の差を生じなお同じ生物学的活性を持つポリペプチドをコードする結果になりまたならない可能性がある。
【００３１】
「同等な」の語は機能的に同等なポリペプチドをコードするヌクレオチド配列を含むと理解される。同等なヌクレオチド配列はたとえば対立遺伝子変異体のように一またはそれ以上のヌクレオチド置換、付加または欠失で異なる配列を含み；したがって、たとえば遺伝子コードの縮重のために、配列番号１および３に示された核酸のヌクレオチド配列とは異なる配列を含む。
【００３２】
ここで用いられる「ハプロタイプ」の語は、統計的に有意な水準で一緒にグループとして受け継がれる(連鎖不均衡にある)対立遺伝子の組を指すことが意図される(Pcorr<0.05)。ここで用いられるように、「htrbハプロタイプ」の語句は、htrb遺伝子配列の多型変異を含みうるhtrb遺伝子座のハプロタイプを指す。
【００３３】
「相同性」または「同一性」または「類似性」は、二つのペプチド間または二つの核酸分子間の配列類似性を指す。相同性は、比較の目的で並べられた個々の配列のある位置を比較することで測定しうる。比較された配列のある位置が同一の塩基またはアミノ酸で占められているとき、それらの分子はその位置で同一である。核酸配列間の相同性または類似性または同一性の程度は、核酸配列に共通する位置の同一のつまりマッチするヌクレオチドの数の関数である。アミノ酸配列の同一性の程度は、アミノ酸配列に共通する位置の同一のアミノ酸の数の関数である。アミノ酸配列の相同性または類似性の程度は、アミノ酸配列に共通する位置の、つまり構造的に関連するアミノ酸の数の関数である。「非関連」または「非相同」配列は、本発明のhtrb配列の一つについて同一性が40%より小さく、しかし好ましくは同一性が25%より小さい。ここで用いられるように、「htrb」の語はショウジョウバエtribbles遺伝子の哺乳類相同遺伝子、またはその同等なものを指す。ここで用いられるように、htrbの語は、そのストレスキナーゼ阻害活性に基づくhtrbの別名である「SKIP」遺伝子またはタンパク質の語と相互に交換しうるように用いられている(すなわちStress Kinase Inhibitor ProteinのSKIPであり、ここでhtrb-1はSKIP-1と相互に交換しうるように用いられている)。さらにここで用いられるように、htrb-3遺伝子はまたSKIP-3遺伝子とも言われる。
【００３４】
「htrb核酸」の語は、配列番号１または３を有する核酸またはその断片、その相補体、およびその誘導体といったhtrbタンパク質をコードする核酸を指す。
【００３５】
「htrbポリペプチド」および「htrbタンパク質」の語は、配列番号１または３他に示すアミノ酸配列を含むポリペプチド、またはその断片、およびその相同遺伝子を含み、またアゴニストおよびアンタゴニストポリペプチドを含む。
【００３６】
「htrb結合パートナー」または「htrbBP」は、htrbタンパク質と結合するさまざまな細胞タンパク質を指す。
【００３７】
「htrb治療薬」の語は、htrbポリペプチドのさまざまな形、また類似構造ペプチド、核酸、または小分子であって、htrbポリペプチドの少なくとも一つの活性、たとえばhtrb受容体との相互作用および／または受容体補因子との相互作用、を天然htrbポリペプチドの作用を模倣または増強する(作用する)または阻害する(拮抗する)ことによって調節できるものを指す。野生型htrbポリペプチドの活性を模倣または増強するhtrb治療薬は「htrbアゴニスト」である。逆に、野生型htrbポリペプチドの活性を阻害するhtrb治療薬は「htrbアンタゴニスト」である。
【００３８】
「増大するリスク」は、特定の多型対立遺伝子を持たない集団の構成員における疾患または状態の出現頻度と比較して、特定の多型対立遺伝子を持つ個体における疾患または状態の統計的により高い出現頻度を指す。
【００３９】
ここで用いられる「相互作用する」の語は、自然状態でのタンパク質-タンパク質、タンパク質-核酸、核酸-核酸、およびタンパク質-小分子または核酸-小分子間の相互作用といった、分子間の検出可能な関係または関連(たとえば生化学的相互作用)を含むことを意図する。
【００４０】
DNAまたはRNAといった核酸についてここで用いられる「単離された」の語は、その巨大分子の自然の起源中に存在する他のDNAまたはRNAからそれぞれ分離された分子を指す。たとえば、対象htrbポリペプチドの一つをコードする単離された核酸は、好ましくは天然にはゲノムDNA中でhtrb遺伝子に直接隣り合う核酸配列の10キロ塩基(kb)しか含まず、より好ましくはそのような自然にみられる隣接配列の5kbしか含まず、そして非常に好ましくはそのような自然にみられる隣接配列の1.5kb未満を含む。ここで用いられる単離されたの語はまた、組み換えDNA技術で生産された場合は細胞物質、ウイルス物質、または培地を実質的に含まない、あるいは化学的に合成された場合は化学的前駆体または他の化学物質を実質的に含まない、核酸またはペプチドを指す。さらに、「単離された核酸」は、断片としては自然に発生せず自然状態ではみられない核酸断片を含むことを意図する。「単離された」の語はまた他の細胞タンパク質から単離されたポリペプチドを指すようにここで用いられ、精製および組み換えポリペプチドの両方を含むことを意図する。
【００４１】
「ノックイン」遺伝子導入動物は、そのゲノムに導入された修飾遺伝子を有する動物を指し、その修飾遺伝子は外因性または内因性起源でありうる。
【００４２】
「ノックアウト」遺伝子導入動物は、内因性遺伝子の発現の部分的または完全な抑制(たとえば、少なくとも遺伝子の一部の欠失、別の配列による少なくとも遺伝子の一部の置換、終止コドンの導入、決定的なアミノ酸をコードする塩基の変異、またはイントロン結合部の除去、などに基づく)がある動物を指す。好適な実施形態において、修飾された内因性遺伝子に対応する「ノックアウト」遺伝子遺伝子座は、機能するポリペプチド活性をもうコードせず、「無効」対立遺伝子と呼ばれる。したがって、本発明のノックアウト遺伝子導入動物は、htrb無効対立遺伝子ヘテロ接合動物のように一つのhtrb遺伝子無効変異を有するもの、およびhtrb無効対立遺伝子ホモ接合動物のように二つのhtrb遺伝子無効変異を有するものを含む。
【００４３】
「ノックアウト構造」は、細胞の内因性DNA配列によってコードされたタンパク質の発現を低下または抑制するのに用いることができる核酸配列を指す。簡単な例では、ノックアウト構造はhtrb遺伝子のような遺伝子からなり、そこから活性なタンパク質が発現できないように遺伝子の決定的な部分に欠失を有する。あるいは、いくつかの終止コドンを天然の遺伝子に加え、タンパク質を早く終止させまたはイントロン結合を不活性化させることができる。典型的なノックアウト構造では、遺伝子の一部が選択マーカー(たとえばneo遺伝子)で置換されているので、遺伝子は次のように表すことができる：htrb5’/neo/htrb3’、ここでhtrb5’およびhtrb3’は、htrb遺伝子の一部と比べてそれぞれ上流および下流にあるゲノムまたはcDNA配列を指し、neoはネオマイシン耐性遺伝子を指す。別のノックアウト構造では、もう一つの選択マーカーが隣接位置に加えられているので、遺伝子は次のように表すことができる：htrb/neo/htrb/TK、ここでTKはチミジンキナーゼ遺伝子であって、先の構造のhtrb5'またはhtrb3'配列のどちらかに加えることができ、さらに適当な培地中でこれに対して選択することができる(すなわち陰性選択マーカーである)。この２マーカー構造によって、隣接するTKマーカーを除去する相同組み換え現象を、典型的にはTK配列を保持する非相同組み換え現象から選択することが可能である。遺伝子欠失および／または置換はエキソン、イントロン、特にイントロン結合部、および／またはプロモータのような調節領域からでありうる。
【００４４】
「連鎖不均衡」は、あるコントロール集団において二つの対立遺伝子が個々の対立遺伝子の別々の出現頻度から予測されるより大きい頻度で共に遺伝することを指す。独立して遺伝する二つの対立遺伝子の予想出現頻度は、第一の対立遺伝子の頻度に第二の対立遺伝子の頻度をかけたものである。予想された頻度で共に出現する対立遺伝子は「連鎖均衡」にあるといわれる。連鎖不均衡の原因はしばしば不明である。それはある対立遺伝子の組み合わせについての選択、または遺伝的に不均一な集団との最近の混合による可能性がある。さらに、疾患遺伝子と非常に密に連鎖したマーカーの場合は、疾患変異が近い過去に起こったので特定の染色体領域での組み換え現象を通じて平衡に達するための十分な時間が経っていないと、対立遺伝子(または連鎖した対立遺伝子の群)と疾患遺伝子との関連が予測される。一より多い対立遺伝子から成る対立遺伝子パターンをいうとき、第一の対立遺伝子パターンを構成するすべての対立遺伝子が第二の対立遺伝子パターンの少なくとも一つの対立遺伝子と連鎖不均衡にあるならば、第一の対立遺伝子パターンは第二の対立遺伝子パターンと連鎖不均衡にある。連鎖不均衡の一例は、IL-1RN(+2018)の対立遺伝子とIL-1RN(VNTR)多型部位との間に生じるものである。IL-1RN(+2018)の二つの対立遺伝子はEL-1RN(VNTR)の二つの非常に頻度の高い対立遺伝子、これらは対立遺伝子1および対立遺伝子2であるが、これらと100%連鎖不均衡にある。
【００４５】
「マーカー」の語は、個体間で異なることが知られているゲノム中の配列を指す。たとえば、IL-1RN遺伝子はタンデムリピート数変異(VNTR)から成るマーカーを有する。
【００４６】
ここで用いられる「調節」の語はアップレギュレーション(すなわち、活性化または刺激(たとえば、作用するまたは増強することによって))およびダウンレギュレーション(すなわち阻害または抑制(たとえば、拮抗する、減少させるまたは阻害することによって))の両方を指す。
【００４７】
「変異遺伝子」の語は、変異遺伝子を有しない対象と比較して変異遺伝子を有する対象の表現型を変化させることのできる遺伝子の対立遺伝子の形を指す。ある対象がこの変異について変化した表現型を持つにはホモ接合でなければならない場合、その変異は劣性であるといわれる。対象の表現型を変化させるのに変異遺伝子の一コピーで十分である場合、その変異は優性であるといわれる。対象が変異遺伝子の一コピーを有し(その遺伝子について)ホモ接合とヘテロ接合の中間の表現型を有する場合、その変異は相互優性であるといわれる。
【００４８】
本発明の「非ヒト動物」は、げっ歯類、非ヒト霊長類、ヒツジ、イヌ、ウシといった哺乳類、ニワトリ、両生類、爬虫類、などを含む。好ましい非ヒト動物はラットおよびマウスを含むげっ歯類から選択され、非常に好ましくはマウスであるが、Xenopus属の仲間のような遺伝子導入両生類、および遺伝子導入ニワトリもまた、たとえば胚発生や組織形成を理解しそれらに影響する物質を同定する重要な手段を提供することができる。「キメラ動物」の語はここでは、組み換え遺伝子がみられる動物または組み換え遺伝子が個体のすべてではなく一部の細胞で発現している動物を指すように用いられる。「組織特異的キメラ動物」の語は、一部の組織で組み換えhtrb遺伝子の一つが存在するおよび／または発現しているまたは妨害されているが他の組織ではみられないことを指す。
【００４９】
ここで用いられるように、「核酸」の語はポリヌクレオチドまたはオリゴヌクレオチド、たとえばデオキシリボ核酸(DNA)および、適当な場合は、リボ核酸(RNA)を指す。この語はまた、同等なものとして、ヌクレオチドアナログから作られ、記載の実施例にあてはまるような、一本鎖(センスまたはアンチセンス)および二本鎖ポリヌクレオチドRNAまたはDNAアナログを含むと解されるべきである。
【００５０】
「配列番号xに示すヌクレオチド配列と相補的なヌクレオチド配列」の語は、配列番号xを有する核酸鎖の相補鎖のヌクレオチド配列を指す。「相補鎖」の語はここでは「相補体」の語と交換可能に用いられる。核酸鎖の相補体はコード鎖の相補体または非コード鎖の相補体でありうる。二本鎖核酸をいうとき、配列番号xを有する核酸の相補体は、配列番号xを有する鎖の相補鎖、または配列番号xの相補鎖のヌクレオチド配列を有する任意の核酸を指す。ヌクレオチド配列 配列番号xを有する一本鎖核酸をいうとき、この核酸の相補体は、配列番号xのヌクレオチド配列と相補的なヌクレオチド配列を有する核酸である。ヌクレオチド配列およびその相補配列は常に5'から3’方向で与えられる。
【００５１】
「パーセント同一」の語は、二つのアミノ酸配列間または二つのヌクレオチド配列間の配列同一性を指す。同一性は、比較の目的で並べられた個々の配列のある位置を比較することによって決定しうる。比較された配列の同等な位置が同一の塩基またはアミノ酸で占められているとき、それらの分子はその位置について同一である；同等な部位が同一または類似のアミノ酸残基で占められているとき(たとえば、立体的および／または電気的性質が類似である)、それらの分子はその部位について相同(類似)であるということができる。相同性、類似性、または同一性のパーセンテージとしての発現は、比較された配列に共通する位置の、同一または類似のアミノ酸の数の関数を指す。相同性、類似性、または同一性のパーセンテージとしての発現は、比較された配列に共通する位置の、同一または類似のアミノ酸の数の関数を指す。FASTA、BLAST、またはENTREZを含むさまざまな配置アルゴリズムおよび／またはプログラムを用いることができる。FASTAおよびBLASTはGCG配列分析パッケージ(University of Wisconsin, Madison, Wis.)の一部として利用可能であり、たとえばと現在の設定と共に用いることができる。ENTREZはNational Center for Biotechnology Information, National Library of Medicine, National Institutes of Health, Bethesda, Mdを通じて利用可能である。一実施形態では、二つの配列のパーセント同一性は、たとえば、二つの配列間の単一のアミノ酸またはヌクレオチドミスマッチであるように個々のアミノ酸ギャップが重みづけられる、ギャップ重み1としたGCGプログラムによって決定することができる。
【００５２】
配置の他の技術は非特許文献１１に記載されている。好ましくは、配列を配置するのに、配列中のギャップを容認する配置プログラムが用いられる。Smith-Watermanは配列配置中にギャップを容認するアルゴリズムの一つの形である。非特許文献１２を参照。また、Needleman and Wunsch配置方法を用いるGAPプログラムを利用して配列を配置することができる。他の検索戦略は、MASPARコンピュータ上で動作するMPSRCHソフトウェアを用いる。MPSRCHは超並列コンピュータ上でSmith-Watermanアルゴリズムを用いて配列スコアを付ける。この手法は、遠く関連した組み合わせを拾い出す能力を改善し、特に小さなギャップおよびヌクレオチド配列エラーに耐性である。核酸にコードされたアミノ酸配列を、タンパク質とDNAデータベース両方の検索に用いることができる。
【００５３】
個々の配列を含むデータベースが上記の非特許文献１１に記載されている。データベースにはGenbank、EMBL、DNA Database of Japan(DDBJ)が含まれる。
【００５４】
好ましい核酸は、本発明の配列番号の一に示された配列の核酸配列と、少なくとも70%、より好ましくは80%同一な、そしてより好ましくは90%そしてさらにより好ましくは少なくとも95%同一な配列を有する。配列番号１から２の一つに示された核酸配列と、少なくとも90%、より好ましくは95%、そして非常に好ましくは少なくとも約98〜99%同一な核酸は、もちろん本発明の範囲内である。好適な実施形態においては、核酸は哺乳類のものである。新しい核酸を既知の配列と比較するとき、いくつかの配置ツールが利用できる。例にはPileUpが含まれ、これは複数の配列配置を作成するもので、非特許文献１３に記載されている。別の方法であるGAPは、非特許文献１４の配置方法を用いる。GAPは配列の全体配置に最も適している。第三の方法であるBestFitは、非特許文献１５の部分相同性アルゴリズムを用いて、ギャップを挿入することによってマッチの数を最大化するように働く。
【００５５】
「多型」の語は、遺伝子またはその一部(たとえば、対立遺伝子変異体)一つより多い形の共存を指す。少なくとも二つの異なる形がある遺伝子の一部、すなわち二つの異なるヌクレオチド配列は、「遺伝子の多型領域」といわれる。多型領域は、異なる対立遺伝子ではその同一性が異なる単一ヌクレオチドでありうる。多型領域はまた、数ヌクレオチドの長さでありうる。
【００５６】
「多型遺伝子」は、少なくとも一つの多型領域を有する遺伝子を指す。
【００５７】
ここで用いられるように、「プロモータ」の語は、動作するようにプロモータに結合した、選択されたDNA配列の発現を制御するDNA配列を意味し、またこれは細胞中で選択されたDNA配列の発現に作用する。この語は「組織特異的」プロモータ、すなわち特異的細胞(たとえば特定の組織の細胞)においてのみ選択されたDNA配列の発現に作用するプロモータを含む。この語はまた、選択されたDNA配列の発現を主に一つの組織中で調節するが、他の組織でも発現を引き起こす、いわゆる「リーキー」プロモータも含む。この語はまた、非組織特異的プロモータおよび構成的に発現するまたは誘導可能な(つまり、発現レベルを制御しうる)プロモータを含む。.
「疾患傾向」、また疾患「素因」あるいは「感受性」または任意の類似した語句は、あるhtrb遺伝子座多型対立遺伝子が特定の疾患に関連しているまたは予測となることが発見されたことを意味する。対立遺伝子はしたがって、健常陣と比べて疾患を有する個人で過剰な頻度に示される。ゆえに、これらの対立遺伝子は、発症前または罹患前の個人においてさえ疾患を予測するのに用いることができる。
【００５８】
「タンパク質」、「ポリペプチド」および「ペプチド」の語は、遺伝子産物をいうときはここでは相互に交換しうるように用いられる。
【００５９】
「組み換えタンパク質」の語は、組み換えDNA技術によって作られた本発明のポリペプチドを指し、そこでは一般的にはhtrbポリペプチドをコードするDNAが適当な発現ベクターに挿入され、それが今度は宿主細胞を形質転換し異種タンパク質を産生させるのに用いられる。さらに、「に由来する」の語は、組み換えhtrb遺伝子に関しては、is meant to include「組み換えタンパク質」の意味の中で、天然htrbポリペプチドのアミノ酸配列、またはそのポリペプチドの自然に見られる形の、置換および欠失(欠落を含む)を含む変異によって生じたそれと類似のアミノ酸配列を有するタンパク質を含むことを意図する。
【００６０】
「小分子」は、ここで用いられるように、約5kD未満の分子量を有し、そして非常に好ましくは約4kD未満の分子量を有する組成物を指すことを意図する。小分子は can be 核酸、ペプチド、ポリペプチド、類似構造ペプチド、炭水化物、脂質または他の有機(炭素を含む)または無機分子でありうる。多くの製薬会社は化学および／または、しばしば真菌、細菌、または藻類抽出物である生物学的混合物の大規模なライブラリを有しており、それはhtrb生物活性を調節する化合物を同定するために本発明の任意の検定法を用いてスクリーニングされうる。
【００６１】
ここで用いられるように、「特異的にハイブリダイズする」または「特異的に検出する」の語は本発明の核酸分子が、脊椎動物、好ましくはhtrb遺伝子の連続する少なくとも約6、12、20、30、50、100、150、200、300、350、400または425ヌクレオチドとハイブリダイズする能力を指す。
【００６２】
「転写調節配列」は本明細書を通じて用いられる総称的な語であり、作用のために結合したタンパク質コード配列の転写を誘導または制御する、たとえば開始シグナル、エンハンサー、およびプロモータといったDNA配列を指す。好適な実施形態においては、htrb遺伝子のひとつの転写は、発現が意図される細胞型における組み換え遺伝子発現を制御するプロモータ配列(または他の転写調節配列)の制御下にある。組み換え遺伝子は、htrbポリペプチドの天然に見られる形の転写を制御する配列と同一または異なる転写調節配列の制御下に存在しうることもまた理解される。
【００６３】
ここで用いられるように、「導入」の語は、たとえば、発現ベクターを介した受容細胞への核酸媒介遺伝子伝達による核酸の導入を意味する。「形質転換」は、ここで用いられるように、外因性DNAまたはRNAの細胞内取り込みの結果として細胞の遺伝子型が変化する過程を指し、そして、たとえば、形質転換した細胞はhtrbポリペプチドの組み換え形を発現するかまたは、導入遺伝子からのアンチセンス発現の場合は、htrbポリペプチドの天然にみられる形の発現は妨害される。
【００６４】
ここで用いられるように、「導入遺伝子」の語は、細胞に導入された核酸配列(たとえば、htrbポリペプチドの一つ、またはそのアンチセンス転写物をコードする)を意味する。導入遺伝子は、導入される遺伝子導入動物または細胞にとって部分的にまたは完全に異種であるすなわち外来であるか、あるいは導入される遺伝子導入動物または細胞の内因性遺伝子に相同であるが挿入される細胞のゲノムを変化させるような方法でその動物のゲノムに挿入されるように設計されているかまたは挿入される(たとえば、天然の遺伝子とは異なる位置に挿入されるかまたはその挿入の結果としてノックアウトが起こる)。導入遺伝子はまたエピソームの形で細胞内に存在しうる。導入遺伝子は一またはそれ以上の転写調節配列および、選択された核酸の最適発現に必要でありうるたとえばイントロンのような任意の他の核酸を含みうる。
【００６５】
「遺伝子導入動物」は、その動物の細胞の一またはそれ以上がたとえば既知の遺伝子導入技術によって人為的に導入された異種核酸を含む任意の動物、好ましくは非ヒト哺乳類、鳥類または両生類を指す。核酸は直接または間接に、遺伝子導入によって細胞の前駆体へ、マイクロインジェクションによってまたは組み換えウイルス感染にによってといった意図的な遺伝子操作で、細胞へ導入される。遺伝子操作は、古典的な交配、またはin vitro受精を含まず、組み換えDNA分子の導入を指す。この分子は染色体内に一体化される可能性があり、,または余分の染色体のように複製されるDNAである可能性がある。ここに記載する典型的な遺伝子導入動物では、導入遺伝子はES細胞に、たとえばアゴニストまたはアンタゴニストのいずれかの形の、htrbポリペプチドの組み換え形を発現させる。しかし、組み換え htrb遺伝子がサイレントである遺伝子導入動物もまた考えられ、例としては下記に示すFLPまたはCREリコンビナーゼ依存性構造である。さらに、「遺伝子導入動物」はまた、一またはそれ以上のhtrb遺伝子の遺伝子妨害が、組み換えおよびアンチセンス技術の両方を含む人為的方法で引き起こされた組み換え動物も含む。
【００６６】
ここで用いられる「治療」の語は、状態または疾患の少なくとも一つの症状を治癒ならびに改善を含むことを意図する。
【００６７】
「ベクター」の語は、連鎖した別の核酸を輸送することのできる核酸分子を指す。好ましいベクターの一つの型は、エピソーム、すなわち過剰染色体の複製が可能な核酸である。好ましいベクターは、自律的複製および／または連鎖した核酸の発現を行うことのできるものである。作用のために連鎖している遺伝子の発現を支持することのできるベクターはここでは「発現ベクター」と呼ばれる。一般的に、組み換えDNA技術で有用な発現ベクターはしばしば「プラスミド」の形でありこれは一般的に、ベクターの形では染色体に結合していない環状二本鎖DNA環を指す。プラスミドはベクターのもっとも広く用いられる形であるため、本明細書において、「プラスミド」および「ベクター」は相互に交換しうるように用いられる。しかし、本発明は、同等な機能を発揮し後に既知となる他の形の発現ベクターを含むことを意図する。
【００６８】
「野生型対立遺伝子」の語は、二つのコピーが対象に存在するとき結果として野生型表現型を生じる、ある遺伝子の対立遺伝子を指す。遺伝子中のあるヌクレオチド変化は、そのヌクレオチド変化を有する遺伝子の二つのコピーを有する対象の表現型に影響しない可能性があるため、ある特定の遺伝子にはいくつかの異なる野生型対立遺伝子が存在しうる。
【００６９】
4.3. 本発明の核酸
本発明はhtrb核酸、その相同遺伝子、およびその一部を提供する。好ましい核酸は、たとえばGenBank Accession Nos.: htrb-1(AF250310)およびhtrb-3(AF250311)を有するhtrb核酸の配列番号  １または３の一つに示す配列またはその相補体のようなhtrb遺伝子のヌクレオチド配列と、少なくとも約60%、61%、62%、63%、64%、65%、66%、67%、68%、69%、70%、71%、72%、73%、74%、75%、76%、77%、78%、79%、80%、そしてより好ましくは85%相同そしてより好ましくは90%そしてより好ましくは95%そしてさらにより好ましくは少なくとも99%相同である配列を有する。配列番号１または３に示す核酸配列またはその相補体と、少なくとも90%、より好ましくは95%、そして非常に好ましくは少なくとも約98〜99%同一である核酸もまた、もちろん本発明の範囲内にある。好適な実施形態においては、その核酸は哺乳類由来であり、そして特に好適な実施形態においては、htrb-1およびhtrb-3のOKFにそれぞれ対応する配列番号１または３に示す核酸のコード領域に対応するヌクレオチド配列のすべてまたは一部を含む。
【００７０】
本発明はさらに、htrb遺伝子の哺乳類相同遺伝子の両方にコードされた、htrb転写物の3'UTR(非翻訳領域)にみられる進化上保存された核酸配列を提供し、これはさらに詳細に下記の実施例に記載する。
【００７１】
本発明はまた、htrbポリペプチドをコードするヌクレオチド配列、そのような核酸の変異体および／または同等なものを含む単離された核酸に関する。同等なの語は、機能的に同等なhtrbポリペプチドまたは、ここに記載するようなhtrbタンパク質の活性を有する機能的に同等なペプチドをコードするヌクレオチド配列を含むと理解される。同等なヌクレオチド配列は、対立遺伝子変異体のように一またはそれ以上のヌクレオチド置換、付加または欠失で異なる配列を含み；したがって、遺伝子コードの縮重のために配列番号１、２、３、または４に示すhtrb遺伝子のヌクレオチド配列と異なる配列を含む。
【００７２】
好ましい核酸は脊椎動物htrb核酸である。特に好ましい脊椎動物htrb核酸は哺乳類のものである。生物種にかかわらず、特に好ましいhtrb核酸は、脊椎動物htrbタンパク質のアミノ酸配列と少なくとも60%、65%、70%、72%、74%、76%、78%、80%、90%、または95%類似または同一のポリペプチドをコードする。一実施形態では、核酸は対象のhtrbポリペプチドの少なくとも一つの生物活性を有するポリペプチドをコードするcDNAである。好ましくは、核酸は配列番号１または３の核酸に対応するヌクレオチド配列のすべてまたは一部を含む。
【００７３】
本発明のさらに他の好ましい核酸は、少なくとも2、5、10、25、50、100、150または200アミノ酸残基を含むhtrbポリペプチドをコードする。たとえば、そのような核酸は約50、60、70、80、90、または100塩基対を含みうる。また、プローブ/プライマーまたはアンチセンス分子(すなわち非コード核酸分子)として用いられる少なくとも長さ約6、12、20、30、50、60、70、80、90または100塩基対を含みうる核酸分子は、本発明の範囲内にある。
【００７４】
本発明の別の側面は、ストリンジェントな条件下で配列番号１または３で示される核酸またはその相補体またはATCC Designation No. XXXXXXまたはNo. XXXXXXを有する核酸とハイブリダイズする核酸を提供する。DNAハイブリダイゼーションを促進する適当なストリンジェントな条件、たとえば、約45℃で6.0x塩化ナトリウム/クエン酸ナトリウム(SSC)、続いて50℃で2.0xSSCで洗浄、は当業者に既知であり、または非特許文献１６または非特許文献１７に見ることができる。たとえば、洗浄段階の塩濃度は2.0xSSCの低ストリンジェントから50℃で約0.2xSSCの高ストリンジェントまでから選択することができる。さらに、洗浄段階の温度は低ストリンジェントな条件の室温約22℃から高ストリンジェントな条件の約65℃まで上げることができる。温度および塩の両方を変化させることができ、または温度および塩濃度を一定に保ちもう一方の変数を変化させることができる。好適な一実施形態においては、本発明のhtrb核酸は、一つのof配列番号１または３またはその相補体と、たとえば約2.0xSSCおよび約40℃の中等度のストリンジェントな条件下で結合する。特に好適な一実施形態においては、本発明のhtrb核酸は、一つの配列番号１または３またはその相補体と高ストリンジェントな条件下で結合する。特に好ましい一実施形態では、本発明のhtrb核酸配列はhtrbのOKF核酸配列に対応する一つの配列番号１または３の一部と高ストリンジェントな条件下で結合する。
【００７５】
遺伝子コードの縮重のために、本発明の一つの配列番号１または３に示されるヌクレオチド配列またはその相補体と異なる配列を有する核酸もまた本発明の範囲内にある。そのような核酸は機能的に同等なペプチド(すなわち、htrbポリペプチドの生物学的活性を有するペプチド)をコードするが、遺伝子コードの縮重のために、配列リストに示された配列とは配列が異なる。たとえば、いくつかのアミノ酸は一つより多いトリプレットに指定される。同一アミノ酸を指定するコドン、つまり同義コドン(たとえば、CAUとCACはそれぞれヒスチジンをコードする)はその結果、htrbポリペプチドのアミノ酸配列に影響しない「サイレント」変異を生じうる。しかし、対象のhtrbポリペプチドのアミノ酸配列に結びつかないDNA配列多型が哺乳類の間に存在すると考えられている。当業者は、htrbポリペプチドの活性を有するポリペプチドをコードする核酸の一またはそれ以上のヌクレオチド(たとえば、そのヌクレオチドの最大約3〜5%)におけるこれらの変異が、自然の対立遺伝子変異のために任意の種の個体間に存在しうることを認めると考えられる。
【００７６】
4.3.1 プローブおよびプライマー
哺乳類生物由来のhtrb遺伝子のクローニングから決定されたヌクレオチド配列からさらに、たとえば他の組織からの、また他の哺乳類生物からのhtrb相同遺伝子といった、他の細胞型において他のhtrb相同遺伝子を同定および／またはクローニングするのに用いるために設計されたプローブおよびプライマーを作ることができる。たとえば、本発明はまた、実質的に純粋なオリゴヌクレオチドを含むプローブ/プライマーを提供し、そのオリゴヌクレオチドは、本発明の配列番号１または３から選択されたセンスまたはアンチセンス配列の少なくとも約12、好ましくは25、より好ましくは40、50または75の連続するヌクレオチドと、ストリンジェントな条件下でハイブリダイズするヌクレオチド配列の領域を含む。たとえば、配列番号１または３に示される核酸に基づくプライマーを、htrbポリペプチドをコードする遺伝子をクローンするためのPCR反応において用いることができる。
【００７７】
好適な実施形態においては、htrbプライマーは、特異性を最適化し、プライミングの効率に影響する二次構造を回避するように本発明の最適化されたPCRプライマーは、「上流」および「下流」プライマーがほぼ等しい融点を有し、式Tm=81.5 C - 16.6(log10[Na+]) + 0.41(%G+C) - 0.63(%ホルムアミド) - (600/長さ);またはTm( Q= 2(A/T) + 4(G/C)によって推定されるように設計されている。最適化されたhtrbプライマーはまた、Whitehead Institute for Biomedical Research（http://www-genome.wi.mit.edu/cgi-bin/primer/primer.cgi）によって提供される「Primer3」のようなさまざまなプログラムを用いて設計することができる。
【００７８】
好適な実施形態においては、htrbプローブおよびプライマーを用いて、htrb遺伝子配列の内部および周辺で起こるhtrb遺伝子座多型を検出することができる。htrb遺伝子座内での遺伝的変異は、htrbにコードされるポリペプチドが重要な病因的役割を果たす炎症性および自己免疫疾患といったいくつかのヒト疾患および状態の進行の可能性と関連していると思われる。したがって、本発明はヒトおよびマウスhtrb遺伝子に関連する多型を含むhtrb遺伝子座多型についてのプローブおよびプライマーを提供する。本発明のPCRプライマーは、htrbヒト多型に隣接するものを含み、ゲノムのこの領域の増幅および分析を可能にする。多型対立遺伝子同一性の分析は、たとえば、直接配列決定によって、または対立遺伝子 特異的捕捉プローブを用いてまたはby the use of 分子ビーコンプローブを用いて行うことができる。あるいは、多型対立遺伝子はPCR産物内に制限酵素認識部位を生じまたは消失させることによって直接検出することができ、または適当な配列修飾が少なくとも一つのプライマー中に設計されてのち、少なくとも一つの対立遺伝子と組み合わせて独特の制限部位を生じるがその多型の少なくとも一つの他の対立遺伝子とは生じないように、プライマーの改変された配列が特異的htrb多型対立遺伝子の増幅で得られたPCR産物に組み込まれるとき、タンデムリピート数変異(VNTR)多型に対応するhtrb多型が電気泳動移動度、したがってVNTRに隣接するプライマーを用いて得られたPCR産物の大きさによって検出されうる。適当なhtrb遺伝子座プローブおよびヒトまたは非ヒト動物といった適当な被験生物から得られたゲノムDNAまたはcDNAを用いたサザンブロット上のバンドの移動度によって、制限断片長多型(RFLPs)に対応するさらに他のhtrb多型が直接検出されうる。
【００７９】
同様に、予知または診断分析(さらに下記に示す)に用いるための同一または相同タンパク質をコードする転写物またはゲノム配列を、対象htrb配列に基づくプローブを用いて検出することができる。本発明は、本発明の配列番号１または３にみられる任意の配列と相補的な少なくとも12の連続するヌクレオチドに対応するもののような、htrb転写物の選択的スプライス変異体に共通するプローブを提供する。さらに、本発明は転写物の選択的スプライスされた形と特異的にハイブリダイズするプローブを提供する。プローブおよびプライマーは、たとえば他の型の核酸について前述した通りに、調製および修飾することができる。
【００８０】
4.3.2 アンチセンス、リボザイムおよび三重らせん技術
本発明の別の側面は、単離された核酸の「アンチセンス」治療における利用に関する。ここで用いられるように、「アンチセンス」治療は、一またはそれ以上の対象htrbタンパク質をコードする細胞mRNAおよび／またはゲノムDNAと、たとえば転写および／または翻訳を阻害することによってそのタンパク質の発現を阻害するように、細胞条件下で特異的にハイブリダイズする(たとえば結合する)オリゴヌクレオチド分子またはその誘導体の投与またはin situ生成を指す。結合は従来の塩基対相補性により、または、たとえばDNA二重らせんに結合する場合には、二重らせんの主溝における特異的相互作用を通じて起こる。一般に、「アンチセンス」治療は当該分野で一般に用いられる範囲の技術を指し、そしてオリゴヌクレオチド配列への特異的結合に依存する任意の治療を含む。
【００８１】
本発明のアンチセンス構造はたとえば、細胞内で転写されるときhtrbタンパク質をコードする細胞mRNAの少なくとも特有の部分と相補的なRNAを産生する発現プラスミドとして送達しうる。あるいは、アンチセンス構造は、ex vivoで産生され、細胞内に導入されたとき、htrb遺伝子のmRNAおよび／またはゲノム配列とのハイブリダイズによって発現の阻害を引き起こす、オリゴヌクレオチドプローブである。そのようなオリゴヌクレオチドプローブは、好ましくは、たとえばエキソヌクレアーゼおよび／またはエンドヌクレアーゼといった内因性ヌクレアーゼに耐性の、そしてしたがってin vivoで安定である修飾オリゴヌクレオチドである。アンチセンスオリゴヌクレオチドとして用いられる典型的な核酸分子は、DNAのホスホラミデート、ホスホチオエート、およびメチルホスホネートアナログである(特許文献１から３も参照)。加えて、アンチセンス治療に有用なオリゴマーの作成のための一般的手法は、たとえば、非特許文献１８;および非特許文献１９の総説がある。アンチセンスDNAに関しては、たとえば対象htrbヌクレオチド配列の-10と+10の間の領域といった、翻訳開始部位由来のオリゴデオキシリボヌクレオチドが好ましい。
【００８２】
アンチセンス手法は、htrbmRNAと相補的なオリゴヌクレオチド(DNAまたはRNAのいずれか)の設計を含む。アンチセンスオリゴヌクレオチドはhtrbmRNA転写物と結合し、翻訳を妨げる。完全な相補性は、好ましいが、必要ではない。二本鎖アンチセンス核酸の場合、二重らせんDNAの一本鎖がそのようにして試験されうるかまたは、三重らせん形成を測定してもよい。ハイブリダイズする能力は、相補性の程度とアンチセンス核酸の長さの両方に依存する。一般的に、ハイブリダイズ核酸が長いほど、RNAが含みうる塩基ミスマッチは多くなるが、それでも安定な二重らせん(または場合によっては三重らせん)を形成する。当業者は、容認しうる程度のミスマッチを、ハイブリダイズ複合体の融点を測定する標準手順を用いて確認することができる。
【００８３】
たとえばAUG開始コドンまでを含む5'非翻訳配列といったmRNAの5'末端と相補的なオリゴヌクレオチドは、翻訳阻害に非常に効率的に作用する。しかし、mRNAの3'非翻訳配列と相補的な配列は最近、同じようにmRNAの翻訳を阻害するのに効果的であることが示されている。(非特許文献２０)。したがって、htrb遺伝子の5'または3'非翻訳非コード領域のどちらかと相補的なオリゴヌクレオチドは、内因性htrbmRNAの翻訳を阻害するアンチセンス手法で用いることができる。mRNAの5'非翻訳配列と相補的なオリゴヌクレオチドは、AUG 開始コドンの相補体を含むべきである。mRNAコード領域と相補的なアンチセンスオリゴヌクレオチドは、より効率の低い翻訳の阻害因子であるが、また本発明にしたがって用いることができる。htrbmRNAの5'、3'またはコード領域とハイブリダイズするよう設計されているのであっても、アンチセンス核酸は少なくとも長さ6ヌクレオチドであるべきであり、そして好ましくは長さ約100、そしてより好ましくは約 50、25、17または10ヌクレオチド未満である。
【００８４】
標的配列の選択にかかわらず、アンチセンスオリゴヌクレオチドが遺伝子発現を阻害する能力を定量するために、in vitro試験をまず実施することが好ましい。これらの試験は、アンチセンス遺伝子阻害とオリゴヌクレオチドの非特異的生物学的効果とを識別する対照を設けることが好ましい。これらの試験は、標的RNAまたはタンパク質の濃度を内部標準RNAまたはタンパク質の濃度と比較することがまた好ましい。さらに、アンチセンスオリゴヌクレオチドを用いて得られた結果は対照のオリゴヌクレオチドを用いて得られた結果と比較することが想定される。対照オリゴヌクレオチドは試験オリゴヌクレオチドとほぼ同じ長さであること、また対照オリゴヌクレオチドのヌクレオチド配列はアンチセンス配列と比べて、標的配列との特異的ハイブリダイゼーションを防ぐのに必要なだけしか異ならないことが好ましい。
【００８５】
オリゴヌクレオチドは、DNAまたはRNAまたはキメラ混合物または誘導体またはその修飾したもので、一本鎖または二本鎖でありうる。オリゴヌクレオチドは、たとえば分子の安定性、ハイブリダイゼーション、などを改善するために、塩基部分、糖部分、またはリン酸骨格を修飾することができる。オリゴヌクレオチドは、たとえばペプチド(たとえば宿主細胞受容体へターゲッティングするため)、または細胞膜を通した輸送を促進する物質(たとえば、非特許文献２１;非特許文献２２;特許文献４(1988年12月15日公開)を参照)または血液脳関門を通した輸送を促進する物質(たとえば、特許文献５(1988年4月25日公開)を参照)、ハイブリダイゼーションに誘発される分裂物質(たとえば、非特許文献１８を参照)または挿入剤(たとえば、非特許文献２３)といった他の付属基を含みうる。このために、オリゴヌクレオチドは、たとえばペプチド、ハイブリダイゼーションに誘発される架橋剤、輸送物質、ハイブリダイゼーションに誘発される分裂物質、などといったもう一つの分子と結合しうる。
【００８６】
アンチセンスオリゴヌクレオチドは、5-フルオロウラシル、5-ブロモウラシル、5-クロロウラシル、5-イオドウラシル、ヒポキサンチン、キサンチン、4-アセチルシトシン、5-(カルボキシヒドロキシメチル)ウラシル、5-カルボキシメチルアミノメチル-2-チオウリジン、5-カルボキシメチルアミノメチルウラシル、ジヒドロウラシル、β-D-ガラクトシルキューオシン、イノシン、N6-イソペンテニルアデニン、1-メチルグアニン、1-メチルイノシン、2,2-diメチルグアニン、2-メチルアデニン、2-メチルグアニン、3-メチルシトシン、5-メチルシトシン、N6-アデニン、7-メチルグアニン、5-メチルアミノメチルウラシル、5-メトキシアミノメチル-2-チオウラシル、β-D-マンノシルキューオシン、S'-メトキシカルボキシメチルウラシル、5-メトキシウラシル、2-メチルチオ-N6-イソペンテニルアデニン、ウラシル-5-オキシ酢酸(v)、ワイブトキソシン、プソイドウラシル、キュェオシン、2-チオシトシン、5-メチル-2-チオウラシル、2-チオウラシル、4-チオウラシル、5-メチルウラシル、ウラシル-5オキシ酢酸メチルester、ウラシル-5-オキシ酢酸(v)、5-メチル-2-チオウラシル、3-(3-アミノ3-N-2-カルボキシプロピル)ウラシル、(acp3)w、および2,6-ジアミノプリンを含む群から選ばれるがこれに限定されない少なくとも一つの修飾塩基部分を含みうる。
【００８７】
アンチセンスオリゴヌクレオチドはまた、アラビノース、2-フルオロアラビノース、キシルロース、およびヘキソースを含む群から選ばれるがこれに限定されない少なくとも一つの修飾糖部分を含みうる。
【００８８】
アンチセンスオリゴヌクレオチドはまた、中性ペプチド様骨格を含みうる。そのような分子は、ペプチド核酸(PNA)-オリゴマーと呼ばれ、たとえば、非特許文献２４および非特許文献２５に記載されている。PNAオリゴマーの一つの長所は、そのDNAの中性骨格のために、溶媒のイオン強度と本質的に独立して相補的DNAと結合する能力である。さらに別の一実施形態では、アンチセンスオリゴヌクレオチドは、ホスホロチオエート、ホスホロジチオエート、ホスホロアミドチオエート、ホスホロアミデート、ホスホロジアミデート、メチルホスホネート、アルキルホスホトリエステル、およびホルムアセタールまたはそのアナログから成る群より選ばれる少なくとも一つの修飾リン酸骨格を含む。
【００８９】
さらに別の一実施形態では、アンチセンスオリゴヌクレオチドはα-アノマーオリゴヌクレオチドである。α-アノマーオリゴヌクレオチドは、相補的RNAと、通常のβ-ユニットとは逆に鎖が互いに平行する特異的二本鎖ハイブリッドを形成する(非特許文献２６)。オリゴヌクレオチド は2'-O-メチルリボヌクレオチド(非特許文献２７)、またはキメラRNA-DNAアナログ(非特許文献２８)である。
【００９０】
本発明のオリゴヌクレオチドは当該分野で既知である標準的方法、たとえば、自動DNA合成装置(たとえばBiosearch、Applied Biosystems、などから市販されている)を用いて、合成されうる。例としては、ホスホロチオエートオリゴヌクレオチドは非特許文献２９)の方法を用いて合成することができ、メチルホスホネートオリゴヌクレオチドは一定孔径のガラスポリマー担体を用いて合成することができる(非特許文献３０)、などである。
【００９１】
htrbコード領域配列と相補的なアンチセンスヌクレオチドを用いることができる一方、転写された非翻訳領域および開始メチオニンを含む領域領域と相補的なアンチセンスヌクレオチドは非常に好ましい。
【００９２】
アンチセンス分子は、htrbをin vivoで発現する細胞へ送達することができる。アンチセンスDNAまたはRNAを細胞へ送達するいくつかの方法が開発されている;たとえば、アンチセンス分子を直接組織部位へ注射することができ、または目的の細胞を標的とするように設計された修飾アンチセンス分子(たとえば、標的細胞表面に発現された受容体または抗原に特異的に結合するペプチドまたは抗体を結合したアンチセンス)を全身投与することができる。
【００９３】
しかし、内因性mRNAの翻訳を抑制するのに十分なアンチセンスの細胞内濃度を達成するのはある場合には困難である。したがって、好ましい手法は、アンチセンスオリゴヌクレオチドが強力なpolIIIまたはpolIIプロモータの支配下に置かれる組み換えDNA構造を用いる。患者の標的細胞に導入するのにそのような構造を用いることの結果、内因性htrb転写物と相補的塩基対を形成する一本鎖RNAが十分な量転写され、それによってhtrbmRNAの翻訳が防がれる。たとえば、in vivoでベクターを導入することができ、そのためそれが細胞に取り込まれアンチセンスRNAの転写を指示する.そのようなベクターは、転写されて目的のアンチセンスRNAが産生されうるかぎり、エピソームのまま留まるかまたは染色体と一体化することができる。そのようなベクターは、当該分野で標準的な組み換えDNA技術の方法によって作成することができる。ベクターは、哺乳類細胞内での複製および発現に用いられる、プラスミド、ウイルス性、またはその他既知のものでありうる。アンチセンスRNAをコードする配列の発現は、哺乳類の、好ましくはヒトの細胞で作用する既知の任意のプロモータによることができる。そのようなプロモータは誘導性または構成性であることができ：SV40初期プロモータ領域(非特許文献３１)、ラウス肉腫ウイルスの3'長末端反復配列に含まれるプロモータ(非特許文献３２)、ヘルペスチミジンキナーゼプロモータ(非特許文献３３)、メタロチオネイン遺伝子の調節配列(非特許文献３４)、などを含みうるがこれらに限定されない。組織部位に直接導入することのできる組み換えDNA構造を調製するのに、任意の型のプラスミド、コスミド、YACまたはウイルスベクターを用いることができる。あるいは、目的の組織に選択的に感染するウイルスベクターを用いることができ、その場合、投与は他の経路(たとえば全身)で達成されうる。
【００９４】
htrbmRNA転写物を触媒的に切断するように設計されたリボザイム分子はまた、htrbmRNAの翻訳およびhtrbの発現を防ぐのに用いることができる(たとえば、特許文献６（1990年10月４日公開）;非特許文献３５および特許文献７を参照)。部位特異的認識配列でmRNAを切断するリボザイムを、htrbmRNAを分解するために用いることができる一方、ハンマーヘッド型リボザイムが好ましい。ハンマーヘッド型リボザイムは、標的mRNAと相補的塩基対を形成する隣接領域に決定される位置でmRNAを切断する。唯一の必要事項は、標的mRNAが次の二つの塩基の配列を有することである：5'-UG-3'。ハンマーヘッド型リボザイムの作成および生産は当該分野でよく知られており、より詳細には非特許文献３６に記載されている。たとえば、いくつかの可能なハンマーヘッド型リボザイム切断部位がヒトhtrb-1およびhtrb-3ヌクレオチド配列中に存在する。好ましくはリボザイム切断認識部位がhtrbmRNAの5'末端付近に位置するようにリボザイムを設計する;すなわち、効率を上げ、非機能性mRNA転写物細胞内蓄積を最小化するためである。
【００９５】
本発明のリボザイムはまた、たとえばTetrahymena thermophilaで天然にみられるもの(IVS、またはL-19 IVS RNAとして知られる)であってThomas Cechと共同研究者によって詳細に記載されているもの(非特許文献３７;非特許文献３８; 非特許文献３９;特許文献８(by University Patents Inc.);非特許文献４０)のようなRNAエンドリボヌクレアーゼ(以下、「Cech型リボザイム」)を含む。Cech型リボザイムは、8塩基対の活性部位を有し、それが標的RNA配列とハイブリダイズしその後標的RNAの切断が起こる。本発明は、htrb遺伝子中に存在する8塩基対活性部位配列を標的とするCech型リボザイムを含む。
【００９６】
アンチセンス手法でのように、リボザイムは修飾オリゴヌクレオチドで構成することができ(たとえば安定性、ターゲッティング、などの改善のため)、in vivoでhtrb遺伝子を発現する細胞へ送達されるべきである。送達の好ましい方法は、導入細胞が内因性htrbメッセージを分解し翻訳を阻害するのに十分な量のリボザイムを産生するように、強力な構成性polIIIまたはpolIIプロモータの支配下にあるリボザイムを「コードする」DNA構造を用いることである。リボザイムはアンチセンス分子と異なり、触媒であるので、効率のためにはより低い細胞内濃度が必要である。
【００９７】
内因性htrb遺伝子発現はまた、標的相同組み換えを用いて、htrb遺伝子またはそのプロモータ不活性化するかまたは「ノックアウトする」ことによって低下させることができる。(たとえば、非特許文献４１; 非特許文献４２;非特許文献４３;を参照、それぞれ全体がこの参照により開示に含まれる)。たとえば、htrbをin vivoで発現する細胞に導入するために、選択マーカーおよび／または陰性選択マーカーを持つまたは持たない、内因性htrb遺伝子と相同なDNA(htrb遺伝子のコード領域または調節領域のいずれか)に隣接される変異体の非機能性htrb(または全く無関係なDNA配列)を用いることができる。DNA構造の挿入は、標的となった相同組み換えを介し、その結果としてhtrb遺伝子が活性化される。そのような手法は特に、不活性htrbを持つ動物の子孫を作成するのにES(胚性幹)細胞への修飾を用いることができる農業の分野に適している(たとえば、上記の非特許文献４２および４３を参照)。しかし、この手法は、組み換えDNA構造が直接投与されるかまたは適当なウイルスベクターを用いてin vivoで必要な部位を標的とするという条件で、ヒトにおける使用に適合させることができる。
【００９８】
あるいは、htrb遺伝子の調節領域(すなわちhtrbプロモータおよび／またはエンハンサー)と相補的なデオキシリボヌクレオチド配列を標的とすることによって、体内の標的細胞中のhtrb遺伝子の転写を阻害する三重らせん構造を形成し、内因性htrb遺伝子発現を低下させることができる。(概要は、非特許文献４４;非特許文献４５;および非特許文献４６を参照)。
【００９９】
転写阻害のための三重らせん形成に用いられる核酸分子は、好ましくは一本鎖であってデオキシリボヌクレオチドから成る。これらのオリゴヌクレオチドの塩基組成は、Hoogsteen塩基対形成則による三重らせん形成を促進すべきであり、ここで一般的にかなりの長さの一続きのプリンまたはピリミジンが二重らせんの一本の鎖に存在する必要がある。ヌクレオチド配列はピリミジンを基本とすることができ、その結果、生じる三重らせんの会合した三本鎖にわたって、TATおよびCGCトリプレットががみられる。ピリミジンに富む分子は、その鎖と平行する向きの二重らせんの一本鎖のプリンに富む領域に塩基相補性を提供する。さらに、核酸分子はたとえば一続きのG残基を含むように、プリンに富むものを選ぶことができる。これらの分子はGC対に富むDNA二重らせんと三重らせんを形成し、ここで大多数のプリン残基は標的二重らせんの一本鎖上に位置し、その結果、三重らせんの三本鎖にわたってCGCトリプレットがみられる。
【０１００】
あるいは、いわゆる「スイッチバック」核酸分子を作ることによって、三重らせん形成の標的になりうる可能な配列を増加させることができる。スイッチバック分子は5'-3’、3'-5'を交互にという方法で合成され、そのため最初に二重らせんの一本の鎖と、次いでもう一方の鎖と塩基対を形成し、かなりの長さの一続きのプリンまたはピリミジンが二重らせんの一本の鎖に存在する必要をなくす。
【０１０１】
本発明のアンチセンスRNAおよびDNA、リボザイム、そして三重らせん分子は、DNAおよびRNA分子の合成について当該分野で既知の任意の方法によって調製することができる。これらには、たとえば固相ホスホアミダイト化学合成といった、オリゴデオキシリボヌクレオチドおよびオリゴリボヌクレオチドを化学的に合成する当該分野で既知の技術を含む。あるいは、RNA分子はアンチセンスRNA分子をコードするDNA配列のin vitroおよびin vivo転写によって作成することができる。そのようなDNA配列は、T7またはSP6ポリメラーゼプロモータのような適当なRNAポリメラーゼプロモータを組み込んだ幅広いベクターに組み込むことができる。あるいは、使用したプロモータによってアンチセンスRNAを構成的にまたは誘導的に合成するアンチセンスcDNA構造は、細胞株に安定に導入しうる。
【０１０２】
さらに、細胞内安定性および半減期を増加させる手段として、核酸分子へのさまざまなよく知られた修飾を導入することができる。可能な修飾は、分子の5'および／または3'末端へのリボヌクレオチドまたはデオキシリボヌクレオチドの隣接配列の付加、またはオリゴデオキシリボヌクレオチド骨格の中でホスホジエステラーゼ結合よりもホスホロチオエートまたは2'-O-メチルを用いることを含むがこれに限定されない。
【０１０３】
4.3.3. htrbタンパク質をコードするベクターおよびhtrb発現細胞
本発明はさらにhtrbタンパク質をコードするプラスミドおよびベクターを提供し、これは宿主細胞でhtrbタンパク質を発現するのに用いることができる。宿主細胞は任意の原核または真核細胞とすることができる。したがって、完全長タンパク質のすべてまたは選択された部分をコードする、哺乳類htrbタンパク質のクローニングに由来するヌクレオチド配列は、微生物または真核細胞過程を経由してhtrbポリペプチドの組み換え形を産生するのに用いることができる。 Ligating theポリヌクレオチド配列を発現ベクターのような遺伝子構造に連結すること、および真核(酵母、鳥類、昆虫または哺乳類)または原核(細菌)細胞のいずれかの宿主に形質転換するまたは導入することは、当該分野で既知の標準手順である。
【０１０４】
細胞で核酸を発現させることのできるベクターは発現ベクターと呼ばれる。典型的には、htrbタンパク質を発現させるのに用いられる発現ベクターは、作用のために少なくとも一つの転写調節配列に連鎖した、htrbポリペプチドをコードする核酸を含む。調節配列は技術的に認識されており、対象htrbタンパク質の直接発現のために選択される。転写調節配列は非特許文献４７に記載されている。一実施形態では、発現ベクターは、対象htrbポリペプチドのアゴニスト活性を有するペプチドをコードする、またはあるいはペプチドhtrbタンパク質のアンタゴニストの形であるペプチドをコードする組み換え遺伝子を含む。
【０１０５】
htrbポリペプチドの発現のための適当なベクターは、以下の型のプラスミドを含む：pBR322由来プラスミド、PEMBL由来プラスミド、PEX由来プラスミド、pBTac由来プラスミド、およびたとえばE. coliを含む原核細胞での発現のためのPUC由来プラスミド。
【０１０６】
酵母での組み換えタンパク質の発現のために、いくつかのベクターが存在する。たとえば、YEP24、YIPS、YEP51、YEP52、pYES2、そしてYRP17は、S. cerevisiaeへ遺伝子構造を導入するのに有用なクローニングおよび発現の伝達体である(たとえば、非特許文献４８（この参照により開示に含まれる）を参照)。これらのベクターはpBR322 oriが存在するためにE.coliの中で複製でき、酵母2ミクロンプラスミドの複製決定因子のためにS. cerevisiaeの中で複製できる。さらに、アンピシリンのような薬物耐性マーカーを用いることができる。例証となる実施形態において、配列番号１または３に示される一つのhtrb遺伝子のコード配列をサブクローニングすることによって作成された発現ベクターを用いて、htrbポリペプチドが組み換えによって産生される。
【０１０７】
好ましい哺乳類発現ベクターは、細菌内でベクターの増殖を促進する原核配列、および真核細胞で発現されている一またはそれ以上の真核転写ユニットの両方を含む。PCDNAI/amp、PCDNAI/neo、pRc/CMV、pSV2gpt、pSV2neo、pSV2-dhfr、pTk2、pRSVneo、PMSG、pSVT7、pko-neoそしてpHyg由来ベクターが、真核細胞への導入に適当な哺乳類発現ベクターの例である。これらのベクターの一部は、原核および真核細胞の両方で複製および薬物耐性選択を促進するため、たとえばpBR322といった細菌プラスミドからの配列で修飾されている。あるいは、たとえばウシパピローマウイルス(BPV-1) またはエプスタイン-バーウイルス(pHEBo、PREP由来およびp205)のようなウイルス誘導体を、真核細胞でのタンパク質の一過性発現に用いることができる。プラスミドの調製および宿主生物の形質転換に用いられたさまざまな方法は当該分野で既知である。原核および真核細胞の両方について他の適当な発現系、また一般的な組み換え手順については、非特許文献１７を参照。
【０１０８】
ある場合には、バキュロウイルス発現系を用いて組み換えhtrbポリペプチドを発現するのが望ましい。そのようなバキュロウイルス発現系の例は、PVL由来ベクター(たとえばpVL1392、pVL1393およびpVL941)、pAcUW由来ベクター(たとえばpAcUWl)、そしてpBlueBac由来ベクター(たとえばB-gal含有pBlueBacIII)を含む。
【０１０９】
htrbタンパク質の一部だけ、たとえばN-末端の部分を欠く形、すなわちシグナルペプチドを欠く欠落変異を発現するのが望ましいとき、発現させる目的配列に開始コドン(ATG)をオリゴヌクレオチド断片に付加する必要がありうる。N末端位置のメチオニンは酵素メチオニンアミノペプチダーゼ(MAP)を用いて酵素的に切断することができるのははよく知られている。MAPはE. coliからクローニングされ(非特許文献４９)、Salmonella typhimurium とそのin vitro 活性が組み換えタンパク質について示された(非特許文献５０)。したがって、N末端メチオニンの除去は、必要に応じて、MAPを産生する宿主(たとえば、E. coliまたはCM89またはS. cerevisiae)内でin vivoで由来ポリペプチドを発現することによって、またはin vitroで精製MAP(たとえば、上記非特許文献５０の手順)を用いることによって達成されうる。
【０１１０】
さらに、本発明の遺伝子構造はまた、一つの対象htrbタンパク質のアゴニストまたはアンタゴニストの形をコードする核酸を送達する遺伝子治療計画の一部として用いることができる。したがって、本発明の別の側面は、機能を再構成できるような、またはあるいは、組織中のhtrbの機能を破棄するような、特定の細胞型におけるhtrbポリペプチドのin vivoまたはin vitro導入および発現のための発現ベクターを取り上げる。これは、たとえば、タンパク質の天然にみられる形が誤発現した場合、または天然タンパク質が変異して活性が低くなった場合に望ましい。
【０１１１】
ウイルス導入方法に加えて、動物組織中での対象htrbポリペプチドの発現に、非ウイルス方法をまた用いることができる。遺伝子導入の非ウイルス方法の大部分は、巨大分子の取り込みおよび細胞内輸送について哺乳類細胞に用いられる通常の機構に依存する。好適な実施形態においては、本発明の非ウイルスターゲッティング法は、標的細胞による対象htrbポリペプチド遺伝子の取り込みのための細胞内経路に依存する。この型の典型的なターゲッティング法は、リポソーム由来系、ポリリシン結合物、および人工ウイルス外被を含む。
【０１１２】
別の実施形態では、下記により詳細に示す遺伝子導入動物を、組み換えタンパク質の産生に用いることができる。
【０１１３】
30 4.4. 本発明のポリペプチド
本発明は、他の細胞タンパク質から単離されたかまたは実質的に他の細胞タンパク質を含まない単離されたhtrbポリペプチドを利用可能にする。「実質的に他の細胞タンパク質を含まない」(またここでは「夾雑タンパク質」ともいう)または「実質的に純粋または精製された調製物」の語は約20%未満(乾重で)の夾雑タンパク質を含む、そして好ましくは約5%未満の夾雑タンパク質を含むhtrbポリペプチドの調製物を含むと定義される。対象ポリペプチドの機能する形は、最初に、ここに記載のクローン遺伝子を用いて、精製された調製物として調製することができる。
【０１１４】
本発明の好ましいhtrbタンパク質は、配列番号２または４のアミノ酸配列と少なくとも約60%、65%、66%、67%、68%、69%、70%、71%、72%、73%、74%、75%、76%、77%、78%、79%、80%、85%、90%、または95%同一または相同であるアミノ酸配列を有する。さらにより好ましいhtrbタンパク質は、少なくとも10、20、30、または50残基のアミノ酸配列を含み、配列番号２または４のアミノ酸配列と少なくとも約70、80、90、95、97、98、または99%相同または同一である。そのようなタンパク質は組み換えタンパク質であることができ、またたとえば、本発明の配列番号１または３に示すヌクレオチド配列の一つまたはもう一つの核酸またはその相同遺伝子を含む核酸からin vitroで産生することができる。たとえば、本発明による好ましい組み換えポリペプチドは、核酸、本発明の配列番号１または３に示すヌクレオチド配列と少なくとも85%相同、そしてより好ましくは90%相同、そして非常に好ましくは95% 相同である核酸にコードされうる。本発明の配列番号１または３のヌクレオチド配列と少なくとも約98〜99%相同である核酸にコードされたポリペプチドもまた本発明の範囲内にある。
【０１１５】
好適な一実施形態においては、本発明のhtrbタンパク質は哺乳類htrbタンパク質である。特に好適な一実施形態においては、htrbタンパク質は配列番号２または配列番号４として示される。特に好適な実施形態においては、htrbタンパク質はhtrb生物活性を有する。ある翻訳後修飾、たとえばリン酸化など、は修飾されていないポリペプチド鎖と比較してhtrbタンパク質の見かけの分子量を増大させうることは理解される。
【０１１６】
本発明はまた、本発明のスプライス変異体にコードされるタンパク質イソ型を取り上げる。そのようなイソ型は、Nos. 2または4に特定されるhtrbタンパク質が有するものと同一のまたは異なる生物活性を有しうる。そのようなイソ型は、たとえば、一またはそれ以上のhtrb遺伝子転写物の選択的スプライシングによって生じうる。
【０１１７】
htrbポリペプチドは、好ましくは付属の配列リストの野生型(「真の」)htrbタンパク質の少なくとも一つの生物学的活性のアゴニストまたはアンタゴニストとして機能する能力がある。「進化上関連する」の語は、htrbタンパク質のアミノ酸配列に関して、自然に生じたアミノ酸配列を有するポリペプチドと、またヒトhtrbポリペプチドのたとえば組み換え突然変異誘発によって得られた突然変異体との両方を指す。
【０１１８】
完全長タンパク質、または一またはそれ以上の特定のモチーフおよび／または領域に対応する断片、またはたとえば少なくとも長さ5、10、20、25、50、75および100アミノ酸といった任意の大きさに対応する断片は、本発明の範囲内である。
【０１１９】
たとえば、単離されたhtrbポリペプチドは、配列番号１または３のいずれかに示す核酸配列のすべてまたは一部にコードされうる。htrbタンパク質の単離されたペプチド部分は、そのようなペプチドをコードする核酸の対応する断片から組み換えによって産生されたペプチドをスクリーニングすることによって得ることができる。さらに、断片は、たとえば従来のMerrifield固相f-Mocまたはt-Boc化学のような既知の技術を用いて、化学的に合成することができる。たとえば、本発明のhtrbポリペプチドは任意に、断片の重なりの無い希望の長さの断片に分割することができ、または好ましくは重なりのある希望の長さの断片に分割することができる。断片は (組み換えによってまたは化学合成によって)産生することができ、そして試験して野生型(たとえば、「真の」)htrbタンパク質のアゴニストまたはアンタゴニストとして機能しうるペプチド断片を同定することができる。
【０１２０】
htrbポリペプチドは膜結合型または可溶型でありうる。好ましい可溶性htrbポリペプチドは、疎水性シグナル配列領域を含まないポリペプチドである。そのようなタンパク質は、既知の方法を用いて遺伝子工学によって作成することができる。組み換えポリペプチドの溶解度は、野生型タンパク質の予想される膜貫通領域のような疎水性領域を欠失させることによって増加させうる。
【０１２１】
一般的に、htrbタンパク質の活性を有する(たとえば「生物活性」である)とここでいうポリペプチドは、配列番号１または３の一つに示される核酸配列のすべてまたは一部にコードされるアミノ酸配列を含むポリペプチドであって、天然にみられるhtrbタンパク質の生物学的/生化学的活性のすべてまたは一部を模倣または拮抗するものと定義される。そのような生物学的活性の例は、htrb保存ドメインと呼ぶ保存構造の領域を含む（図6A、htrbNC構造を参照)。
【０１２２】
対象htrbタンパク質の他の生物活性は、当業者にとって合理的に明らかになる。本発明によると、ポリペプチドは、htrbタンパク質の天然にみられる形の特異的アゴニストまたはアンタゴニストであるならば、生物学的活性を有する。
【０１２３】
ある化合物、たとえばhtrbタンパク質またはその変異体のようなタンパク質が、一またはそれ以上の上記の生物活性を有するかどうか調べる検定法は、htrbアゴニストおよびhtrbアンタゴニスト活性を評価するのに用いられる当該分野で既知である検定法を含む。たとえば、組み換えhtrbポリペプチドがAP-1レポーター構造の活性化を阻害する能力。その一方、組み換えhtrbポリペプチドがインターロイキン-8遺伝子発現のサイトカイン誘導活性化に干渉する能力は、htrbアンタゴニスト活性の指標となる。
【０１２４】
本発明の他の好ましいタンパク質は、本発明の核酸に関する項に示す核酸にコードされるものである。特に、本発明はたとえばhtrb-免疫グロブリン融合タンパク質といった融合タンパク質を提供する。そのような融合タンパク質は、たとえば、htrbタンパク質の向上した安定性および溶解性を提供することができ、したがって治療に有用である可能性がある。融合タンパク質はまた、htrbタンパク質の免疫原断片を作成するのに用いることができる。たとえば、ロタウイルスのVP6キャプシドタンパク質を、モノマー形またはウイルス粒子の形で、htrbポリペプチドの一部の免疫キャリヤータンパク質として用いることができる。ビリオンの一部としてhtrbエピトープを含む融合タンパク質を発現する組み換えウイルスの組を作成するために、対象htrbタンパク質の、それに対する抗体が作られる部分に対応する核酸配列を、後期ワクシニアウイルス構造タンパク質のコード配列を含む融合遺伝子構造に組み込むことができる。B型肝炎表面抗原融合タンパク質を利用する免疫原融合タンパク質の使用に関して、組み換えB型肝炎ビリオンをこの役割にもまた利用しうることが示されている。同様に、ポリペプチド抗原の組の免疫原性を増大させるために、htrbタンパク質の一部とポリオウイルスキャプシドタンパク質を含む融合タンパク質をコードするキメラ構造を作成することができる(たとえば、特許文献９;および非特許文献５１;非特許文献５２;また非特許文献５３を参照)。
【０１２５】
ペプチドによる免疫のための複数抗原ペプチド系はまた、免疫原を作成するのに用いることができ、ここでオリゴマー分枝リジンコア上のペプチドの有機化学合成から直接、htrbポリペプチドの目的の部分が得られる(たとえば、非特許文献５４および非特許文献５５を参照)。htrbタンパク質の抗原決定基はまた、細菌細胞によって発現され提示されうる。
【０１２６】
免疫原性を増大させるために融合タンパク質を利用するのに加えて、融合タンパク質はまたタンパク質の発現を促進し、したがって本発明のhtrbポリペプチドの発現に用いることができることは広く利用されている。たとえば、htrbポリペプチドはグルタチオン-S-トランスフェラーゼ(GST-融合)タンパク質として作成することができる。そのようなGST-融合タンパク質は、例としてはグルタチオン誘導体化マトリクスを用いることによって、htrbポリペプチドの容易な精製を可能にする(たとえば、非特許文献５６を参照)。
【０１２７】
さらに、htrbポリペプチドとたとえばFLAGまたはヘマグルチニンタグ配列といった小さいエピトープタグとの融合は、結果として生じる組み換えポリペプチドの免疫学的精製を容易にするために、あるいは細胞または組織検体中での免疫学的検出を促進するために用いることができる。既知であり市販されている緑色蛍光タンパク質との融合およびその組み換え形は、さらにhtrbポリペプチドを生きた細胞および組織中で局在化するのに用いることができる。
【０１２８】
本発明はさらに、対象htrbポリペプチドを産生する方法に関する。たとえば、対象ポリペプチドをコードするヌクレオチド配列の発現を導く核酸ベクターを導入した宿主細胞を、ペプチドの発現が起こる適当な条件下で培養することができる。細胞培養のための適当な培地は当該分野で既知である。組み換えhtrbポリペプチドは、細胞培養培地、宿主細胞、または両方から、イオン交換クロマトグラフィー、ゲル濾過クロマトグラフィー、限外濾過、電気泳動、およびそのようなペプチドに特異的な抗体を用いた免疫アフィニティ精製を含む、タンパク質精製のための既知の技術を用いて単離されうる。好適な一実施形態においては、組み換えhtrbポリペプチドは、たとえばGST融合タンパク質のようにその精製を促進するドメインを含む融合タンパク質である。
【０１２９】
さらに、ある環境下では、当該タンパク質の自然にみられる形の生物活性の一部だけを促進または阻害するために、htrbアゴニスト(模倣体)またはhtrbアンタゴニストのいずれかとしての限られた能力で機能する、対象htrbポリペプチドの一つの相同遺伝子を提供することが有益でありうることは広く利用されうる。したがって、特異的生物学的効果は、限られた機能の相同遺伝子を用いた処理によって導くことができ、またhtrbタンパク質の天然にみられる形の生物活性のすべてに向けられたアゴニストまたはアンタゴニストを用いた処理と比べてより副作用が少ない。
【０１３０】
対象htrbタンパク質のそれぞれの相同遺伝子は、たとえば離散点変異による、または欠落による突然変異誘発によって作成することができる。たとえば、変異によって、それが由来するhtrbポリペプチドと実質的に同一かまたは単に一部の生物学的活性を保持する相同遺伝子を生じうる。あるいは、たとえばhtrb受容体に競合的に結合することによってタンパク質の天然にみられる形の機能を阻害することのできる、タンパク質のアンタゴニストの形を生じうる。
【０１３１】
本発明の組み換えhtrbポリペプチドはまた、たとえば、例としては、ユビキチン化または当該タンパク質に関連する他の酵素標的化を変化させる変異によって、タンパク質分解による切断に耐性である形のそれらのタンパク質といった、野生型htrbタンパク質の相同遺伝子を含む。
【０１３２】
htrbポリペプチドはまた、グリコシル基、脂質、リン酸、アセチル基などといった他の化学的部分と共有または凝集結合物を形成することによってhtrb誘導体を生じるように化学的に修飾されうる。htrbタンパク質の共有結合誘導体は、タンパク質のアミノ酸側鎖の官能基またはポリペプチドのN末端またはC末端にその化学的部分を結合することによって調製することができる。
【０１３３】
対象htrbポリペプチドの構造の修飾は、治療的または予防的有効性、安定性(たとえば、ex vivo保存性およびタンパク質分解による劣化に対する耐性)を増大させるため、または翻訳後修飾(たとえば、タンパク質のリン酸化パターンを変化させるため)といった目的でありうる。そのような修飾ペプチドは、タンパク質の天然にみられる形の少なくとも一つの活性を維持するように、またはその特異的アンタゴニストを生じるように設計された場合、ここにより詳細に記載するhtrbポリペプチドと機能的に同等物であると考えられる。そのような修飾ペプチドは、たとえば、アミノ酸置換、欠失、または付加によって作成することができる。置換変異は、保存アミノ酸の置換または非保存アミノ酸の置換でありうる。
【０１３４】
たとえば、ロイシンをイソロイシンまたはバリンと置換した置換物、アスパラギン酸をグルタミン酸と置換した置換物、スレオ人をセリンと置換した置換物、またはアミノ酸を構造的に関連したアミノ酸で置換した類似の置換物(すなわちイソステリックおよび／またはイソエレクトリック変異)は、結果として生じる分子の生物学的活性に大きな効果を有しないと予測するのが合理的である。保存的置換は、側鎖が関連するアミノ酸のグループ内で起こるものである。遺伝的にコードされるアミノ酸は４つの種類に分けることができる：(1)酸性=アスパラギン酸、グルタミン酸;(2)塩基性=リジン、アルギニン、ヒスチジン;(3)非極性=アラニン、バリン、ロイシン、イソロイシン、プロリン、フェニルアラニン、メチオニン、トリプトファン;そして(4)非荷電極性=グリシン、アスパラギン、グルタミン、システイン、セリン、スレオニン、チロシン。類似の方式で、アミノ酸の全体は以下のように分類できる：(1)酸性=アスパラギン酸、グルタミン酸; (2)塩基性=リジン、アルギニン、ヒスチジン;(3)脂肪族=グリシン、アラニン、バリン、ロイシン、イソロイシン、セリン、スレオニン、ここでセリンおよびスレオニンは随意的に脂肪族ヒドロキシルとして別に分類できる;(4)芳香族=フェニルアラニン、チロシン、トリプトファン;(5)アミド=アスパラギン、グルタミン;そして(6)含硫黄=システインおよびメチオニン。(たとえば、非特許文献５７を参照)。ペプチドのアミノ酸配列中の変化によって、機能するhtrb相同遺伝子(たとえば、結果として生じるポリペプチドが野生型を模倣または拮抗するという意味で機能する)が生じるかどうかは、変異体ペプチドが野生型タンパク質と類似の方式で細胞内応答を生じるかまたはそのような応答を競合的に阻害する能力を評価することによって容易に決定しうる。一つより多い置換が起こっているポリペプチドも、同じ方法で容易に試験しうる。
【０１３５】
本発明はさらに、対象htrbタンパク質の組み合わせ変異また欠落変異の組を生じる方法を意図し、特に潜在的変異配列(たとえば相同遺伝子)を同定するのに有用である。そのような組み合わせライブラリをスクリーニングする目的は、たとえば、アゴニストまたはアンタゴニストとして作用しうるかあるいは同時に新規の活性を有する新規のhtrb相同遺伝子を生みだすことである。したがって、組み合わせ由来相同遺伝子は、タンパク質の天然にみられる形と比べて高い効果を有するように生み出すことができる。
【０１３６】
一つの実施形態において、htrb変異体の多彩なhtrbライブラリは核酸レベルでの組み合わせ突然変異誘発によって作られ、多彩な遺伝子htrbライブラリによってコードされる。たとえば、潜在的htrb配列の縮重した組が個々のポリペプチド、あるいは、htrb配列の組を含むより大きい融合タンパク質の組(たとえばファージ提示のために)として発現可能になるように、合成オリゴヌクレオチドの混合物を酵素的に遺伝子配列中に連結することができる。
【０１３７】
縮重オリゴヌクレオチド配列から潜在的htrb相同遺伝子のそのようなライブラリを作成する多くの方法がある。縮重遺伝子配列の化学合成を自動DNA合成装置で行うことができ、合成遺伝子は次いで適当な発現ベクターと連結させることができる。遺伝子の縮重した組の目的は、一つの混合物中に、潜在的htrb配列の目的の組をコードするすべての配列を提供することである。縮重オリゴヌクレオチドの合成は既知である(たとえば、非特許文献５８;非特許文献５９;非特許文献６０;非特許文献６１;非特許文献６２を参照。そのような技術は、他のタンパク質の進化工学に用いられている(たとえば、非特許文献６３;非特許文献６４;非特許文献６５;非特許文献６６;ならびに特許文献１０；特許文献１１；および特許文献１２を参照。)。
【０１３８】
同様に、スクリーニングおよびそれに続く生物活性断片の選択のためhtrb断片の多彩な集団を作成するために、htrbクローンについてコード配列断片のライブラリを提供することができる。そのような1を作成するための、化学合成を含むさまざまな技術が既知である。一実施形態では、コード配列断片のライブラリは(i)分子あたり約１回のみニックが形成される条件下でhtrbコード配列の二本鎖PCR断片をヌクレアーゼで処理する;(ii)二本鎖DNAを変性させる;(iii)DNAを復元し、異なるニック産物からのセンス/アンチセンス対を含みうる二本鎖DNAを形成させる;(iv)再生した二重らせんからS1ヌクレアーゼ処理によって一本鎖部分を除去する;そして(v) ligating 結果として生じる断片ライブラリを発現ベクター中に連結する、ことによって作成することができる。この典型的な方法によって、N末端、C末端およびさまざまな大きさの内部断片をコードする発現ライブラリを得ることができる。
【０１３９】
点変異または欠落によって作成された組み合わせライブラリの遺伝子産物をスクリーニングするための、またある性質を有する遺伝子産物についてcDNAライブラリをスクリーニングするための、幅広い技術が既知である。そのような技術は一般に、htrb相同遺伝子の組み合わせ突然変異誘発によって作成された遺伝子ライブラリの迅速スクリーニングに適合させることができる。大きな遺伝子ライブラリをスクリーニングするためにもっとも広く用いられている技術は、典型的には遺伝子ライブラリを複製可能な発現ベクターにクローニングすること、結果として生じるベクターライブラリを用いて適当な細胞を形質転換すること、そして目的の活性の検出が、産物が検出される遺伝子をコードするベクターの相対的に容易な単離を促進するような条件下で、組み合わせ遺伝子を発現することから成る。下記に示す例証となる検定のそれぞれは、組み合わせ 突然変異誘発 技術によって作られた多数の縮重htrb配列をスクリーニングするために必要に応じて高処理量分析に合わせることができる。組み合わせ突然変異誘発は、たとえばほぼ1026分子程度の、変異タンパク質の非常に大きなライブラリを生じる可能性がある。この大きさの組み合わせライブラリは、高処理量スクリーニング分析を用いても技術的に困難である可能性がある。この問題を克服するために、最近新しい技術が開発されていて、繰り返しアンサンブル突然変異誘発(REM)によって、無作為ライブラリ中で非機能性タンパク質が非常に高い割合になるのを回避し単純に機能性タンパク質の頻度を高め、したがって配列スペースの有効なサンプリングを達成するために必要な複雑さが低下する。REMは適当な選択またはスクリーニング方法がとられるときライブラリ中の機能性変異の頻度を高めるアルゴリズムである(非特許文献６７;非特許文献６８;非特許文献６９)。
【０１４０】
本発明はまた、本発明のhtrbポリペプチドとたとえば標的ペプチドのような分子との結合を崩壊させることのできる、低分子のようなペプチドまたは非ペプチド物質といったミメティックを生じるhtrbタンパク質の低下を提供する。このように、そうした上記のような突然変異誘発技術はまた、たとえば対象htrbポリペプチドの標的ペプチドへの結合に関与するタンパク質-タンパク質相互作用に参加するhtrbタンパク質の決定基をマッピングするのに有用である。たとえば、その受容体の分子認識に関与している対象htrbポリペプチドの決定的な残基を決定することができ、またhtrb由来類似構造ペプチドまたはその部分を有する真のhtrbタンパク質の結合を競合的に阻害する小分子を作成するのに用いることができる。対象htrbタンパク質の他のタンパク質との結合に関与しているアミノ酸残基をマッピングするのにたとえばスキャン突然変異誘発を用いることで、htrbタンパク質の相互作用を促進する残基を模倣する類似構造ペプチド化合物を作成することができる。そのような類似構造物質は次いで、htrbタンパク質の正常な機能に干渉するのに用いることができる。たとえば、ベンゾジアゼピン(たとえば、非特許文献７０を参照)、アゼピン(たとえば、非特許文献７１を参照)、置換γラクタム環(非特許文献７２)、ケトメチレンプソイドペプチド(非特許文献７３;および非特許文献７４), β-ターンジペプチドコア(非特許文献７５;および非特許文献７６)、およびβ-アミノアルコール類(非特許文献７７;および非特許文献７８)を用いてそうした残基の非加水分解型ペプチドアナログを作成することができる。
【０１４１】
4.5. 抗htrb抗体とその用途
本発明の別の側面は、たとえば野生型または変異htrbタンパク質といった哺乳類htrbタンパク質と特異的に反応する抗体に関する。たとえば、たとえばcDNA配列に基づいてhtrbタンパク質に由来する免疫原を用いることによって、抗タンパク質/抗ペプチド抗血清またはモノクローナル抗体を標準手続きによって作成することができる(たとえば、非特許文献７９)を参照)。マウス、ハムスターまたはウサギといった哺乳類はペプチドの免疫原の形(たとえば、抗体反応を導くことのできる哺乳類htrbポリペプチドまたは抗原性断片、または上記の融合タンパク質)で免疫することができる。免疫原性をタンパク質またはペプチドに与える技術は、キャリヤーとの結合または既知の他の技術を含む。htrbタンパク質の免疫原性の部分は、アジュバントの存在下で投与することができる。免疫付与の進行は、血漿または血清中の抗体力価の検出によって観察することができる。免疫原としての抗原について、抗体濃度を評価するために、標準ELISAまたは他の免疫検定法を用いることができる。好適な一実施形態においては、対象抗体は、哺乳類のhtrbタンパク質の抗原決定基、たとえば、配列番号２または４に示すタンパク質または近縁の相同体(たとえば、少なくとも90%相同、そしてより好ましくは少なくとも94%相同)の抗原決定基に免疫特異的である。
【０１４２】
htrbポリペプチドの抗原性調製物で動物を免役した後、抗htrb抗血清が得られ、また必要に応じて、血清からポリクローナル抗htrb抗体が単離されうる。モノクローナル抗体を産生するには、抗体産生細胞(リンパ球)を免疫動物から得ることができ、標準の体細胞融合手順で骨髄腫細胞のような不死化細胞と融合してハイブリドーマ細胞が得られる。そのような技術は当該分野で既知であり、たとえば、KohlerとMilsteinによって最初に開発されたハイブリドーマ技術(非特許文献８０)、ヒトB細胞ハイブリドーマ 技術(非特許文献８１)そしてヒトモノクローナル抗体を産生するためのEBV-ハイブリドーマ技術(非特許文献８２)を含む。ハイブリドーマ細胞は、本発明の哺乳類htrbポリペプチドと特異的に反応する抗体、およびそのようなハイブリドーマ細胞から成る培養から単離されたモノクローナル抗体の産生のために、免疫化学的にスクリーニングすることができる。一つの実施形態では、抗ヒトhtrb抗体は、配列番号１または３を有する核酸にコードされるタンパク質と特異的に反応する。
【０１４３】
ここで用いられる抗体という語は、対象哺乳類htrbポリペプチドの一つとまた特異的に反応するその断片を含むことを意図する。抗体は従来の方法を用いて断片化することができ、実用のために断片は完全な抗体について上述したのと同じ方法でスクリーニングすることができる。たとえば、F(ab)2断片は抗体をペプシン処理して作成できる。結果として生じるF(ab)2断片を処理してジスルフィド架橋を還元し、Fab断片を作ることができる。本発明の抗体はさらに、二重特異性、一本鎖、そして抗体の少なくとも一つのCDR領域によって与えられるhtrbタンパク質への親和性を有するキメラおよびヒト化分子を含むことを意図する。好適な実施形態においては、抗体はさらに結合した標識を含み、検出が可能である(たとえば、標識は放射性同位体、蛍光化合物、酵素または酵素補因子でありうる)。
【０１４４】
抗htrb抗体は、たとえば、ある被験者が異常なhtrbタンパク質濃度に関連する疾患または状態を有するかを決定するために、またはそのような疾患に罹った個人について任意の治療計画の有効性を決定できるようにするため、たとえば個人の体内のhtrbタンパク質濃度をモニターするのに用いることができる。htrbポリペプチドの濃度は、血液検体中のような体液中の細胞から測定することができる。
【０１４５】
本発明の抗htrb抗体の別の用途は、λgt11、λgt18-23、λZAP、およびλORF8といった発現ベクター中に構成されたcDNAライブラリの免疫学的スクリーニングである。正しい読み枠と方向で挿入されたコード配列を有するこの型のメッセンジャーライブラリは、融合タンパク質を産生することができる。たとえばλgt11は、アミノ末端がβ-ガラクトシダーゼアミノ酸配列から成りカルボキシ末端が外来ポリペプチドから成る融合タンパク質を産生する。htrbタンパク質の抗原エピトープ、たとえば特定のhtrbタンパク質の他のオルソログまたは同一種の他のパラログ、はそれからたとえば感染プレートから取ったニトロセルロースフィルターを抗htrb抗体と反応させて、抗体で検出しうる。この検定法で検出された陽性ファージは次いで感染プレートから単離することができる。こうして、htrb相同遺伝子の存在を検出することができ他の動物からクローニングすることができ、またヒト由来のイソ型(スプライス変異体を含む)を変えることができる。
【０１４６】
4. 6. 遺伝子導入動物
本発明はさらに、たとえばhtrb治療薬を同定するといったさまざまな目的に使用しうる遺伝子導入動物を提供する。本発明の遺伝子導入動物は、htrbプロモータの支配下にあるかまたは異種プロモータの支配下にある異種htrb遺伝子またはその断片を含む非ヒト動物を含む。したがって、本発明の遺伝子導入動物は、野生型htrbタンパク質またはその断片または、その突然変異体および多型変異体を含むその変異体をコードする導入遺伝子を発現している動物でありうる。そのような動物は、たとえば、多型差のような、配列番号２または４に示された配列とのhtrbタンパク質のアミノ酸配列の差の効果を測定するのに用いることができる。これらの動物はまた、特定部位でのhtrbタンパク質の発現の効果を測定するのに、またはhtrb治療薬を同定するのに、またはそのin vivo活性を確認するのに用いることができる。
【０１４７】
一つの側面では、本発明は、in vivoスクリーニングおよびevaluation of炎症性疾患の治療に有用な薬物または他の治療計画の評価に用いるための、遺伝子導入非ヒト生物および細胞株を提供する。一実施形態では、本発明はインターロイキン-1遺伝子が標的として破壊されている遺伝子導入動物である。特に、その遺伝子はhtrb遺伝子である。動物は破壊遺伝子についてキメラ、ヘテロ接合またはホモ接合でありうる。ホモ接合ノックアウトhtrb哺乳類は、リウマチ性関節炎、炎症性腸疾患、Ｉ型糖尿病、乾癬、骨粗鬆症、糖尿病腎炎、円形脱毛症、グレーブス病、全身性エリテマトーデス、硬化性苔癬、潰瘍性大腸炎、冠動脈疾患、動脈炎、糖尿病性網膜症、低出生体重、妊娠合併症、重症歯周病、乾癬およびインシュリン依存性糖尿病といった炎症性状態を研究するモデルを提供するが、特に動脈病変によって特徴づけられる。標的破壊は、それが機能性htrbタンパク質の産生を阻害するという条件のみで、遺伝子内の任意の場所であることができる。好適な一実施形態においては、破壊によって、たとえば配列番号１に含まれるhtrb-1のコード配列のようなhtrbコード配列の全体が除去される。遺伝子導入動物は（ヒトを除く）任意の種であることができるが、好ましくは哺乳類である。好適な一実施形態においては、htrb遺伝子中に標的破壊を含む非ヒト動物で、前記標的破壊が野生型htrbポリペプチドの産生を阻害し、そのため、その標的破壊についてホモ接合である非ヒト哺乳類の表現型が、変化した炎症性反応で特徴づけられる。
【０１４８】
別の側面では、本発明はhtrb遺伝子中に標的破壊を含む細胞または細胞株を取り上げる。好適な一実施形態においては細胞または細胞株は未分化細胞、たとえば幹細胞、胚性幹細胞、卵母細胞または胚細胞である。
【０１４９】
さらに別の面では、本発明はhtrb遺伝子中に標的破壊を有する非ヒト哺乳類を作成する方法を取り上げる。たとえばhtrb遺伝子の一部について前記htrb遺伝子の内部の一部分がマーカーで置換されたhtrbノックアウト構造を作り出すことができる。ノックアウト構造は次いで胚性幹(ES)細胞の集団に導入することができる。導入細胞は次いで、マーカーを発現しているものとして選択することができる。遺伝子導入されたES細胞は次いで、前記哺乳類の祖先の胚に導入することができる。胚は満期まで発生させ、生殖細胞系列にノックアウト構造を有するキメラ哺乳類を作成することができる。前記キメラ哺乳類を繁殖させることによって、htrb遺伝子中に標的破壊を有するヘテロ接合哺乳類を生じる。ホモ接合子はヘテロ接合子を交配することによって得ることができる。
【０１５０】
別の面では、本発明は上記の動物の作成に用いることのできるhtrbノックアウト構造を取り上げる。一実施形態では、htrb構造はhtrb遺伝子の一部を含むことができ、前記htrb遺伝子の内部の一部分が選択マーカーで置換されている。好ましくは、マーカーはneo遺伝子であり、htrb遺伝子の一部分は少なくとも長さ2.5kbまたは7.0または長さ9.5kbである(任意のhtrb隣接配列および置換部分を含む)。内部の一部分は好ましくは少なくともエキソンの一部をカバーし、一部の実施形態ではhtrbポリペプチドをコードするエキソンの全体をカバーする。
【０１５１】
さらに別の面では、本発明は炎症性状態を治療および／または予防する有効性のための試験物質のための方法を取り上げる。一実施形態では、方法は上記の通り遺伝子導入動物または細胞株を用いることができる。たとえば、試験物質を遺伝子導入動物に投与し、その物質が炎症性状態を改善する能力について前記炎症性状態に対して有効性を有するとして点数を付けることができる。htrb構成成分を有する任意の炎症性状態についてこれらの哺乳類を用いて試験することができるが、しかし特に、動脈病変によって特徴づけられるじょうたいが研究されている。方法はまた、炎症性タンパク質およびその下流構成成分に対して有効な物質を試験するのに用いることができる。
【０１５２】
遺伝子導入動物はまた、たとえばレポーター遺伝子といったhtrbプロモータまたはその断片の支配下にある導入遺伝子を含む動物であることができる。これらの動物はたとえばhtrb遺伝子発現の調節によってhtrbの産生を調節するhtrb薬物を同定するのに有用である。htrb遺伝子プロモータはたとえば、htrbCDNA断片でゲノムライブラリをスクリーニングすることによって単離することができ、既知の方法に従って特徴づけることができる。本発明の好適な一実施形態においては、前記htrbレポーター遺伝子を含む遺伝子導入動物は、ステロイドホルモンとして知られる一群の生物活性分子を、htrb発現を調節する能力についてスクリーニングするのに用いられる。本発明のより好適な一実施形態においては、htrb発現調節活性についてスクリーニングされたステロイドホルモンは、アンドロゲンとして知られるグループに属する。本発明のさらにより好適な一実施形態においては、ステロイドホルモンはテストステロンまたはテストステロンアナログである。本発明の範囲内にあるさらに別の非ヒト動物は、内因性 htrb遺伝子の発現が突然変異を受けたかまたは「ノックアウトされた」ものを含む。「ノックアウト」動物は、特定の一遺伝子または複数遺伝子のホモ接合またはヘテロ接合の欠失を有するものである。これらの動物は、htrbの非存在の結果、特異的な表現型が生じるかどうか、特に、たとえば心臓疾患またはがんに対する高い感受性のように、これらのマウスが特定疾患を有するかまたは罹患する可能性が高いかどうかを決定するのに有用でありうる。さらに、これらの動物は下記に概要を示す通りhtrb遺伝子の変異の結果生じた疾患状態を緩和するまたは減じる薬物をスクリーニングするのに有用である。これらの動物はまた、htrb遺伝子中の特定のアミノ酸の差異、または対立遺伝子変異の効果を測定するのに有用である。つまり、htrbノックアウト動物を、たとえば、a htrbの突然変異形または対立遺伝子変異体を発現している遺伝子導入動物と交配することができ、その結果、突然変異タンパク質だけを発現し野生型htrbタンパク質を発現していない動物が生じる。
【０１５３】
本発明のこの面の好適な一実施形態においては、染色体の一方または両方に変異htrb遺伝子座を有する遺伝子導入htrbノックアウトマウスが、htrb発現の消失による状態の、遺伝子導入または薬物治療のモデル系として用いられる。遺伝子導入およびノックアウト非ヒト動物を得る方法は当該分野で既知である。ノックアウトマウスは、ノックアウトされる遺伝子をコードしているマウス胚性幹細胞染色体への「ノックアウト」構造の相同組み込みによって作成された。一実施形態では、相同組み換えを用いて動物のゲノムを修飾する方法である遺伝子ターゲッティングを、培養胚性幹細胞へ変化を導入するのに用いることができる。ES細胞中の対象のhtrb遺伝子を標的として、これらの変化を動物の生殖細胞系列に導入することができ、キメラを生じる。遺伝子ターゲッティング手順は、標的htrb遺伝子座と相同なセグメントを含み、ゲノム配列に対する目的の配列修飾(たとえば挿入、欠失、点変異)を含むDNAターゲッティング構造を、組織培養細胞に導入することによって達成される。処理細胞は次いで、適切にターゲッティングされたものを同定し単離するために、正確なターゲッティングについてスクリーニングされる。
【０１５４】
胚性幹細胞での遺伝子ターゲッティングは実際、一つまたはそれ以上のhtrbゲノム配列について相同組み換えを受けるように設計したターゲッティング導入遺伝子構造を用いてhtrb遺伝子機能を破壊するための方法として、本発明で考えられた計画である。ターゲッティング構造は、htrb遺伝子の要素との組み換え時に、陽性選択マーカーが遺伝子のコード領域に挿入される(または置換する)ように設計することができる。挿入された配列は機能的にhtrb遺伝子を破壊し、一方でまた陽性選択の特徴を提供する。典型的なhtrbターゲッティング構造は下により詳細に記載する。
【０１５５】
一般的に、ノックアウト動物の作成に使用される胚性幹細胞(ES細胞)は、作成されるノックアウト動物と同種である。このためたとえば、ノックアウトマウスの作成にはマウス胚性幹細胞が通常用いられる。
【０１５６】
胚性幹細胞は、たとえば非特許文献８３)に記載されたもののような、当該技術の熟練者に既知である方法を用いて作成され維持される。任意の株のES細胞を用いることができるが、しかし、選択される株は典型的には、ノックアウト構造の生殖細胞系導入を生じさせるために、その細胞が発生中の胚の生殖細胞系に組み込まれその一部となる能力について選ばれる。 したがって、この能力を有すると考えられている任意のES細胞株がここでの使用に適当である。ES細胞の作成に典型的に用いられる一つのマウス系統は129J系統である。別のES細胞株はマウス細胞株D3(American Type Culture Collection, catalog no. CKL 1934)である。さらに別の好ましいES細胞株はWW6細胞株(非特許文献８４)である。細胞は、ノックアウト構造の挿入のために、たとえば非特許文献８５;非特許文献８６;そして非特許文献８７のような、当該技術の熟練者に既知である方法を用いて培養し準備する。
【０１５７】
ノックアウト構造は、幹細胞株に導入された、変異させる目的の遺伝子の染色体遺伝子座でゲノムの組み換えを起こす、独自に構成された核酸断片をいう。このため、あるノックアウト構造は破壊の標的となるある遺伝子に特異的である。にもかかわらず、多数の共通因子がこれらの構造に存在し、またこれらの因子は当該分野で既知である。典型的なノックアウト構造は、変異させる遺伝子をコードするゲノム遺伝子座の5'および3'末端の両方から約0.5kb以上約10.0kb以下の核酸断片を含む。これらの二つの断片は、たとえばネオマイシン耐性遺伝子(neoR)のような陽性選択マーカーをコードする介在する核酸断片によって分離されている。結果として生じる核酸断片は、ゲノム遺伝子座の5'最末端からの核酸が陽性選択マーカーをコードする核酸に連結し、これが今度は目的のゲノム遺伝子座の3'最末端からの核酸に連結したものを含み、ノックアウトするhtrbまたは目的の他の遺伝子のコード配列の大部分を省略している。結果として生じる構造が相同的に染色体とこの遺伝子座で組み換えるとき、その結果、省略されたコード配列が、これは構造遺伝子ともいうが、ゲノム遺伝子座から失われる。そのような稀な相同組み換え現象が起こる幹細胞は、陽性選択マーカーをコードする遺伝子の核酸がゲノム内に安定して組み込まれていること、そして続いてこのマーカー遺伝子を発現している細胞を適当な薬物（この例ではネオマイシン）の存在下で選択することによって選択することができる。
【０１５８】
この基本技術の変形もまた存在し、当該分野で既知である。たとえば、「ノックイン」構造は、5'ゲノム遺伝子座断片をコードする核酸が陽性選択マーカーをコードする核酸に連結し、これが今度は3'ゲノム遺伝子座断片をコードする核酸に連結する同じ基本配列であるが、コード配列のどれも省略されておらず、したがって使用された5'および3’ゲノム断片は、陽性選択マーカー遺伝子をコードする核酸の導入によって破壊される前は、最初は連続している点で異なる。この「ノックイン」型の構造はしたがって、たとえば単一エキソンのような、変異させる遺伝子のゲノム遺伝子座の限られた領域だけがクローニングおよび遺伝子操作に利用できる場合は、変異遺伝子導入動物の作成に非常に有用である。あるいは、「ノックイン」構造は標的遺伝子の単一の機能ドメインを特異的に消失させるのに用いることができ、その結果、一つの機能について欠陥がある一方、コードされたポリペプチドの他の領域の機能は保っている標的遺伝子のポリペプチドを発現する遺伝子導入動物が生じる。この型の「ノックイン」変異はしばしば、特にホモ多量体を生じるタンパク質の場合は元になる野生型遺伝子のポリペプチド産物の作用を特異的にブロック(または「汚染」)しうるため、いわゆる「優性阻害」変異の特徴を持つ。ノックイン技術の一変形では、マーカー遺伝子の発現が標的遺伝子の転写調節因子の支配下に来るように、マーカー遺伝子が目的のゲノム遺伝子座に組み込まれる。マーカー遺伝子は、その活性を検出することができ(たとえばβ-ガラクトシダーゼ)、適当な条件下で酵素気質を細胞に加えることができ、酵素活性を分析することができる酵素をコードするものである。当業者は他の有用なマーカーおよび任意の細胞中でのその存在を検出する方法に通じている。そのようなマーカーはすべて本発明の教示の範囲内にあると考えられる。
【０１５９】
上述の通り、上記の「ノックアウト」および「ノックイン」構造の相同組み換えは大変稀であり、しばしばそのような構造は非相同的に、欠失させるために標的とした遺伝子に効果を有しない、また変化させることを意図しなかった他の遺伝子を破壊するように組み換えを起こす可能性のある、ゲノムのランダム領域に挿入される。そのような非相同組み換え現象は、上記のノックアウトおよびノックイン構造を修飾していずれかの末端で陰性選択マーカーと隣接させることによって選択除外することができる(特に、チミジンキナーゼ遺伝子の二つの対立遺伝子変異体を用いて、よく知られている適当なすなわち5-ブロモデオキシウリジンのような薬物を含む組織培養培地中で発現細胞株中の選択除外されるポリペプチド産物を通じて)。したがって、本発明のそのようなノックアウトおよびノックイン構造の好ましい実施形態は、陰性選択マーカーをコードする核酸がゲノム遺伝子座の5'末端をコードする核酸と連結し、陽性選択マーカーの核酸に連結し、それが今度は同一のゲノム遺伝子座の3'末端をコードする核酸と連結し、それが今度は陰性選択マーカーをコードする別の核酸と連結したものを含む。結果として生じるノックアウト構造とゲノムの間の非相同組み換えの結果、通常はこれらの陰性選択マーカーの一つまたは両方の安定な組み込みが生じ、ゆえに非相同組み換えを受けた細胞は、適当な選択培地(たとえば5-ブロモデオキシウリジンのような薬物を含む培地)で生育させることで選択除外することができる。陽性選択マーカーについてまた陰性選択マーカーに対して同時に選択することで、ノックアウト構造が相同的に、変異させることを意図した遺伝子の遺伝子座で組み換えられているクローンが大幅に濃縮される結果となる。結果として生じるノックアウト幹細胞株において、標的遺伝子の遺伝子座に予測された染色体変化が存在することは、当業者に既知であるサザンブロット分析技術を用いて確認することができる。which are well。あるいは、PCRを用いることができる。
【０１６０】
細胞に挿入する個々のノックアウト構造は、まず直線の形でなければならない。したがって、ノックアウト構造がベクターに挿入されている場合(後述)、ベクター配列の中だけで切断しノックアウト構造配列の中では切断しないように選択した適当な制限酵素でDNAを消化することによって直線化が達成される。
【０１６１】
挿入については、当該技術の熟練者に既知である通り、選択した挿入方法のための適当な条件下でノックアウト構造をES細胞に加える。たとえば、ES細胞についてエレクトロポレーションを行う場合、ES細胞とノックアウト構造DNAはエレクトロポレーション装置を用いてメーカーの使用説明書に従って電気パルスに曝される。エレクトロポレーション後、ES細胞は典型的には適当なインキュベーション条件下で回復させられる。細胞は次いでノックアウト構造の存在について上で説明した通りスクリーニングされる。一つより多い構造がES細胞に導入される場合、個々のノックアウト構造は同時にまたは一度に一つ導入することができる。ノックアウト構造を適切な位置に含む適当な ES細胞が上記に概説した選択技術によって同定された後、細胞は胚に挿入される。挿入は当該技術の熟練者に既知であるさまざまな方法で達成しうるが、しかし好ましい方法は微量注入による。微量注入のためには、約10〜30細胞がマイクロピペットに集められ、ノックアウト構造を含む外来のES細胞が発生中の胚に組み込まれるように、発生の適当な段階にある胚に注入される。たとえば、形質転換ES細胞は胞胚に微量注入することができる。ES細胞の挿入に用いられる胚の発生の適当な段階は非常に種依存性であるが、しかし、マウスについては約3.5日目である。胚は妊娠雌の子宮を潅流することによって得られる。これを達成する適当な方法は当該技術の熟練者に既知であり、たとえば、非特許文献８６（上記)に示される。
【０１６２】
発生の相応しい段階にある任意の胚が使用に適当である一方、好ましい胚は雄である。マウスでは、好ましい胚はまた、ES細胞遺伝子によってコードされる被毛色とは異なる被毛色をコードする遺伝子を有する。この方法で、モザイク被毛色(ES細胞が発生中の胚に組み込まれたことを示す)を探すことによって、ノックアウト構造の存在について仔を容易にスクリーニングすることができる。したがって、たとえば、ES細胞株が白い被毛の遺伝子を有する場合は、選択される胚は黒または茶色の被毛の遺伝子を有する。
【０１６３】
ES細胞が胚に導入されてのち、胚は妊娠のために偽妊娠仮母の子宮に移植することができる。任意の仮母を用いることができるが、仮母は典型的には、良好に繁殖する能力、また育仔能力について選択される。そのような仮母は典型的には、同種の精管切除雄と交尾させて用意する。偽妊娠仮母の段階が移植の成功に重要であり、それは種依存性である。マウスについては、この段階は偽妊娠の約2〜3日目である。
【０１６４】
仮母の出産した仔は、被毛色選択戦略(上および付属の実施例に記載の通り)が用いられている場合は、最初にモザイク被毛色についてスクリーニングすることができる。さらに、または代替法として、仔の尾部組織からのDNAをサザンブロットおよび／またはPCRを用いて上記の通りノックアウト構造の存在についてスクリーニングすることができる。モザイクであると思われる仔は、生殖細胞系にノックアウト構造を有すると考えられる場合は、ホモ接合ノックアウト動物を作成するために次いで互いに交配されうる。ホモ接合子は、この交配の産物であるマウスならびに既知のヘテロ接合子および野生型マウスに由来する同等な量のゲノムDNAをサザンブロットすることによって同定しうる。
【０１６５】
ノックアウト子孫を同定および特徴づけする他の方法が利用可能である。たとえば、ノックアウトされた遺伝子とマーカー遺伝子のいずれか、または両方をコードする転写物の存在または非存在についてmRNAをプローブするノーザンブロットを用いることができる。さらに、特定のhtrbタンパク質に対する抗体または、この遺伝子が発現されているところではマーカー遺伝子産物に対する抗体を用いてウェスタンブロットをプローブすることによって、ノックアウトされたhtrb遺伝子の発現レベルを子孫のさまざまな組織中で評価するのにウェスタンブロットを用いることができる。最後に、ノックアウト構造遺伝子産物の存在または非存在を検索するために、子孫に由来するさまざまな細胞のin situ分析(たとえば細胞を固定し抗体で標識する)および／またはFACS (蛍光活性化細胞分離)分析を、適当な抗体を用いて行うことができる。
【０１６６】
ノックアウトまたは破壊遺伝子導入動物を作成するさらに別の方法もまた一般に知られている。たとえば、非特許文献８７を参照。htrb遺伝子の活性化における組織特異的および／または一時的制御がリコンビナーゼ配列によって制御できるような(後述)、リコンビナーゼ依存ノックアウトもまた、たとえば標的配列に挿入する相同組み換えによって、作成することができる。
【０１６７】
一つより多いノックアウト構造および／または一つより多い導入遺伝子発現構造を含む動物が、いくつかの方法のうち任意のもので作成される。作成の好ましい方法は、目的の遺伝子導入表現型のうち一つをそれぞれが含む一連の哺乳類を作成することである。そのような動物を一連の交配、戻し交配および選択を通じて一緒に繁殖させ、最終的に目的のすべてのノックアウト構造および／または発現構造を含む一個体の動物を作成するが、ここでその動物はノックアウト構造および／または導入遺伝子の存在を除く他の点では野生型とコンジェニック(遺伝的に同一)である。htrb導入遺伝子はタンパク質の野生型の形をコードすることができ、またはそのアゴニストおよびアンタゴニストの両方、ならびにアンチセンス構造を含むその相同遺伝子をコードすることができる。好適な実施形態においては、導入遺伝子の発現は、細胞、組織または発生段階の特異的部分集合に限られており、たとえば発現を目的のパターンに制御するシス作用性配列を利用している。本発明においては、htrbタンパク質のそのようなモザイク発現は系統分析の多くの形で本質的に重要となりえ、また、たとえばhtrb発現を欠くことは他の点では正常な胚の中の組織の小さな部分の発生を大きく変化させうるが、その効果を評価する手段を追加的に提供する。これに向かって、また、組織特異的調節配列および条件的調節配列は、ある空間的パターンで導入遺伝子の発現を調節するのに用いることができる。さらに、たとえば条件的組み換え系または原核転写調節配列を用いて、発現の一時的パターンを提供することができる。
【０１６８】
in vivo部位特異的遺伝子操作を介して導入遺伝子の発現を調節することができるようにする遺伝子技術は当業者に既知である。たとえば、標的配列の遺伝子組み換えを触媒するリコンビナーゼの調節された発現を行うことのできる遺伝子系が利用可能である。ここで用いられるように、「標的配列」の語句はリコンビナーゼによって遺伝的に組み換えられたヌクレオチド配列を指す。標的配列はリコンビナーゼ認識配列に隣接され、リコンビナーゼ活性を発現している細胞では一般に削除または反転されている。リコンビナーゼに触媒された組み換え現象を、標的配列の組み換えの結果、対象htrbタンパク質の一つの発現の活性化または抑制が生じるように設計することができる。たとえば、アンタゴニスト相同遺伝子またはアンチセンス転写物をコードするもののような、組み換えhtrb遺伝子の発現に干渉する標的配列の削除を、その遺伝子を活性化するために設計することができる。タンパク質の発現に関するこの干渉は、たとえばプロモータ因子または内部終止コドンからhtrb遺伝子が空間的に離れていることのような、さまざまな機構の結果として生じうる。さらに、導入遺伝子は遺伝子のコード配列がリコンビナーゼ認識配列に隣接されるように、またプロモータ因子について最初は細胞内に3'から5'の向きで導入されるように作成することができる。そのような場合、標的配列の逆位は、コード配列の5'末端をプロモータ因子についてプロモータによって起こる転写活性化が起こるような向きに配置することによって、対象遺伝子の向きを再設定する。
【０１６９】
本発明の遺伝子導入動物はすべて、その複数の細胞内に本発明の導入遺伝子を含み、その導入遺伝子は細胞成長、死および／または分化の制御に関して「宿主細胞」の表現型を変える。ここに記載の一またはそれ以上の導入遺伝子構造を利用する本発明の遺伝子導入生物を作成することが可能であるので、概要の説明は遺伝子導入生物の作成について一般に外因性遺伝子材料に言及して行う。この概要は下記に示す方法および材料を利用して特定の導入遺伝子配列を生物に組み込むために、当業者によって応用されうる。
【０１７０】
例証となる一実施形態では、バクテリオファージP1のcre/loxPリコンビナーゼ系 (非特許文献８８;非特許文献８９）またはSaccharomyces cerevisiaeのFLPリコンビナーゼ系(非特許文献９０;特許文献１３)のいずれかを用いてin vivo 部位特異的遺伝子組み換え系を作成することができる。CreリコンビナーゼはloxP配列の間に位置する介在標的配列の部位特異的組み換えを触媒する。loxP配列はCreリコンビナーゼが結合する34塩基対ヌクレオチド反復配列であり、Creリコンビナーゼ媒介遺伝子組み換えに必要である。loxP配列の向きは、Creリコンビナーゼが存在するとき介在標的配列が切除されるかまたは反転されるかを決定し(非特許文献９１); loxP 配列が順行反復の向きであるときは標的配列の切除を触媒し、loxP 配列が逆行反復の向きであるときは標的配列の反転を触媒する。
【０１７１】
したがって、標的配列の遺伝子組み換えはCreリコンビナーゼの発現に依存する。リコンビナーゼの発現は、たとえば組織特異的、発生段階特異的、外部から添加した物質によって誘導または抑制されうる調節制御を受けるプロモータ因子によって調節されうる。この調節制御の結果、リコンビナーゼ発現がプロモータ因子によって媒介される細胞だけで標的配列の遺伝子組み換えが生じる。したがって、組み換えhtrbタンパク質の活性化発現はリコンビナーゼ発現の制御を通じて調節されうる。
【０１７２】
組み換えhtrbタンパク質の発現を調節するためにcre/loxPリコンビナーゼ系を用いるには、Creリコンビナーゼと対象タンパク質の両方をコードする導入遺伝子を含む遺伝子導入動物の作成が必要である。Creリコンビナーゼと組み換えhtrb遺伝子の両方を含む動物は、「二重」遺伝子導入動物の作成によって提供されうる。そのような動物を提供する便利な方法は、それぞれが一つの導入遺伝子、たとえばhtrb遺伝子とリコンビナーゼ遺伝子を含む二つの遺伝子導入動物を交配することである。
htrb導入遺伝子を含む遺伝子導入動物をリコンビナーゼ媒介発現形式で最初に作成することの一つの利点は、対象タンパク質が、アゴニストまたはアンタゴニストであるが、遺伝子導入動物で発現すると有害である可能性に由来する。そのような場合、対象導入遺伝子がすべての組織でサイレントである創始個体集団を繁殖させ維持することができる。この創始個体集団の各個体は、リコンビナーゼをたとえば一またはそれ以上の組織および／または目的の一時的パターンで発現している動物と交配することができる。このように、たとえば拮抗性htrb導入遺伝子がサイレントである創始個体集団を作成することで、その創始個体からの、特定の組織でまたはある発生段階でhtrb媒介誘導が破壊されることがたとえば致死表現型を生じる結果になる子孫を研究することができる。
【０１７３】
htrb導入遺伝子の発現を促進するには原核タンパク質が同時に発現されている必要のある原核プロモータ配列を用いて、類似の条件的導入遺伝子を提供することができる。典型的なプロモータと、対応する転写活性化原核タンパク質は特許文献１４に示されている。
【０１７４】
条件的導入遺伝子のさらなる過剰発現を、たとえばリコンビナーゼまたは原核タンパク質といった転写活性化タンパク質をコードする遺伝子が組織に送達され細胞型特異的な方式で発現させられる遺伝子治療様の方法で誘導することができる。この方法では、htrb導入遺伝子は、転写活性化因子の導入によって「スイッチが入る」までサイレントのまま成熟期まで留まることができる。
【０１７５】
典型的な一実施形態において、本発明の「遺伝子導入非ヒト動物」は、導入遺伝子を非ヒト動物の生殖細胞系列に導入することによって作成される。導入遺伝子を導入するために、発生のさまざまな段階にある胚の標的細胞を用いることができる。胚の標的細胞の発生段階によって異なる方法が用いられる。本発明の実施に用いられる任意の動物の特定の系列は、良好な一般的健康、良好な胚収率、胚において前核が見えやすいこと、繁殖に関して健康であることについて選択される。さらに、ハプロタイプは重要な要素である。たとえば、遺伝子導入マウスを作成するとき、C57BL/6またはFVBといった系統がしばしば用いられる(Jackson Laboratory, Bar Harbor, ME)。好ましい系統は、たとえばC57BL/6またはDBA/1のように、H-2b、H-2dまたはH-2qハプロタイプを有する系統である。本発明の実施に用いられる系統はそれ自体が遺伝子導入動物、および／またはノックアウト動物であることができる(すなわち、部分的または完全に抑制された一またはそれ以上の遺伝子を有する動物から得られた)。一実施形態では、導入遺伝子構造は一細胞期胚に導入される。接合子は微量注入の最良の標的である。マウスでは、雄性前核は直径約20μmに達し、1〜2pLのDNA溶液の再現性のある注入が可能になる。遺伝子導入の標的として接合子を用いることには、大部分の場合注入されたDNAは第一卵割の前に宿主遺伝子に組み込まれるという大きな利点がある(非特許文献９２)。結果として、遺伝子導入動物のすべての細胞が組み込まれた導入遺伝子を持つことになる。生殖細胞の50%が導入遺伝子を有するため、このことはまた一般的に、導入遺伝子の創始個体から子孫への効率的な伝達に反映される。
【０１７６】
通常、受精胚は前核が出現するまで適当な培地中でインキュベートされる。概ねこの時に、導入遺伝子を含むヌクレオチド配列が雌性または雄性前核へ下記に示すように導入される。マウスのような一部の種では、雄性前核が好ましい。外因性遺伝物質を接合子雄DNA相補体に、それが卵核または接合子の雌性前核によって処理される前に加えるのが非常に好ましい。卵核または雌性前核は、雄DNA相補体に影響を与える分子を放出すると考えられており、おそらく雄DNAのプロタミンをヒストンで置換することによって、雌および雄DNA相補体の組み合わせを促進し二倍体接合子を形成する。
【０１７７】
したがって、外因性遺伝物質を、DNAの雄相補体またはDNAの任意の他の相補体に、それが雌性前核から影響を受ける前に加えるのが好ましい。たとえば、外因性遺伝物質は、雄性前核の形成後できるだけ早く初期雄性前核に加えられ、このとき雄性および雌性前核は十分離れていて両方が細胞膜の近くに位置する。あるいは、精子核が脱凝縮するように誘導された後に、外因性遺伝物質を精子核に加えることができる。外因性遺伝物質を含む精子はそれから卵子に加えることができ、または脱凝縮精子を卵子に加えその後できるだけ早く導入遺伝子構造を加えることができる。
【０１７８】
導入遺伝子ヌクレオチド配列を胚に導入することは、たとえば微量注入、エレクトロポレーション、またはリポフェクションといった既知の任意の方法で達成しうる。導入遺伝子ヌクレオチド配列の胚への導入後、胚はさまざまの長さの時間in vitroでインキュベートすることができ、または代理母に再移植することができ、またはその両方である。満期までのin vitroインキュベーションも本発明の範囲内にある。一つの一般的方法では胚をin vitroで種によって約1〜7日間インキュベートし、それから代理母に再移植する。
【０１７９】
本発明の目的のためには、接合子は本質的に、完全な生物に発生することのできる二倍体細胞の形成である。一般的に接合子は、一つの配偶子または複数の配偶子に由来する二つの半数体核の融合によって自然にまたは人工的に生じた核を含む卵から成る。したがって、配偶子核は自然に対応するもの、すなわち、分化を受け、機能する生物に発生することのできる、生存能力のある接合子を生じるものでなければならない。一般的に、正倍数性接合子が好ましい。正倍数性接合子が得られる場合は、染色体数は、両方の配偶子が生じた生物の正倍数と１より大きく異なるべきでない。
【０１８０】
類似の生物学的事項に加えて、物理的な事項もまた、接合子の核または遺伝物質に加えることのできる、接合子核の一部を構成する外因性遺伝物質の量(たとえば容量)を支配する。遺伝物質が全く除去されない場合、加えることのできる外因性遺伝物質の量は、物理的に破壊的となることなく吸収されうる量によって制限される。一般的に、挿入される外因性遺伝物質の量は約10ピコリットルを超えない。付加の物理的影響は、接合子の生存能力を破壊するほど大きくてはならない。結果として生じる接合子の遺伝物質は、外因性遺伝物質を含め、接合子が機能する生物になる分化および発生を開始し維持することが生物学的に可能でなければならないので、DNA配列の数と変異の生物学的な限界は、特定の接合子および外因性遺伝子の機能によって異なり、当業者には容易に明らかとなる。
【０１８１】
接合子に加えられた導入遺伝子構造のコピー数は、加えられた外因性遺伝物質の総量に依存し、遺伝子形質転換が生じることの可能な量となる。理論的に必要なのは一つのコピーだけである;しかし一般的に、一つのコピーが機能するのを保証するため、たとえば導入遺伝子構造の1,000〜20,000コピーといった多数のコピーが用いられる。本発明に関しては、外因性DNA配列の表現型発現を高めるために、挿入された外因性 DNA配列のそれぞれについて一つより多い機能するコピーを有することにはしばしば利点がある。
【０１８２】
細胞、核膜または他の存在する細胞または遺伝構造を破壊するものでない限り、外因性遺伝物質を核遺伝物質に付加させることのできる任意の技術を用いることができる。外因性遺伝物質は核遺伝物質に微量注入によって優先的に挿入される。細胞および細胞内構造の微量注入は当該分野で既知であり利用されている。
【０１８３】
再移植は標準的方法を用いて達成される。通常、代理母は麻酔され、胚は卵管に挿入される。特定の宿主に移植される胚の数は種によって異なるが、通常はその種の自然の産仔数に相当する。
【０１８４】
代理母の遺伝子導入仔は、導入遺伝子の存在および／または発現について任意の適当な方法を用いてスクリーニングすることができる。スクリーニングはしばしば、導入遺伝子の少なくとも一部と相補的なプローブを用いたサザンブロットまたはノーザンブロット分析によって達成される。導入遺伝子産物の存在についてのスクリーニングの代替または追加となる方法として、導入遺伝子にコードされたタンパク質に対する抗体を用いたウェスタンブロット分析を用いることができる。典型的には DNAを尾の組織から調製し、サザン分析またはPCRによって導入遺伝子について分析される。あるいは、導入遺伝子を最高のレベルで発現していると考えられている組織または細胞を、導入遺伝子の存在および発現についてサザン分析またはPCRを用いて試験することができるが、この分析には任意の組織または細胞型を用いることができる。
【０１８５】
導入遺伝子の存在を評価するための代替のまたは追加の方法は、制限なく、酵素および／または免疫学的検定のような適当な生化学検定、特定のマーカーまたは酵素活性についての組織染色、フローサイトメトリー分析、などを含む。血液の分析 もまた血液中の導入遺伝子産物の存在を検出するのに、またさまざまな型の血液細胞および他の血液成分の濃度に対する導入遺伝子の効果を評価するのにも有益でありうる。
【０１８６】
遺伝子導入動物の子孫は、遺伝子導入動物を適当なパートナーと交配することによって、または遺伝子導入動物から得られた卵子および／または精子のin vitro受精によって得ることができる。パートナーとの交配を行うとき、パートナーは遺伝子導入および／またはノックアウトであることもまたはないこともできる;遺伝子導入であるとき、同じまたは異なる導入遺伝子、または両方を含むことができる。あるいは、パートナーは親系統であることができる。in vitro受精が用いられるとき、受精胚は代理母に移植またはin vitroインキュベートする、または両方を行うことができる。いずれかの方法を用いて、子孫は導入遺伝子の存在について上記の方法または他の適当な方法を用いて評価することができる。
【０１８７】
本発明にしたがって作成された遺伝子導入動物は外因性遺伝物質を含む。上記に示すように、外因性遺伝物質は、ある実施形態では、結果としてhtrbタンパク質(アゴニストまたはアンタゴニスト)、そしてアンチセンス転写物、またはhtrb変異体の産生を行うDNA配列である。さらに、そのような実施形態では配列は転写調節因子たとえばプロモータと結合しており、それは好ましくは特定の型の細胞において導入遺伝子産物を発現させる。
【０１８８】
レトロウイルス感染もまた導入遺伝子を非ヒト動物へ導入するのに用いることができる。発生中の非ヒト胚はin vitroで胞胚期まで培養することができる。この期間中、割球はレトロウイルス感染の標的となりうる(非特許文献９３)。割球の効率的な感染は酵素処理で透明帯を除去することによって得られる(非特許文献８７)。導入遺伝子を導入するのに用いるウイルスベクター系は典型的には、導入遺伝子を有する複製に欠陥のあるレトロウイルスである(非特許文献９４;非特許文献９５)。導入は割球を単層のウイルス産生細胞上で培養することによって容易かつ効率的に得られる(非特許文献９５（前記）;非特許文献９６)。あるいは、感染はより遅い段階で行うことができる。ウイルスまたはウイルス産生細胞は胞胚腔へ注入することができる(非特許文献９７)。創始個体の大半は、遺伝子導入非ヒト動物を形成する細胞の部分集合でだけ組み込みが起こるため、導入遺伝子についてモザイクとなる。さらに、創始個体はゲノムの異なる位置に導入遺伝子のさまざまなレトロウイルス挿入を有する可能性があり、これは一般に子孫において分離する。さらに、妊娠中期胚の子宮内レトロウイルス感染によって、導入遺伝子を生殖細胞系へ導入することも可能である(非特許文献９７（上記）)。
【０１８９】
導入遺伝子導入のための標的細胞の第三の型は胚性幹細胞(ES)である。ES細胞はin vitroで培養された移植前胚から得られ、胚と融合される(非特許文献９８;非特許文献９９;非特許文献１００;および非特許文献１０１)。導入遺伝子は、DNA導入またはレトロウイルス媒介形質導入によって、ES細胞へ効率的に導入することができる。そのような形質転換ES細胞はその後非ヒト動物からの胞胚と組み合わせることができる。ES細胞はその後、胚にコロニー形成し、結果として生じるキメラ動物の生殖細胞系に寄与する。総説は非特許文献１０２を参照。
【０１９０】
4.7. htrb治療薬のスクリーニング検定
本発明はさらに、たとえば治療および／または異常なhtrb活性が原因で生じるかまたはそれが寄与する、そしてhtrb活性またはタンパク質濃度の調節によって恩恵を受けることのできる疾患または状態の発症を防ぐための、htrb治療薬を同定するスクリーニング方法を提供する。そのような疾患、状態または障害の例はたとえば炎症性反応を含む：リウマチ性関節炎、炎症性腸疾患、Ｉ型糖尿病、乾癬、骨粗鬆症、糖尿病性腎炎、円形脱毛症、グレーブス病、全身性エリテマトーデス、硬化性苔癬、潰瘍性大腸炎、冠動脈疾患、動脈炎、糖尿病性網膜症、低出生体重、妊娠合併症、重症歯周病、乾癬およびインシュリン依存性糖尿病：を制限なく含むが、特に動脈病変、がん、たとえば、ステロイドホルモン応答性腫瘍の成長を含むがん(たとえば乳がん、前立腺がん、または精巣がん)、血管系疾患または障害(たとえば血栓症発作、虚血性発作、ならびにアテローム硬化性および血栓性過程に由来する末梢血管疾患)、心臓障害(たとえば、心筋梗塞、鬱血性心不全、不安定狭心症および虚血性心疾患);そして心血管系疾患および障害(たとえば高血圧、低血圧、心筋細胞肥大そして鬱血性心不全に由来するもの)またはhtrb依存性過程の異常または変化の結果として生じる他の疾患、状態または障害によって特徴づけられる。
【０１９１】
htrb治療薬は、タンパク質、ペプチド、類似構造ペプチド、小分子、そして核酸を含む、任意の型の化合物でありうる。核酸はたとえば、遺伝子、アンチセンス核酸、リボザイム、または、三重らせん分子でありうる。本発明のhtrb治療薬はアゴニストまたはアンタゴニストでありうる。好ましいhtrbアゴニストは、htrbタンパク質または、少なくとも一つのhtrb活性、たとえば、繊維芽細胞成長因子受容体結合またはヘパリン硫酸結合を模倣するその誘導体でありうる。他の好ましいアゴニストは、細胞中のhtrbタンパク質産生を増加させることのできる化合物、たとえば、htrb遺伝子の発現をアップレギュレートすることのできる化合物、そしてhtrb活性および／またはhtrbタンパク質ともう一つの分子たとえば標的ペプチドとの相互作用を増大させることのできる化合物を含む。好ましいhtrbアンタゴニストは、優性阻害タンパク質であってたとえば繊維芽細胞成長因子受容体と結合することができるがヘパリン硫酸とはできないhtrbタンパク質を含む。他の好ましいアンタゴニストは、細胞中のhtrbタンパク質産生を減少または阻害する化合物、htrb遺伝子の発現をダウンレギュレートすることのできる化合物、htrb活性および／またはhtrbタンパク質ともう一つの分子との相互作用をダウンレギュレートすることのできる化合物を含む。別の好ましい一実施形態では、htrbアンタゴニストは標的ペプチドの修飾形であって、htrbタンパク質のFGFR結合領域と相互作用することができるが生物学的活性を有しない、たとえば、それ自体が細胞表面受容体ではない。
【０１９２】
本発明はまた、たとえば野生型htrbタンパク質またはhtrbタンパク質の変異形といったhtrbタンパク質と結合することができ、それによってhtrbの成長因子活性を調節するか、でなければhtrbの分解を引き起こすhtrb治療薬を同定するためのスクリーニング方法を提供する。たとえば、そのようなhtrb治療薬は、あるhtrbタンパク質(野生型または変異型)と特異的に相互作用する抗体またはその誘導体でありうる。
【０１９３】
このようにして、本発明は、htrbタンパク質と相互作用することのできる、またはFGF受容体および／またはヘパリン硫酸といったhtrbタンパク質と相互作用することのできる分子と相互作用することのできる化合物、および／または htrbタンパク質と受容体および／またはヘパリン硫酸といったもう一つの分子との相互作用を調節することのできる化合物を選択することから成る、htrbアゴニストおよびアンタゴニスト化合物を同定するためのスクリーニング方法を提供する。一般的に、htrbタンパク質と相互作用することのできる分子はここでは「htrb結合パートナー」と呼ぶ。
【０１９４】
本発明の化合物は、化合物の型および化合物の望まれる活性に応じてさまざまな分析法を用いて同定することができる。加えて、ここで記載するように、被験化合物は動物モデルでさらに試験することができる。下記に示すのはhtrb治療薬の同定に用いることのできる少なくとも一部の分析法である。治療薬を同定するための追加の分析法を設計することは当該分野の技術範囲内にある。
【０１９５】
4.7.1. 無細胞検定法
無細胞検定法は、htrbタンパク質または結合パートナー相互作用することができ、それによってhtrbタンパク質または結合パートナーの活性を修飾する化合物を同定するのに用いることができる。そのような化合物は、たとえば、タンパク質または結合パートナーの構造を修飾しそれによってその活性を示すことができる。無細胞検定法はまた、htrbタンパク質と標的ペプチドのようなhtrb結合パートナーとの間の相互作用を調節する化合物を同定するのに用いることができる。好適な一実施形態においては、そのような化合物を同定するための無細胞検定法は、本質的に、結合パートナーの存在または非存在下でタンパク質と被験化合物または被験化合物のライブラリを含む反応混合物にある。被験化合物はたとえばhtrb結合パートナーの誘導体であることができ、そのhtrb結合パートナーはたとえば生物学的に不活性な標的ペプチドまたは小分子である。
【０１９６】
したがって、本発明の一つの典型的なスクリーニング検定法は、htrbタンパク質またはその機能性断片またはhtrb結合パートナーを被験化合物または被験化合物のライブラリと接触させ、複合体の形成を検出する段階を含む。検出目的で、分子は特異的マーカーで、そして被験化合物または被験化合物のライブラリは異なるマーカーで標識することができる。被験化合物のhtrbタンパク質またはその断片またはhtrb結合パートナーとの相互作用はそれから、インキュベート段階と洗浄段階の後で、二つの標識の濃度を測定することによって検出できる。洗浄段階後の二つの標識の存在は、相互作用の存在を示す。
【０１９７】
分子間相互作用はまた、光学現象である表面プラズモン共鳴(SPR)を検出するリアルタイムBIA(生体分子相互作用分析、Pharmacia Biosensor AB)を用いて確認することができる。検出は生物特異的インターフェースにおける巨大分子の質量濃度の変化に依存し、反応体を標識する必要が無い。一実施形態では、被験化合物のライブラリを、たとえばマイクロフローセルの一つの面となるセンサー表面に固定化することができる。htrbタンパク質、その機能性断片、htrbアナログまたはhtrb結合パートナーを含む溶液をそれからセンサー表面上に連続的に流す。シグナル記録上に示される共鳴角の変化は、相互作用が生じていることを示す。この技術はさらに、たとえばBIAtechnology Handbook by Pharmaciaに記載されている。
【０１９８】
本発明の別の典型的なスクリーニング検定法は、(a)(i)htrbポリペプチド、(ii)htrb結合パートナー、および(iii)被験化合物：を含む反応混合物の作成;そして(b)htrbとhtrb結合タンパク質との相互作用を検出する段階を含む。htrbポリペプチドとhtrb結合パートナーは、ここに記載の通り、組み換えによって、またはたとえば血漿といった起源物から精製して、または化学的に合成して作成することができる。被験化合物の存在下でhtrbとhtrb結合タンパク質の相互作用にみられる、被験化合物の非存在下での相互作用と比較して統計的に有意である変化(増強または阻害)は、被験化合物がhtrb生物活性の潜在的なアゴニスト(模倣体または増強剤)またはアンタゴニスト(阻害因子)であることを示す。この検定法の化合物は同時に接触させることができる。あるいは、htrbタンパク質を最初に被験化合物と適当な長さの時間接触させることができ、次いでhtrb結合パートナーを反応混合物に加える。化合物の有効性は、被験化合物のさまざまな濃度を用いて得られたデータから用量反応曲線を作成することによって評価できる。さらに、比較のためのベースラインを提供する対照分析もまた行うことができる。対照分析では、htrb結合パートナーまたはhtrbポリペプチドを含む組成物に、単離され精製されたhtrbポリペプチドまたは結合パートナーが加えられ、複合体の形成が被験化合物の非存在下で定量される。
【０１９９】
htrbタンパク質とhtrb結合パートナーとの間の複合体形成は、さまざまな技術によって検出されうる。複合体の形成の調節は、たとえば放射性標識化、蛍光標識化、酵素的標識化htrbタンパク質またはhtrb結合パートナーといった検出可能に標識されたタンパク質を用いて、免疫検定法によって、またはクロマトグラフィー検出によって定量できる。
【０２００】
典型的には、htrbまたはその結合パートナーのどちらかを固定化して、複合体を形成していない形または両方のタンパク質から複合体を分離するのを促進し、また検定法の自動化に適応させるのが望ましい。htrbのhtrb結合パートナーへの結合は、反応物を入れるのに適当な任意の容器中で行うことができる。例にはマイクロタイタープレート、試験管、および微量遠心管が含まれる。一実施形態では、タンパク質がマトリクスに結合できるようにするドメインを加えた融合タンパク質を提供することができる。たとえば、グルタチオン-S-トランスフェラーゼ/htrb(GST/htrb)融合タンパク質はグルタチオンセファロースビーズ(Sigma Chemical, St. Louis, MO)またはグルタチオン誘導体化マイクロタイタープレート上に吸着させることができ、それらを次いでたとえば35S標識htrb結合パートナーといったhtrb結合パートナー、および被験化合物と組み合わせ、たとえば塩およびpHについて生理的条件で、それより少しストリンジェントな条件が望ましい可能性があるが、複合体形成に適した条件下で混合物をインキュベートする。インキュベート後に、結合していない標識を除去するためビーズを洗浄し、マトリクスを固定化して放射性標識を直接測定する(たとえばビーズをシンチレーター材に入れる)か、または複合体を続いて解離させてのち上清中の放射性標識を測定する。あるいは、複合体をマトリクスから解離させ、SDS-PAGEによって分離し、ビーズ画分にみられるhtrbタンパク質またはhtrb結合パートナーの量をゲルから、標準の電気泳動技術を用いて付属の実施例に記載されたように、定量することができる。
【０２０１】
タンパク質をマトリクス上に固定化する他の技術もまたここで注目する検定法で用いるために利用可能である。たとえば、htrbまたはその同族結合パートナーのいずれかを、ビオチンおよびストレプトアビジンとの結合を利用して固定化することができる。たとえば、ビオチン化htrb分子をビオチン-NHS(N-ヒドロキシ-スクシニミド)から既知の技術(たとえばビオチン化キット、Pierce Chemicals, Rockford, IL)を用いて調製し、ストレプトアビジン-被覆96穴プレート(Pierce Chemical)のウェルに固定化することができる。あるいは、htrbと反応する抗体をプレートのウェルに誘導体化し、抗体結合によってhtrbをウェルに捕捉させることができる。上記の通り、htrb結合タンパク質と被験化合物の調製物を、プレートのhtrbを提示するウェルでインキュベートし、ウェルに捕捉された複合体の量を定量することができる。そのような複合体を検出する典型的な方法は、GST-固定化複合体について上に記載したものに加えて、include htrb結合パートナーと反応する抗体、またはhtrbタンパク質と反応し結合パートナーと競合する抗体を用いた複合体の免疫検出;また結合パートナーに関連する、内在性または外来性活性である酵素活性の検出に基づく酵素結合検定法を含む。外来性の場合、酵素は化学的に結合させるかまたはhtrb結合パートナーとの融合タンパク質として与えることができる。たとえば、htrb結合パートナーはホースラディッシュペルオキシダーゼと化学的に架橋するかまたは遺伝的に融合することができ、複合体に捕捉されたポリペプチドの量を酵素の発色基質、たとえば3,3'-ジアミノ-ベンジジン四塩酸塩または4-クロロ-1-ナフトールを用いて評価することができる。同様に、ポリペプチドとグルタチオン-S-トランスフェラーゼを含む融合タンパク質を与え、1-クロロ-2,4-ジニトロベンゼンを用いてGST活性を検出することによって複合体形成を定量することができる(非特許文献１０３)。
【０２０２】
複合体に捕捉された一つのタンパク質を免疫検出に基づいて定量する過程には、タンパク質に対する抗体、たとえば抗htrb抗体を用いることができる。あるいは、複合体中の検出するタンパク質を、htrb配列に加えて、抗体が容易に(たとえば市販品で)入手できるもう一つのポリペプチドを含む融合タンパク質の形で「エピトープ標識」することができる。たとえば、上記のGST融合タンパク質はまた、GST部分に対する抗体を用いて、結合の定量に使用することができる。他の有用なエピトープ標識は、c-myc由来の1030残基配列を含むmycエピトープ(たとえば非特許文献１０４を参照)、ならびにpFLAG系(International Biotechnologies, Inc.)またはpEZZ-プロテインA系(Pharmacia, NJ)を含む。
【０２０３】
htrbタンパク質と相互作用しhtrbタンパク質の活性を調節する化合物を同定するのに無細胞検定法をまた用いることができる。したがって、一実施形態では、htrbタンパク質を被験化合物と接触させ、htrbの触媒活性が観察される。一実施形態では、htrbの標的分子と結合する能力が測定される。htrbの標的分子への結合親和性は既知の方法で測定することができる。
【０２０４】
4.7.2. 細胞検定法
上に記載したような無細胞検定法に加えて、本発明の提供するhtrbタンパク質は、たとえば小分子アゴニストまたはアンタゴニストを同定するための細胞検定法の作成を容易にする。一実施形態では、細胞膜外表面上にhtrb受容体タンパク質を発現している細胞を、被験化合物単独の存在下で、または被験化合物およびhtrbタンパク質の存在下でインキュベートし、被験化合物とhtrb受容体タンパク質との間、またはhtrbタンパク質(好ましくは標識htrbタンパク質)とhtrb受容体との間の相互作用をたとえばマイクロフィジオメーターを用いて検出する(非特許文献１０５)。htrb受容体タンパク質と、被験化合物またはhtrbタンパク質のいずれかとの間の相互作用は、溶媒の酸性化にみられる変化としてマイクロフィジオメーターによって検出される。この分析系はこのように、たとえばhtrb-htrb受容体相互作用に干渉することによって機能する分子アンタゴニスト、ならびにたとえばhtrb受容体を活性化することによって機能する分子アゴニストを同定する方法を提供する。
【０２０５】
細胞検定法はまた、htrb遺伝子の発現を調節する化合物、htrbmRNAの翻訳を調節する、もしくはhtrbmRNAまたはタンパク質の安定性を調節する化合物を同定するのに用いられる。したがって、一実施形態では、htrbを産生することのできる細胞、たとえば、JEG-3のような絨毛がん細胞株を被験化合物とインキュベートし、細胞培地中に産生されたhtrbの量を測定し、被験化合物と接触していない細胞から産生されたものと比較する。htrbに対するその化合物の特異性はさまざまな対照分析、たとえば、一またはそれ以上の対照遺伝子の発現を測定することによって確認することができる。試験しうる化合物は小分子、タンパク質および核酸を含む。特に、この検定法はhtrbアンチセンス分子またはリボザイムの有効性を測定するのに用いることができる。
【０２０６】
別の一実施形態では、htrb遺伝子の転写に対する被験化合物の影響が、htrb遺伝子のプロモータの少なくとも一部に作用のために連鎖したレポーター遺伝子を用いた導入実験によって測定される。遺伝子のプロモータ領域は、たとえばゲノムライブラリから既知の方法によって単離することができる。レポーター遺伝子は、たとえばルシフェラーゼまたはCAT遺伝子といった、容易に定量できるタンパク質をコードした任意の遺伝子とすることができる。そのようなレポーター遺伝子は既知である。
【０２０７】
好適な実施形態においては、本発明は絨毛がん細胞株JEG-3を用いた細胞検定法を提供する。この細胞株の分析は、これがウサギ抗htrbポリクローナル抗血清で免疫沈降される17kDaのhtrbポリペプチドを産生することを示している。したがって、この細胞株は、htrb遺伝子の発現をアップレギュレートまたはダウンレギュレートするか、でなければhtrbポリペプチドの定常状態濃度、またはhtrbタンパク質分解処理現象、htrbグリコシル化、htrbリン酸化またはhtrb分泌といったhtrbポリペプチド翻訳後活性の効率に影響を与える物質のスクリーニング検定法に用いることができる。
【０２０８】
本発明の方法に用いることができる他の細胞スクリーニング検定法は当業者に既知であるかまたは明らかとなる。たとえば、htrbアゴニストおよびアンタゴニストは、それらが下流AP-1依存性転写活性化に影響する能力によって同定しうる。AP-1依存性活性化は複数の機構によって起こる。
【０２０９】
本発明はさらに、上記のスクリーニング検定法によって同定された新規の物質およびそのここに記載の治療への用途に関する。
【０２１０】
4. 8. 予測的医薬
本発明はさらに、新規のhtrb遺伝子の同一性および、コードされたhtrbタンパク質の個人における発現レベルおよび／または機能に影響するその遺伝子と関連経路遺伝子の変化に少なくとも一部基づく予測的医薬を扱う。
【０２１１】
たとえば、ここに記載の診断検定法を用いて得られた情報は(単独で、または同じ疾患に寄与する他の遺伝子欠陥に関する情報と組み合わせて)、症状を有する対象者(たとえば炎症性リウマチ性関節炎の症状を有する対象者)が、特定の疾患または障害の原因となるかまたはそれに寄与する遺伝子欠陥を(たとえばhtrb遺伝子に、またはhtrb遺伝子の発現を調節する遺伝子に)有することを診断するかまたは確認するのに有用である。あるいは、その情報は(単独で、または同じ疾患に寄与する他の遺伝子欠陥に関する情報と組み合わせて)無症状の対象者が、対象者の異常なhtrb活性またはタンパク質濃度が原因で生じるかまたはそれが寄与する疾患または状態を発症する可能性があるかどうかを予知的に予測するのに用いることができる。その予知情報に基づき、医師はその個人における特定の疾患または状態を防ぐかまたは発症を延期するのに有用な、摂生(たとえば食事療法または運動)または治療計画を勧めることができる。
【０２１２】
さらに、個人において欠陥のあるまたは不完全なhtrb遺伝子またはタンパク質を生じる結果となる特定の一つの変化または複数の変化の知識は(htrb遺伝子プロファイル)、単独で、または同じ疾患に寄与する他の遺伝子欠陥に関する情報と組み合わせて(特定の疾患の遺伝子プロファイル)、「薬理ゲノム学」の目標である、特定の疾患の治療をその人の遺伝子プロファイルにカスタマイズすることを可能にする。たとえば、個人のhtrb遺伝子プロファイル、またはhtrb遺伝子変化が原因となるか寄与するある疾患または状態の遺伝子プロファイルによって、医師は1)その疾患または状態の分子的基盤に対処する薬物をより効果的に処方する;そして2)特定の薬物の適当な用量をよりよく決定することができる。たとえば、htrbタンパク質の発現レベルは、単独で、または同じ疾患に寄与することが知られている他の遺伝子の発現レベルと組み合わせて、その疾患のさまざまな段階にある多くの患者で測定することができ、その疾患の転写または発現プロファイルを作成することができる。個々の患者の発現パターンをそれからその疾患の発現プロファイルと比較し、その患者に投与する適当な 薬物および用量を決定することができる。
【０２１３】
htrbまたは疾患遺伝子プロファイルに基づいて、最高の臨床的有用性を示すことが予測される集団を標的とする能力は:1)市場での結果が思わしくない既発薬物の再位置づけ;2)患者部分集合に特異的な安全性または有効性の限界の結果として臨床開発が中断された薬物候補の救済;そして3) 薬物候補について加速されたそしてコストのより低い開発、およびより最適な薬物の識別(たとえばhtrbをマーカーとして用いることは有効量を最適化するのに有用であるので)、を可能にすることができる。
【０２１４】
これらの、そして他の方法は、以下の節でさらに詳細に記載する。
【０２１５】
4.8.1. 予知および診断検定法
本方法は、異常なhtrb活性、たとえば、htrbタンパク質の異常な濃度または異常なhtrb生物活性に伴う疾患、状態または障害を有する(診断)かまたは発症する危険がある(予知)かを判断する手段を提供する。そのような疾患、状態または障害の例は:リウマチ性関節炎、炎症性腸疾患、乾癬、紅斑性狼瘡、潰瘍性大腸炎、そして円形脱毛症、ならびに糖尿病性腎炎を含む炎症性疾患;成長因子サイトカインに関わるがんまたはステロイドホルモン応答性腫瘍(たとえば乳がん、前立腺がん、または精巣がん); 血管系疾患または障害(たとえば血栓症発作、虚血性発作、ならびにアテローム硬化性および血栓性過程に由来する末梢血管疾患)、心臓障害(たとえば、心筋梗塞、不安定狭心症および虚血性心疾患);心血管系疾患および障害(たとえば高血圧、低血圧、心筋細胞肥大そして鬱血性心不全に由来するもの)創傷治癒;肢再生;神経学的損傷または疾患(たとえばアルツハイマー病、パーキンソン病、AIDS関連症候群または脳性麻痺に伴うもの);またはhtrb依存性過程の異常または変化の結果として生じる心血管の副血行性増殖と再構成、血管新生、自己分泌または傍分泌機構による細胞形質転換、細胞の走化性刺激(たとえば内皮性)、神経前駆細胞型(たとえばPC12褐色細胞種)の神経突起伸長、成熟ニューロンの神経生理機能の維持、胚間充織および肢芽前駆組織の増殖、中胚葉誘導とその他の発生過程、コラゲナーゼおよびプラスミノーゲン活性化因子分泌の刺激、腫瘍血管新生、ならびに腫瘍侵入と転移：を含む他の疾患：を制限なく含む。
【０２１６】
したがって、本発明は、対象者が異常なhtrb濃度または生物活性が原因で生じるかまたはそれが寄与する疾患または状態を有するかまたは発症する可能性があるかどうかを判断する、たとえばhtrb遺伝子またはタンパク質の濃度、htrb生物活性および／またはhtrb遺伝子中の突然変異または特定の多型変異の存在を測定することを含む方法を提供する。
【０２１７】
一実施形態では、本方法は対象者がhtrbの異常なmRNAおよび／またはタンパク質濃度を有するかどうかを、たとえばノーザンブロット分析、逆転写-ポリメラーゼ連鎖反応(RT-PCR)、in situ ハイブリダイゼーション、免疫沈降法、ウェスタンブロットハイブリダイゼーション、または免疫組織化学法によって測定することを含む。本方法によると、対象者から細胞を得、htrbタンパク質またはmRNA濃度を測定し、健常者のhtrbタンパク質またはmRNA濃度と比較する。異常なhtrbポリペプチド濃度またはmRNA濃度は異常なhtrb活性を示す可能性が高い。
【０２１８】
別の一実施形態では、本方法はhtrbの少なくとも一つの活性を測定することを含む。たとえば、htrbのヘパリンへの親和性は、たとえばここに記載するように測定できる。同様に、対象者のhtrbタンパク質の結合パートナー(たとえばIL-1タイプIまたはタイプII受容体)との親和定数を測定できる。得られた結果と健常者由来のhtrbタンパク質について行った類似の分析の結果との比較は、対象者が異常なhtrb活性を有するかどうかを示す。
【０２１９】
好適な実施形態においては、対象者が異常なhtrb活性が原因で生じるかまたはそれが寄与する疾患を有するかまたは発症する危険があるかどうかを判断する本方法は、対象者から得た細胞検体中に、(i)htrbポリペプチドをコードする遺伝子の全体性に影響する変化、または(ii)htrb遺伝子の誤発現の少なくとも一つによって特徴づけられる遺伝子変化の存在または非存在を検出すること、を含むとして特徴づけられる。たとえば、そのような遺伝子変化は、(i)htrb遺伝子からの一またはそれ以上のヌクレオチドの欠失、(ii)htrb遺伝子への一またはそれ以上のヌクレオチドの付加、(iii)htrb遺伝子の一またはそれ以上のヌクレオチドの置換、(iv)htrb遺伝子の染色体全体の再配列、(v)htrb遺伝子のメッセンジャーRNA転写物濃度の大きな変化、(vii)たとえばゲノムDNAのメチル化パターンにおける、htrb遺伝子の異常な修飾、(vii)htrb遺伝子のメッセンジャーRNA転写物の非野生型スプライシングパターンの存在、(viii)htrbポリペプチドの非野生型濃度、(ix)htrb遺伝子の対立遺伝子欠損、および／または(x)htrbポリペプチドの不適当な翻訳後修飾、の少なくとも一つの存在を確認することによって検出できる。下記に示すように、本発明はhtrb遺伝子の変化を検出するための多数の分析技術を提供する。これらの方法は、配列分析を含む方法、サザンブロットハイブリダイゼーション、制限酵素部位マッピング、そして分析対象の核酸とプローブとの間のヌクレオチド対合の非存在の検出を含む方法、を含むがこれに限定されない。これらの、また他の方法はさらに後述する。
【０２２０】
特定の疾患または障害、たとえば遺伝子疾患または障害は、ある遺伝子の多型領域の特定の対立遺伝子変異に結びついており、これは必ずしも変異タンパク質をコードしている必要は無い。したがって、対象者におけるたとえば一塩基多型(「SNP」)のようなある遺伝子の多型領域の特定の対立遺伝子変異体の存在は、その対象者を特定の疾患または障害を発症しやすくする。たとえばhtrb遺伝子のような遺伝子中の多型領域は、個人の集合における遺伝子のヌクレオチド配列を測定することによって同定することができる。多型領域、たとえばSNPが同定された場合、特定疾患との関連は、たとえば鬱血性心不全、高血圧、低血圧、またはがん(たとえばステロイド応答性の一または複数の腫瘍の成長を含むがん)のような特定の疾患を発症した個人といった特定の個人の集団を研究することによって判断できる。多型領域はたとえば、エキソン、エキソンのコード領域または非コード領域、イントロン、およびプロモータ領域といった遺伝子の任意の領域に位置しうる。
【０２２１】
htrb遺伝子は多型領域を含む可能性が高く、その特定の対立遺伝子が特定の疾患または状態、またはそのような疾患または状態を発症するより高い可能性と結びつきうる。したがって、本発明は対象者のhtrb遺伝子の多型領域の対立遺伝子または対立遺伝子変異の同一性を判断する方法を提供し、それによって対象者が多型領域の特定の対立遺伝子変異に結びついた疾患または障害を有するかまたは発症する危険があるかどうかを判断する。
【０２２２】
典型的な一実施形態において、htrb遺伝子のセンスまたはアンチセンス配列、またはその天然にみられる変異体、または対象htrb遺伝子またはその天然にみられる変異体に天然に結びついた5'または3'隣接配列またはイントロン配列、とハイブリダイズすることができるヌクレオチド配列の領域を含む核酸プローブから成る核酸組成物が提供される。細胞の核酸は、ハイブリダイズが行われるようにされ、プローブは検体の核酸と接触させ、検体の核酸とプローブのハイブリダイゼーションが検出される。そのような技術は、欠失、置換、などを含む変化または対立遺伝子変異体をゲノムまたはmRNAレベルで検出するため、またmRNA転写物濃度を測定するために用いることができる。
【０２２３】
好ましい検出方法は、変異または多型部位と重なり合いまた変異または多型領域付近に約5、10、20、25、または30ヌクレオチドを有するプローブを用いた対立遺伝子特異的ハイブリダイゼーションである。本発明の好適な一実施形態においては、一塩基多型のような対立遺伝子変異体と特異的にハイブリダイズすることができるいくつかのプローブがたとえば「チップ」のような固相担体に結合されている。オリゴヌクレオチドは、リソグラフィーを含むさまざまな方法によって固相担体に結合させることができる。たとえば、一つのチップは最大250,000オリゴヌクレオチドを保持することができる。オリゴヌクレオチドを含む、また「DNAプローブアレイ」ともいうこれらのチップを用いた変異検出分析は、たとえば非特許文献１０６に記載されている。一実施形態では、一つのチップはある遺伝子の少なくとも一つの多型領域のすべての対立遺伝子変異体を含む。固相担体はそれから被験核酸と接触させ、特異的プローブとのハイブリダイゼーションが検出される。したがって、一またはそれ以上の遺伝子の多数の対立遺伝子変異体の同一性が、単純なハイブリダイゼーションで同定することができる。
【０２２４】
ある実施形態では、変化の検出は、アンカーPCRまたはRACE PCRといったポリメラーゼ連鎖反応(PCR) (たとえば特許文献１５および特許文献１６を参照)の、あるいは、リガーゼ連鎖反応(LCR)(たとえば、非特許文献０７;および非特許文献１０８を参照)のプローブ/プライマーを利用することを含み、そしてLCRはhtrb遺伝子中の点変異を検出するのに特に有用となりうる(非特許文献１０９を参照)。単に例証となる一実施形態において、本方法は(i)患者から細胞の検体を得る、(ii)検体の細胞から核酸(たとえば、 ゲノム, mRNAまたはboth)を単離する、(iii)核酸検体を、htrb遺伝子(存在すれば)のハイブリダイゼーションと増幅が起こるような条件下で、htrb遺伝子と特異的にハイブリダイズする一またはそれ以上のプライマーと接触させる、そして(iv)増幅産物の存在または非存在を検出する、または増幅産物の大きさを検出し対照検体の長さと比較する段階を含む。ここに記載の変異を検出する任意の技術と組み合わせて、PCRおよび／またはLCRを予備増幅段階として使用するのが望ましい可能性があると考えられる。
【０２２５】
別の増幅方法は:自律的配列複製(非特許文献１１０)、転写増幅系(非特許文献１１１)、Q-βレプリカーゼ(非特許文献１１２)、または任意の他の核酸増幅方法、その後の増幅分子の当業者に既知である技術を用いた検出、を含む。これらの検出の仕組みは、核酸分子が非常に小さい数存在する場合、核酸分子の検出に特に有用である。
【０２２６】
本検定法の好適な一実施形態においては、検体細胞からのhtrb遺伝子の変異または対立遺伝子変異体は、制限酵素切断パターンの変化によって同定される。たとえば、検体および対照DNAは単離され、増幅され(随意的に)、一またはそれ以上の制限酵素で消化され、そして断片長の大きさがゲル電気泳動で測定される。さらに、配列特異的リボザイム(たとえば、特許文献１７を参照)を用いて、リボザイム切断部位の発生または消失によって、特定の変異の存在を調べることができる。
【０２２７】
さらに別の一実施形態では、直接htrb遺伝子を配列決定して、検体htrbの配列を対応する野生型(対照)配列と比較することによって変異を検出するために、既知のさまざまな配列決定反応の任意のものを用いることができる。典型的な配列決定反応は、Maxim and Gilbert(非特許文献１１３)またはSanger(非特許文献１１４)によって開発された技術に基づくものを含む。また、本検定法を実施するとき、質量分析による配列決定(たとえば特許文献１８;非特許文献１１５;および非特許文献１１６を参照)を含むさまざまな自動化配列決定手順の任意のものを用いることができると考えられる(非特許文献１１７)。ある実施形態について、配列決定反応において核酸塩基の１個、２個、または３個だけの存在を確認すればよいのは当業者には明らかとなる。たとえば、一つの核酸だけが検出されるA-trackなどを行うことができる。
【０２２８】
さらなる一実施形態では、RNA/RNAまたはRNA/DNAまたはDNA/DNAヘテロ二重らせんにおけるミスマッチ塩基を検出するのに、切断試薬(たとえばヌクレアーゼ、ヒドロキシルアミンまたは四酸化オスミウムそしてピペリジンで)からの保護を用いることができる(非特許文献１１８)。一般に、「ミスマッチ切断」の技術は、野生型htrb配列を含む(標識)RNAまたはDNAを、組織検体から得られた変異している可能性のあるRNAまたはDNAとハイブリダイズさせることによって作られた、ヘテロ二重らせんを得ることから始まる。この二本鎖二重らせんは、対照と検体鎖の間の塩基対ミスマッチによって存在するような二重らせんの一本鎖領域を切断する試薬で処理される。ミスマッチ領域を酵素的に消化するために、たとえば、RNA/DNA二重らせんはRNaseで、またDNA/DNAハイブリッドはS1ヌクレアーゼで処理することができる。別の実施形態では、ミスマッチ領域を消化するために、DNA/DNAまたはRNA/DNA二重らせんは、ヒドロキシルアミンまたは四酸化オスミウムでそしてピペリジンと処理することができる。ミスマッチ領域の消化後、結果として生じる物質はそれから、変位の部位を調べるため、変性ポリアクリルアミドゲルで大きさによって分離される。たとえば、非特許文献１１９;非特許文献１２０を参照。好ましい一実施形態では、対照DNAまたはRNAは検出のために標識することができる。
【０２２９】
さらに別の一実施形態では、細胞の検体から得られたhtrbcDNA中の点変異を検出しマッピングする定められた系で、ミスマッチ切断反応は、二本鎖DNA中のミスマッチ塩基対を認識する一またはそれ以上のタンパク質(いわゆる「DNAミスマッチ修復」酵素)を用いる。たとえば、E. coliのmutY酵素はG/AミスマッチでAを切断し、HeLa細胞由来のチミジンDNAグリコシラーゼはG/TミスマッチでTを切断する(非特許文献１２１)。典型的な一実施形態によると、たとえば野生型htrb配列といったhtrb配列に基づくプローブを、被験細胞由来のcDNAまたは他のDNA産物とハイブリダイズさせる。二重らせんはDNAミスマッチ修復酵素で処理され、切断産物が生じるなら、電気泳動手順などから検出することができる。たとえば、特許文献１９を参照。
【０２３０】
別の実施形態では、突然変異またはhtrb遺伝子の多型領域の対立遺伝子変異の同一性を同定するのに、電気泳動移動度の変化が用いられる。たとえば、変異型と野生型核酸との間の電気泳動移動度の違いを検出するのに、一本鎖高次構造多型(SSCP)を用いることができる(非特許文献１２２、また非特許文献１２３および非特許文献１２４を参照)。検体および対照htrb核酸の一本鎖DNA断片は変性され、復元させられる。一本鎖核酸の二次構造は配列によって異なり、結果として生じる電気泳動移動度の変化によって一塩基変化でも検出することができる。DNA断片は標識することができ、または標識プローブを用いて検出することができる。本検定法の感度は、二次構造が配列変化により感受性が高いRNAを(DNAよりも)用いることによって向上させることができる。好適な一実施形態においては、二本鎖ヘテロ二重らせん分子を電気泳動移動度の変化に基づいて分離するために、本方法はヘテロ二重らせん分析を用いる(非特許文献１２５)。
【０２３１】
さらに別の一実施形態では、変性濃度勾配ゲル電気泳動(DGGE)(非特許文献１２６)を用いて、変性剤の濃度勾配を含むポリアクリルアミドゲル中での変異型または野生型断片の動きが分析される。DGGEが分析方法として用いられるとき、DNAが完全には変性しないようにするのを確実にするため、たとえば高融点GC rich DNAの約40bpのGCクランプをPCRによって付加することにより、DNAは修飾される。さらなる一実施形態では、対照および検体DNAの移動度の差を同定するために、変性剤濃度勾配の代わりに温度勾配が用いられる(非特許文献１２７)。
【０２３２】
点変異またはhtrb遺伝子の多型領域の対立遺伝子変異の同一性を同定するための他の技術の例は、選択的オリゴヌクレオチドハイブリダイゼーション、選択的増幅、または選択的プライマー伸長を含むがこれに限定されない。たとえば、オリゴヌクレオチドプライマーを、既知の変異またはヌクレオチドの違い(たとえば、対立遺伝子変異に)を中心に調製し、次いで、完全なマッチが見いだされる場合のみハイブリダイゼーションが可能である条件下で標的DNAとハイブリダイズさせることができる(非特許文献１２８);非特許文献１２９)。オリゴヌクレオチドがハイブリダイズ膜に結合され標識された標的DNAとハイブリダイズする場合、オリゴヌクレオチドがPCR増幅された標的DNAまたはいくつかの異なる変異は多型領域とハイブリダイズするとき、そのような対立遺伝子特異的オリゴヌクレオチドハイブリダイゼーション技術を用いて、反応毎に一つの変異または多型領域を試験することができる。
【０２３３】
あるいは、選択的PCR増幅に依存する対立遺伝子特異的増幅技術を、本発明と組み合わせて用いることができる。特異的増幅のプライマーとして用いられるオリゴヌクレオチドは、目的の変異または多型領域を分子の中心に(増幅が分別的ハイブリダイゼーションに依存するように)(非特許文献１３０)または、適当な条件下でミスマッチを防ぐかまたはポリメラーゼ伸長を低下させることができる一つのプライマーの3'最末端(非特許文献１３１)に持つことができる。さらに、切断に基づく検出を行うために、新規の制限部位を変異の領域に導入するのが望ましい可能性がある (非特許文献１３２)。ある実施形態において、増幅のためにTaqリガーゼを用いて増幅を行うこともできると考えられる(非特許文献１３３)。そのような場合、連結反応は5'配列の3'末端に完全マッチが存在する場合にのみ生じ、増幅の存在または非存在を調べることによって特異的部位での既知の変異の存在を検出することができる。
【０２３４】
別の一実施形態では、対立遺伝子変異の同定は、たとえば特許文献２０および非特許文献１３４に記載されたように、オリゴヌクレオチド連結反応検定法(OLA)を用いて行われる。OLAの手順は、標的の一本鎖の隣接する配列とハイブリダイズすることができるように設計された二つのオリゴヌクレオチドを用いる。そのオリゴヌクレオチドのうち一つは分離マーカーと結合され、たとえばビオチン化され、そしてもう一方は検出可能に標識されている。標的分子中に正確な相補的配列が見つかる場合、オリゴヌクレオチドはハイブリダイズしてそれらの末端が隣接し、連結基質を生じる。連結反応によって、次いで標識オリゴヌクレオチドをアビジンまたは別のビオチンリガンドを用いて回収することができる。Nickerson, D. A.らはPCRおよびOLAの特質を組み合われた核酸検出検定法を記載している(非特許文献１３５)。この方法では、PCRを用いて標的DNAの指数的増幅が達成され、標的DNAは次いでOLAを用いて検出される。
【０２３５】
このOLA法に基づくいくつかの技術が開発されており、htrb遺伝子の多型領域の特定の対立遺伝子変異体を検出するのに用いることができる。たとえば特許文献２１は、3'-アミノ基を有するオリゴヌクレオチドと5'-リン酸化オリゴヌクレオチドを用いてホスホロアミデート結合を有する複合体を形成するOLAを開示する。非特許文献１３６に記載されたOLAの別の変形では、PCRと組み合わせたOLAによって、一つのマイクロタイターウェル内で二つの対立遺伝子のタイピングが可能になる。By marking each of the 対立遺伝子特異的プライマーのそれぞれを独特のハプテン、すなわちジゴキシゲニンとフルオレセインで標識することによって、各々のOLA反応を、異なる酵素レポーター、アルカリホスファターゼまたはホースラディッシュペルオキシダーゼで標識したハプテン特異的抗体を用いて検出することができる。この系によって、二つの異なる色を生じる高処理量の形式を用いて二つの対立遺伝子の検出が可能になる。
【０２３６】
本発明はさらに、htrb遺伝子中の一塩基多型を検出する方法を提供する。一塩基多型は不変配列の領域に隣接した変異の部位を構成するため、その分析に必要なのは変異の部位に存在する一塩基の同一性を判定することだけであり、患者それぞれについて完全な遺伝子配列を決定する必要は無い。そのような一塩基多型の分析を容易にするいくつかの方法が開発されている。
【０２３７】
一実施形態では、たとえば特許文献２２（Mundy, C. R.)に開示されたように、一塩基多型は特化したエキソヌクレアーゼ耐性ヌクレオチドを用いて検出することができる。本方法によると、多型部位の直接3'側である対立遺伝子配列と相補的なプライマーを、特定の動物またはヒトから得られた標的分子とハイブリダイズさせる。標的分子上の多型部位が、存在する特定のエキソヌクレアーゼ耐性ヌクレオチド誘導体と相補的なヌクレオチドを含む場合、次いでその誘導体を、ハイブリダイズしたプライマーの末端に組み込む。そのような組み込みによって、そのプライマーはエキソヌクレアーゼに耐性となり、それによって検出が可能になる。検体のエキソヌクレアーゼ耐性誘導体の同一性は既知であるので、プライマーがエキソヌクレアーゼに耐性となったという結果は、標的分子の多型部位に存在するヌクレオチドが、反応に用いられたヌクレオチド誘導体と相補的であったということを明らかにする。この方法は、大量の無関係な配列データを決定する必要が無いという利点を有する。
【０２３８】
本発明の別の一実施形態では、多型部位のヌクレオチドの同一性を判断するのに、溶液を基盤とした方法が用いられる。Cohen, D. et al.(特許文献２３;特許文献２４)。特許文献２２のMundy法のように、本方法はその部位のヌクレオチドの同一性を標識ジデオキシヌクレオチド誘導体を用いて判断し、またこの誘導体は多型部位のヌクレオチドと相補的であればプライマーの末端に組み込まれる。
【０２３９】
遺伝子ビット分析またはGBAとして知られる別の方法がGoelet, P. et al.によって記載されている(特許文献２５)。Goelet, P. et al.の方法は、標識ターミネーターの混合物と、多型部位の3'側の配列と相補的なプライマーを用いる。組み込まれた標識ターミネーターは、標的分子の多型部位に存在する評価対象のヌクレオチドと相補的でありまたこれによって測定される。Cohen et al.の方法(特許文献２３;特許文献２６)とは対照的に、Goelet, P. et al.の方法は好ましくは不均一相検定法であって、プライマーまたは標的分子は固相に固定化されている。
【０２４０】
近年、DNA中の多型部位を分析するための、プライマーを用いるヌクレオチド組み込み手順がいくつか記載されている（非特許文献１３７;非特許文献１３８);非特許文献１３９;非特許文献１４０;非特許文献１４１;非特許文献１４２;非特許文献１４３）。これらの方法は、どれも標識デオキシヌクレオチドの組み込みに依存して多型部位の塩基を識別する点でGBAと異なる。そのような形式では、シグナルは組み込まれたデオキシヌクレオチドの数に比例するため、同じヌクレオチドの配列中に存在する多型は、配列の長さに比例するシグナルを生じうる(非特許文献１４４)。
【０２４１】
タンパク質翻訳の異常に早い終止を生じる変異については、短縮タンパク質試験(PTT)が効率的な診断手法を提供する(非特許文献１４５;非特許文献１４６)。PTTのためには、最初にRNAが入手可能な組織から単離され、逆転写され、目的のセグメントがPCRで増幅される。逆転写PCR産物は、次いでRNAポリメラーゼプロモータと真核翻訳を開始させる配列を含むプライマーを用いたnested PCR増幅のテンプレートとして用いられる。目的領域の増幅後、プライマーに組み込まれた独特のモチーフによって、PCR産物のその後のin vitro 転写および翻訳が可能になる。翻訳産物のドデシル硫酸ナトリウムポリアクリルアミドゲル電気泳動で、短縮したポリペプチドの存在が、翻訳の異常に早い終止を引き起こす変異の存在を示す。この技術の一変形において、目的の標的領域が単一エキソンに由来する場合、DNA(RNAでなく)がPCRテンプレートとして用いられる。
【０２４２】
ここに記載の方法は、たとえば、少なくとも一つのプローブ核酸、プライマーの組;および／またはたとえばhtrbポリペプチドが関連する疾患または病気の症状または家族歴を示す患者を診断するために臨床で容易に使用しうるここに記載の抗体試薬を含む、包装済み診断キットを用いて行うことができる。
【０２４３】
任意の細胞型または組織を下記に示す診断に用いることができる。好ましい一実施形態において、htrb遺伝子の変異の存在または多型領域の対立遺伝子変異の同一性を判定するために、体液、たとえば血液を対象者から得る。体液、たとえば血液は、既知の技術(たとえば静脈穿刺)によって得ることができる。あるいは、核酸試験は乾燥検体(たとえば毛髪または皮膚)について行うことができる。出生前診断のためには特許文献２６（Bianchi）に記載されたように、、胎児核酸検体は母体血から得ることができる。あるいは、出生前試験を行うために、羊水細胞または絨毛膜を得ることができる。
【０２４４】
htrb遺伝子の多型領域の特定の対立遺伝子変異体または突然変異の存在を判定するのにRNAまたはタンパク質を用いるとき、使用する細胞または組織はhtrb遺伝子を発現しなければならない。これらの方法に用いるのに好ましい細胞は、心細胞を含む(実施形態を参照)。使用することのできる他の細胞または組織は、たとえばノーザンブロット分析によって、対象における特定htrb遺伝子の発現パターンを決定することで識別することができる。
【０２４５】
診断手順はまた、生検または切除で得られた患者組織の(固定および／または凍結)組織切片についてin situで直接行うことができ、核酸精製は不要である。核酸試薬をそのようなin situ手順のためのプローブおよび／またはプライマーとして用いることができる(たとえば非特許文献１４７参照)。
【０２４６】
主として一つの核酸配列の検出に注目する方法に加えて、プロファイルもまたそのような検出体系において評価しうる。フィンガープリントプロファイルを、たとえばディファレンシャルディスプレイ法、ノーザン分析および／またはRT-PCRを用いて、作成することができる。
【０２４７】
上記の野生型または変異型htrbポリペプチドまたはその対立遺伝子変異体に対する抗体をまた疾患診断および予知に用いることができる。そのような診断方法は、htrbポリペプチド発現レベルの異常、あるいは構造および／またはhtrbポリペプチドの組織、細胞、または細胞内配置における異常を検出するのに用いることができる。 構造上の差異は、たとえば、正常htrbポリペプチドと比較した変異型htrbポリペプチドの大きさ、電気陰性度、または抗原性の違いを含む。分析する組織または細胞型から得られたタンパク質は、当業者に既知である、ウェスタンブロット分析を含むがこれに限定されない技術を用いて容易に検出または単離されうる。ウェスタンブロット分析を実施する方法の詳細な説明については、上記の非特許文献１７の18章を参照。ここで用いられるタンパク質検出および単離方法はまた、Harlow and Laneに記載されたようなものであることができ、たとえば(非特許文献７９（その全体がこの参照により開示に含まれる）を参照
このことは、たとえば、光学顕微鏡、フローサイトメトリー、または蛍光比色による検出と組み合わせて蛍光標識抗体(下記参照)を用いる免疫蛍光技術によって達成することができる。本発明において有用である抗体(またはその断片)は、追加的に、免疫蛍光または免疫電子顕微鏡法の場合のように、htrbポリペプチドのin situ検出のために、組織学的に用いることができる。In situ検出は、患者から組織標本を切除して、それに本発明の標識抗体を加えることによって達成することができる。抗体(またはその断片)は、好ましくは標識抗体(または断片)を生物検体に被せて加える。そのような手順の使用を通じて、htrbポリペプチドの存在を検出できるだけでなく、被験組織中のその分布もまた調べることができる。本発明を用いて、通常の技能を有する者はこのようなin situ検出を達成するために幅広い組織学的方法(染色手順のような)の任意のものを修飾しうることを容易に理解する。
【０２４８】
抗原または抗体を結合させることのできる担体として、しばしば固相担体またはキャリヤーが用いられる。よく知られた担体またはキャリヤーは、ガラス、ポリスチレン、ポリプロピレン、ポリエチレン、デキストラン、ナイロン、アミロース、天然または修飾セルロース、ポリアクリルアミド、ハンレイ岩、磁鉄鉱を含む。キャリヤーの性質は、本発明の目的のためにある程度可溶性であるかまたは不溶性であることができる。担体物質は、結合した分子が抗原または抗体に結合できる限り、事実上任意の可能な構造を有しうる。したがって、担体の構造は、ビーズのように球形、試験管の内面または棒の外表面のように円筒状であることができる。あるいは、表面はシート、試験片、などのように平らであることができる。好ましい担体はポリスチレンビーズを含む。当業者は抗体または抗原を結合するための多くの他の適当なキャリヤーを知っており、または通常の実験を用いてそのように確認することができる。
【０２４９】
抗htrbポリペプチド特異的抗体を標識する一つの方法は、酵素との結合を介して酵素免疫検定法(EIA)に用いることである（非特許文献１４８;非特許文献１４９;非特許文献１５０;非特許文献１５１;非特許文献１５２。抗体に結合する酵素は適当な基質、好ましくは発色基質と反応し、たとえば分光学的、蛍光比色的または目視的方法で検出可能な化学的部分を生じる。抗体を検出可能に標識するのに用いることのできる酵素は、マレイン酸デヒドロゲナーゼ、ブドウ球菌ヌクレアーゼ、δ-5-ステロイドイソメラーゼ、酵母アルコールデヒドロゲナーゼ、α-グリセロリン酸デヒドロゲナーゼ、トリオースリン酸イソメラーゼ、ホースラディッシュペルオキシダーゼ、アルカリホスファターゼ、アスパラギナーゼ、グルコースオキシダーゼ、β-ガラクトシダーゼ、リボヌクレアーゼ、ウレアーゼ、カタラーゼ、グルコース-6-リン酸デヒドロゲナーゼ、グルコアミラーゼ、そしてアセチルコリンエステラーゼを含むがこれに限定されない。検出は、酵素に発色基質を用いる比色法で行うことができる。検出はまた、同様に調製した標準と比べた基質の酵素反応の程度の目視による比較で行うことができる。検出はまたさまざまな他の免疫検定法の任意のものを用いて行うことができる。たとえば、抗体または抗体断片を放射性標識することによって、放射免疫検定法 (RIA)を用いてフィンガープリント遺伝子野生型または変異ペプチドを検出することが可能である(たとえば、この参照により開示に含まれる非特許文献１５３を参照)。放射性同位体はたとえばγカウンターまたはシンチレーションカウンターの使用、またはオートラジオグラフィーによって検出することができる。
【０２５０】
蛍光化合物を用いて抗体を標識することもまた可能である。蛍光標識抗体が適当な波長の光に曝されると、その存在は蛍光によって検出することができる。もっとも広く用いられている蛍光標識化合物には、フルオレセインイソチオシアネート、ローダミン、フィコエリトリン、フィコシアニン、アロフィコシアニン、o-フタルアルデヒドそしてフルオレサミンがある。
【０２５１】
抗体はまた、152Euまたは他のランタノイド系列のように蛍光を発する金属を用いて検出可能に標識することができる。これらの金属は、ジエチレントリアミンペンタ酢酸(DTPA)またはエチレンジアミンテトラ酢酸(EDTA)のような金属キレート基を用いて抗体に結合させることができる。
【０２５２】
抗体はまた、化学発光化合物とカップリングさせることによって検出可能に標識することができる。そして化学発光標識抗体の存在は、化学反応の過程で生じる発光の存在を検出することによって測定することができる。特に有用な化学発光標識化合物の例はルミノール、イソルミノール、theromaticアクリジニウムエステル、イミダゾール、アクリジニウム塩そしてシュウ酸エステルである。
【０２５３】
同様に、本発明の抗体を標識するのに生物発光化合物を用いることができる。生物発光は生物系にみられる化学発光の一種で、触媒タンパク質がその化学発光反応の効率を上昇させる。生物発光タンパク質の存在は発光の存在を検出することによって測定される。標識の目的のために重要な生物発光化合物はルシフェリン、ルシフェラーゼそしてエクオリンである。
【０２５４】
さらに、遺伝子または遺伝子産物または多型変異体における変化を検出するための上記の方法の任意のものを、処置または治療の過程を観察するために使用できることが理解される。
4.8.2. 薬理ゲノム学
個人において欠陥のあるまたは不完全なhtrb遺伝子またはタンパク質を生じる結果となる特定の一つの変化または複数の変化の知識は(htrb遺伝子プロファイル)、単独で、または同じ疾患に寄与する他の遺伝子欠陥に関する情報と組み合わせて(特定の疾患の遺伝子プロファイル)、「薬理ゲノム学」の目標である、特定の疾患の治療をその人の遺伝子プロファイルにカスタマイズすることを可能にする。たとえば、htrb遺伝子の特定の対立遺伝子を有する対象者は、特定の疾患の症状を示しまたは示さない可能性があり、または特定の疾患の症状を発症する素因がある。さらに、これらの対象者が症状を有する場合は、症状はある薬物たとえば特定のhtrb治療薬に応答しまたは応答しない可能性があり、しかし別の薬物には応答する可能性がある。したがって、欠陥のあるおよび／または不完全なhtrb遺伝子および／またはタンパク質によって生じるかまたはそれらが寄与している疾患または状態の症状を有する対象者集団から、htrb遺伝子プロファイル(たとえば、htrb遺伝子の、特定の疾患の発症に関連する変化の分類)を作成すること(htrb遺伝子集団プロファイル)、および個人のhtrbプロファイルを集団プロファイルと比較することで、特定の患者または患者集団(すなわち、同一の遺伝子変化を有する患者の集団)について安全で有効であると予測される薬物を選択または設計することが可能になる。
【０２５５】
たとえば、欠陥のあるまたは不完全なhtrb遺伝子によって生じるかまたはそれらが寄与している疾患を有する患者群において、たとえばhtrb遺伝子の同一性といったhtrbプロファイルを測定することで、htrb集団プロファイルを行うことができる。随意的に、htrb集団プロファイルはさらに：1)htrb関連疾患に伴う症状の重症度、2)htrb遺伝子発現レベル、3)htrbmRNAレベル、および／または4)htrbタンパク質濃度、そして(iii) htrb遺伝子またはhtrb経路遺伝子中に存在する特定の遺伝子の一つの変化または複数の変化に基づいて、集団を分割または分類すること、を観察することを含むさまざまな方法の任意のものを用いて、集団のhtrb治療薬に対する応答に関する情報を含むことができる。htrb遺伝子集団プロファイルはまた、随意的に、患者が特定の療法に対して応答性または不応性のどちらかである特定の変異を示しうる。この情報つまり集団プロファイルは、したがって、個人のhtrbプロファイルに基づいてどの個人が特定の薬物に反応するかを予測するのに有用である。
【０２５６】
好適な一実施形態においては、htrbプロファイルは転写または発現レベルプロファイルであり、段階(i)はhtrbタンパク質の発現レベルを、単独で、または同じ疾患に寄与することが分かっている他の遺伝子の発現レベルと組み合わせて、測定することから成る。htrbプロファイルは、疾患のさまざまな段階にある多くの患者で測定することができる。
【０２５７】
薬理ゲノム学研究はまた、遺伝子導入動物を用いて行うことができる。たとえばhtrb遺伝子の特定の対立遺伝子変異を有する遺伝子導入マウスを、たとえばここに記載するように作成することができる。これらのマウスは、たとえばその野生型htrb遺伝子を、ヒトhtrb遺伝子の対立遺伝子で置き換えることによって作成することができる。特定のhtrb治療薬へのこれらのマウスの応答をそれから測定することができる。
【０２５８】
4.8.3.臨床試験中のhtrb治療薬の効果の観察
htrbまたは疾患遺伝子プロファイルに基づいて、最高の臨床的有用性を示すことが予測される集団を標的とする能力は:1)市場での結果が思わしくない既発薬物の再位置づけ;2)患者部分集合に特異的な安全性または有効性の限界の結果として臨床開発が中断された薬物候補の救済;そして3)薬物候補について加速されたそしてコストのより低い開発、およびより最適な薬物の識別(たとえばhtrbをマーカーとして用いることは有効量を最適化するのに有用であるので)、を可能にすることができる。
【０２５９】
htrb治療薬を用いた個人の治療は、たとえばhtrbタンパク質濃度または活性、htrbmRNAレベル、および／または htrb転写レベルといったhtrbの特性を測定することによって観察することができる。この測定は、治療が有効であるかどうか、あるいは治療を調節または最適化すべきかどうかを示す。このように、htrbは臨床試験中に薬物の有効性に関するマーカーとして用いることができる。
【０２６０】
好適な一実施形態においては、本発明は対象者の、ある物質(たとえば、アゴニスト、アンタゴニスト、類似構造ペプチド、タンパク質、ペプチド、核酸、小分子、またはここに記載のスクリーニング検定によって同定された他の薬物候補)を用いた治療の有効性を観察する、(i)物質の投与前に、対象者から投与前検体を得る;(ii)投与前検体中のhtrbタンパク質、mRNA、またはゲノムDNAの発現レベルを検出する;(iii)一またはそれ以上の投与後検体を対象者から得る;(iv)投与後検体中のhtrbタンパク質、mRNA、またはゲノムDNAの発現または活性レベルを検出する;(v)投与前検体中のhtrbタンパク質、mRNA、またはゲノムDNAの発現または活性レベルを、一または複数の投与後検体中のhtrbタンパク質、mRNA、またはゲノムDNAと比較する;そして(vi)相応して対象者への物質の投与を変更する段階から成る方法を提供する。たとえば、物質の投与を増加させることは、htrbの発現または活性を検出されたよりも高いレベルへ上昇させるために、すなわち、物質の有効性を向上させるために望ましい可能性がある。あるいは、物質の投与を減少させることは、htrbの発現または活性を検出されたよりも低いレベルへ低下させるために、すなわち、物質の有効性を減少させるために望ましい可能性がある。
【０２６１】
htrb治療薬は有害でありうる遺伝子の発現を増加または減少させないことを検証するために、対象者の細胞もまたhtrb治療薬の投与の前および後に得ることができ、htrb以外の遺伝子の発現レベルを検出できる。これは、たとえば転写プロファイリングの方法を用いて行うことができる。このように、htrb治療薬で処理されたおよび処理されていない細胞での遺伝子の発現を比較するために、in vivoでhtrb治療薬に曝露された細胞からのmRNAと、htrb治療薬に曝露されていない同じ型の細胞からのmRNAとを逆転写し、多数の遺伝子からのDNAを含むチップとハイブリダイズさせることができる。たとえば、htrb治療薬がある個人において前がん遺伝子の発現のスイッチを入れる場合、この特定のhtrb治療薬を使用することは望ましくない可能性がある。
【０２６２】
4.9. htrb治療薬および治療方法
本発明は、たとえば炎症または自己免疫疾患といった異常なインターロイキン-1発現または活性に伴う疾患を有するかまたは発症する可能性のある対象者を治療する、予防的および治療的方法の両方を提供する。サイトカイン類であるインターロイキン-1(IL-1)および腫瘍壊死因子(TNF)は炎症性反応の重要な伝達物質であり、多くの慢性炎症性疾患の病因において中心的な役割を果たすように見える。それらのin vivo生物活性は、白血球細胞を組織へ引きつけ活性化しそれらが他のリンパ球親和性サイトカインおよび異化酵素を分泌するのを刺激することによって、局所炎症とマトリクス異化を再現するのに十分であることは現在よく記載されている。これらのサイトカインの高生産はまた、感染に対する応答と結びついてきており、ここでIL-1およびTNFの局所誘導が微生物の侵入の排除を促進する。古典的研究はしかしまた、ある感染条件では非常に高い濃度の単球サイトカインが産生され、これが、たとえば宿主にとって有害である組織異化や血管反応性や凝集性亢進といった随伴する現象のカスケードを活性化することを報告している。
【０２６３】
たとえば、サイトカインは発生の全期を通じて機能し、ヒト胎盤の発達および機能において特に重要でありうる(総説は非特許文献１５４)。さまざまなサイトカインが胎盤−子宮境界面に示されているが、着床部位の組織の形状が複雑であるため、産生の正確な細胞起源はまだ同定されていない。発現 of the サイトカインEGF、インターロイキン1β(IL-1β)、IL-2、IL-3、インターフェロンα(IFN-α)、IFN-γ、腫瘍壊死因子α(TNF-α)および形質転換成長因子β1(TGF-β1)が、胎盤および脱落膜から単離された細胞から分析されている。さらに、胎盤および子宮細胞による、サイトカイン受容体IGF-1r、PDGF-rα/β、IL-1rII、IL-6r、IL-7r、IFN-γr, TNF-rp80およびエンドグリンの発現が、免疫組織学的およびフローサイトメトリーの両方の方法によって評価されている。これらの研究は、ヒト胎盤−子宮境界面におけるサイトカイン活性の複雑な配列を明らかにする。
【０２６４】
炎症性サイトカインIL-1、IL-6および腫瘍壊死因子-α(TNFa)は、出生前子宮内感染(IUI)と新生児脳損傷の間の繋がりにおいて機能するように見える。さらに、母体IUIは早産の危険を増大させ、これは今度は脳室内出血、新生児白質損傷、および後の脳性麻痺の増大するリスクと結びつく(非特許文献１５５)。IL-1、IL-6およびTNFaは、IUI、早産、新生児感染、そして新生児脳損傷と結びついていることが見いだされている。三つの関連する母体／胎児の部分(子宮、胎児循環、および胎児脳)におけるそのようなサイトカインの存在、およびそれらが持つ、これらの部分の間の境界（胎盤と血液脳関門の両方）を越えるサイトカインの潜在能力は、出生前母体感染の間の脳室内出血、新生児白質損傷におけるそれらの潜在的役割を示唆する。したがって、EL-1に媒介される炎症性サイトカインカスケードを遮断することは、妊娠中期の終わり近くに生まれた者の後の障害を防ぐ可能性がある。
【０２６５】
インターロイキン-1β(IL-1β)は正常羊水中に存在し、ヒト胎盤マクロファージによって産生される。妊娠中期の羊水中に検出されるIL-1βの量は、陣痛の始まりと共に３倍の増加を示すことが明らかになっている。IL-1βは脱落膜および羊膜によるプロスタグランジン類の合成の強力な刺激物質である。プロスタグランジンPGE2およびPGF2aの羊水中での高濃度は早期陣痛および羊膜内感染と結びつけられてきた。このことは、早期陣痛および組織学的絨毛膜羊膜炎を有する女性からの羊膜は、胎盤炎症の無い女性からの羊膜よりも多くのPGE2を産生したという事実によって説明されうる。そのようなPGEaの上昇した濃度は、臨床的または無症状尿生殖路感染の非存在下でも、未熟児低出生体重(PBLW)と結びつけられてきており、実際に、大多数のPLBW出産は起源不明の感染が原因で起こった可能性がある。IL-1は感染の存在下で陣痛開始に関係する第一のサイトカインであった。IL-1はin vitroでヒト脱落膜によって細菌産物に反応して産生される。早期陣痛と羊膜腔に細菌を有する患者では、羊水BL-1生物活性と濃度が上昇する。組み換えヒトIL-1βを妊娠第12日に注射することによって、胎盤壊死と胎児吸収をラットで誘導することができる。さらに、羊水IL-1β濃度と生物活性の両方が、陣痛中に対象と比較して上昇する。さらに、IL-1βは脱落膜および羊膜によるin vitroでのプロスタグランジン類の産生を刺激することが知られている。
【０２６６】
したがって、本発明のhtrb治療薬は、脳室内出血、新生児白質損傷、および後の脳性麻痺、そして未熟児低出生体重分娩の発生を含むヒト胎盤のインターロイキン-1依存性疾患に拮抗するものを含む。
【０２６７】
4.9.1. 予防的 方法
一つの側面では、本発明はhtrb発現または少なくとも一つのhtrb活性を調節する薬剤を投与することによって、対象者において異常なhtrb発現または活性に伴う疾患または状態を防ぐための方法を提供する。そのような疾患の危険がある対象者は、たとえば、ここに記載するような、診断または予知検定法によって識別することができる。予防的薬剤の投与は、疾患または障害が防がれるかあるいは、進行が遅くなるように、htrb異常に特有の症状の出現に先立って行うことができる。htrb異常の型によって、たとえば、htrbアゴニストまたはhtrbアンタゴニスト薬剤を、対象者を予防的に治療するのに用いることができる。予防的方法は本発明の治療的方法に類似であり、以下の項でさらに論じる。
【０２６８】
4.9.2. 治療的方法
一般的に、本発明は、異常なhtrb活性が原因で起こるかまたはそれが寄与する疾患または状態を治療するための、htrb活性を調節することのできる化合物の有効量を対象者に投与することから成る方法を提供する。異常なhtrb活性が関係する疾患症状を改善するために用いることのできる手法には、たとえば上記のアンチセンス、リボザイム、そして三重らせん分子がある。適当な化合物の例は、ここに詳細に記載されたアンタゴニスト、アゴニストまたは相同体を含む。
【０２６９】
4.9.3. 有効量
そのような化合物の毒性および治療的有効性は、たとえばLd50(集団の50%について致死的である用量)そしてEd50(集団の50%において治療的に有効である用量)を定めるための、培養細胞または実験動物における標準的な医薬的手順によって決定することができる。毒性および治療的効果の間の用量比が治療指数であり、これはLD50/ED50の比で表すことができる。大きな治療指数を示す化合物が好ましい。毒性副作用を示す化合物を使用することができる一方、非感染細胞への潜在的な障害を最小化し、それによって副作用を低減するため、そのような化合物を病変組織の部位へ送り込む送達系を設計するのに注意を払うべきである。
【０２７０】
培養細胞検定法および動物試験から得られたデータは、ヒトにおける使用のための用量の幅を定めるのに用いることができる。そのような化合物の用量は、好ましくはED50を含む循環濃度の範囲内で、毒性をほとんどまたは全く有しない。用量は、使用する剤形および投与経路によって、この範囲内で変化しうる。本発明の方法で用いられる任意の化合物について、治療的有効量は最初は培養細胞検定法から推定することができる。培養細胞で決定されたようにIC50（すなわち、症状の半最大量の阻害を達成する被験化合物濃度)を含む循環血漿濃度範囲を達成するため、用量を動物モデルで公式化することができる。そのような情報を用いて、ヒトにおける有効量をより正確に定めることができる。血漿中の濃度を、たとえば高速液体クロマトグラフィーによって測定することができる。
【０２７１】
4.9.4. 処方および用法
本発明に従って用いるための医薬組成物は、一またはそれ以上の生理学的に受容しうるキャリヤーまたは添加物を用いて、従来の方法で処方することができる。したがって、化合物およびその生理学的に受容しうる塩および溶媒和物を、たとえば、注射、吸入(口または鼻から)または経口、 舌下、非経口または直腸投与による投与のために処方することができる。
【０２７２】
そのような治療のために、本発明の化合物は全身および外用または局所投与を含むさまざまな投与のために処方することができる。技術および処方は一般に、Remmington's Pharmaceutical Sciences, Meade Publishing Co., Easton, PAに見いだすことができる。全身投与のためには、筋肉内、静脈内、腹腔内、および皮下を含む注射が好ましい。注射のためには、本発明の化合物は、溶液として、好ましくはたとえばハンク液またはリンガー液といった生理学的に適合する緩衝液中に処方することができる。さらに、化合物は固体として処方することができ、使用直前に再溶解または懸濁する。凍結乾燥形態もまた含まれる。
【０２７３】
経口投与のためには、医薬組成物は、医薬品として許容されるたとえば：結合剤(たとえば、ゼラチン化トウモロコシデンプン、ポリビニルピロリドンまたはヒドロキシプロピルメチルセルロース);賦形剤(たとえば、乳糖、微結晶セルロースまたはリン酸水素カルシウム);滑沢剤(たとえば、ステアリン酸マグネシウム、タルクまたはシリカ);崩壊剤(たとえば、バレイショデンプンまたはグリコールデンプンナトリウム);または湿潤剤(たとえば、ラウリル硫酸ナトリウム)といった添加物と共に従来の方法で調製され、たとえば錠剤またはカプセル剤の形を取りうる。錠剤は既知の方法で被覆することができる。経口投与のための液体調製物は、たとえば、溶液、シロップ剤または懸濁剤の形を取ることができ、または、使用前に水または他の適当な賦形剤で構成するための乾燥製品として提出することができる。そのような液体調製物は、医薬品として許容されるたとえば：懸濁化剤(たとえば、ソルビトールシロップ、セルロース誘導体または水素添加食用油);乳化剤(たとえば、レシチンまたはアカシア);非水系賦形剤(たとえば、ationd油、油性エステル、エチルアルコールまたは分画植物油);および保存料(たとえば、メチルまたはプロピル-p-ヒドロキシル安息香酸エステルまたはソルビン酸)といった添加物と共に従来の方法で調製される。調製物はまた必要に応じて緩衝塩、香料、着色料、および甘味料を含むことができる。
【０２７４】
経口投与のための調製物は、活性化合物の制御された放出を与えるように適当に処方される。舌下投与のためには組成物は従来の方法で処方された錠剤またはトローチ剤の形を取ることができる。吸入による投与のためには、本発明に従って用いる化合物は、加圧容器またはネブライザーから出るエアロゾルスプレーの形で、たとえばジクロロジフルオロメタン、トリクロロフルオロメタン、ジクロロテトラフルオロメタン、二酸化炭素または他の適当なガスといった適当な推進剤を用いて便利に送達することができる。加圧エアロゾルの場合は、用量単位は、計量された量を送り出すバルブを付けることによって定めることができる。吸入器で用いるためのたとえばゼラチンのカプセルおよびカートリッジは、化合物と、たとえば乳糖またはデンプンのような適当な粉末基剤を含む処方とすることができる。
【０２７５】
化合物は、たとえばボーラスまたは連続輸液による、注射による非経口投与のために処方することができる。注射用処方は、たとえばアンプルまたは多数回使用容器で、保存料を加えて、単位用量剤形として提出することができる。組成物は油性または水系賦形剤中に懸濁剤、溶液剤または乳剤といった剤形を取ることができ、また懸濁剤、安定剤および／または分散剤といった製剤のための物質を含むことができる。あるいは、活性成分はたとえば使用前にパイロジェンフリー滅菌水といった適当な賦形剤で構成する粉末の形とすることができる。
【０２７６】
化合物はまた、ココアバターまたは他のグリセリド類といった従来の座剤基剤を含む、座剤または保留浣腸剤といった直腸用組成物に処方することができる。
【０２７７】
前述の処方に加えて、化合物はまたデポ剤として処方することができる。そのような長期に作用する処方は、埋め込み(たとえば皮下または筋肉内に)または筋肉内注射によって投与することができる。このように、たとえば、化合物は適当な高分子性または疎水性物質と処方することができる(たとえば、許容できる油中のエマルションとして)またはイオン交換樹脂、またはやや溶けにくい誘導体、たとえばやや溶けにくい塩として. 他の適当な送達系は、局所的非侵襲的な長期に渡る薬物送達の可能性を提供する微小球を含む。この技術は、たとえば心臓またはほかの器官の任意の選択部位に、炎症または虚血を起こすことなく冠動脈カテーテルを通じて注射することができる前毛細血管サイズの微小球を利用する。投与された治療薬はこれらの微小球からゆっくり放出され、周囲の組織細胞(たとえば内皮細胞)に取り込まれる。
【０２７８】
全身投与はまた経粘膜または経皮によることができる。経粘膜または経皮投与のためには、通過すべき障壁に対して適当である浸透剤が処方中に用いられる。そのような浸透剤は一般に既知であり、そして、たとえば経粘膜投与のためには胆汁酸塩とフシジン酸誘導体が含まれ、さらに、通過を促進するために界面活性剤を用いることができる。経粘膜投与は鼻噴霧を通じてまたは座剤を用いて行うことができる。経皮投与のためには、本発明のオリゴマーは既知であるような軟膏、ゲル、またはクリームに処方することができる。治癒を加速するため、損傷または炎症を処置するための洗浄溶液を局所的に用いることができる。
【０２７９】
臨床においては、それぞれよく知られているいくつかの方法のうち任意のものを用いて、htrb遺伝子治療薬のための遺伝子送達系を患者に導入することができる。たとえば、遺伝子送達系の医薬調製物はたとえば静脈注射によって全身的に導入することができ、そして標的細胞におけるタンパク質の特異的形質導入が、主に遺伝子送達媒介物によって提供される導入の特異性、受容体遺伝子の発現を支配する転写調節配列による細胞型または組織型発現、またはその組み合わせによって起こる。別の実施形態では、組み換え遺伝子の当初の伝達は、動物への導入についてはより限られて、非常に局在化している。たとえば、遺伝子送達媒介物はカテーテルで(特許文献２７を参照)または定位固定注射で(たとえば非特許文献１５６)導入することができる。たとえば配列番号１または３またはhtrb選択的5'末端またはその相同配列を含む群中に示された配列のうち任意の一つのhtrb遺伝子は、たとえば、非特許文献１５７に記載された技術を用いてエレクトロポレーションによって、遺伝子治療構造中で送達することができる。
【０２８０】
本発明の遺伝子治療構造または化合物の医薬調製物は、本質的に、受容できる希釈剤中の遺伝子送達系から成るかまたは、遺伝子送達媒介物または化合物が徐放性マトリクスである。あるいは、完全な遺伝子送達系を組み換え細胞から完全な形で産生することができる場合、たとえばレトロウイルスベクター、医薬調製物は遺伝子送達系を産生する一またはそれ以上の細胞を含むことができる。
【０２８１】
組成物は、必要に応じて、活性成分を含む一またはそれ以上の単位用量を含むパックまたはまたはディスペンサで提供することができる。パックはたとえばブリスターパックのように金属またはプラスチック箔を含む。パックまたはディスペンサには投与指示が付属する。
4.10. キット
本発明はさらに、診断または予知の方法において使用する、または本発明の異常なhtrbタンパク質に伴う疾患または状態の治療のために使用するキットを提供する。本発明はまた、対象者にどのhtrb治療薬を投与すべきかを決定するためのキットを提供する。本発明は、生物検体中の htrbmRNAまたはタンパク質の存在を検出するための、または変異の存在またはhtrb遺伝子中の多型領域の同一性を検出するためのキットを含む。たとえば、キットは、生物検体中のhtrbmRNAまたはタンパク質を検出することができる標識化合物または試薬; 検体中のhtrbの量を測定するための手段;そして検体中のhtrbの量を標準と比較するための手段、を含むことができる。化合物または試薬は適当な容器に包装することができる。キットはさらにhtrbmRNAまたはタンパク質を検出するためのキットに関する説明書を含むことができる。
【０２８２】
一実施形態では、キットはhtrbアンタゴニスト治療薬の有効量を含む医薬組成物と、高血圧の治療または予防における使用のための説明書から成る。別の一実施形態では、キットはhtrbアゴニスト治療薬の有効量を含む医薬組成物と、虫刺されの治療における使用のための説明書から成る。一般に、本キットはhtrbアゴニストまたはアンタゴニスト治療薬の有効量を含む医薬組成物と、鎮痛剤としての使用のための説明書を含む。たとえば、キットはhtrbアゴニスト治療薬の有効量を含む医薬組成物と、鎮痛剤としての使用のための説明書を含むことができる。
【０２８３】
異常なhtrb活性を伴う疾患または状態を対象者が有するかまたは発症する可能性があるかどうかを判定するのに、さらに別のキットを用いることができる。そのようなキットは、たとえば、htrb遺伝子またはその対立遺伝子変異体、またはその突然変異体、の少なくとも一部分と、特異的にハイブリダイズすることのできる一またはそれ以上の核酸プローブを含むことができる。
【０２８４】
4.11.htrbタンパク質および核酸の他の用途
本発明のhtrb核酸はさらに、下記の検定法に用いることができる。
【０２８５】
一実施形態では、配列番号１またはその一部を有するヒトhtrb核酸、またはそれとハイブリダイズする核酸を、BL-1遺伝子座内のhtrb遺伝子の正確な染色体局在を調べるのに用いることができる。さらに、htrb遺伝子はまた、htrb以外の遺伝子に関する遺伝子連鎖研究において染色体マーカーとして用いることができる。遺伝子の染色体局在化は既知のいくつかの方法によって行うことができる。たとえば、サザンブロットハイブリダイゼーションまたは体細胞ハイブリッドのPCRマッピングを用いて、特定の遺伝子がどの染色体または染色体断片上に存在するか決定することができる。遺伝子を染色体または染色体領域に局在化するのに同様に用いることのできる他のマッピング戦略は、include in situハイブリダイゼーション、標識されフローソートされた染色体の前スクリーニング、そして構造染色体特異的cDNAライブラリとのハイブリダイゼーションによる前選択を含む。
【０２８６】
さらに、核酸、たとえばhtrb核酸と中期展開染色体との蛍光in situハイブリダイゼーション(FISH)は、その核酸の正確な染色体局在化を与える一段階の方法である。この技術は500または600塩基の短い核酸について用いることができる;しかし、2,000 bpより大きいクローンは、簡易な検出のために十分なシグナル強度で固有の染色体位置に結合する可能性がより高い。そのような技術が、たとえば非特許文献１５８に記載されている。そのような技術を用いて、遺伝子を、約50から約500遺伝子を含む染色体領域に局在化することができる。
【０２８７】
htrb遺伝子が、共分離する染色体領域に局在化することが示される場合、すなわち、特定の疾患と結びついている場合、cDNAまたはゲノム配列の、病変を有する人と有しない人の間の違いが測定される。 病変を有する人の一部またはすべてに変異が存在するが正常な人はどれも変異を有しないことは、その変異がその疾患の原因となるかまたは寄与していることを示す。
【０２８８】
本発明はさらに、以下に示す実施形態によって説明されるが、これらはどのような形でも限定すると解釈されるべきでない。文献、発行された特許、公開された特許出願を含む、本出願の全体を通じて引用された参考文献のすべては、参照によりここに明示的に開示に含まれる。本発明の実施は、特に記載のない限り、既知である細胞生物学、細胞培養、分子生物学、遺伝子導入生物学、微生物学、組み換えDNA、そして免疫学の従来の方法を用いる。そのような技術は文献に十分に説明されている。たとえば、非特許文献１７;非特許文献１５９;非特許文献１６０;特許文献１５(Mullis et al.);非特許文献１６１; 非特許文献１６２;非特許文献１６３;非特許文献１６４; 非特許文献１６５；非特許文献１６６;非特許文献１６７;非特許文献１６８；非特許文献８７を参照のこと。
【０２８９】
4. 12 遺伝子発現の検出とマイクロアレイ転写プロファイリング
本発明は:(1)任意の炎症性遺伝子を調節する第一の遺伝子をクローニングする;(2)その第一の炎症性調節遺伝子を発現プロファイリングの手順に用いて、第一の遺伝子の過剰発現または低発現によって発現が変化する他の炎症経路遺伝子を単離する;そして(3)またさらに細胞の発現プロファイルを、互いにもう一方の炎症経路遺伝子の過剰発現または低発現について調べ、「別の」炎症経路遺伝子それぞれについて過剰発現または低発現によって発現が変化するさらに別の炎症経路遺伝子を単離する、ことによって炎症性遺伝子調節経路を決定する反復的方法を提供する。遺伝子発現を測定するための多数の異なる方法が既知である。古典的方法は定量的RT-PCR、ノーザンブロットおよびヌクレアーゼ保護検定法を含む。そのような方法を用いて、may be used to examine 発現 of 個々の遺伝子ならびに遺伝子クラスター全体の発現レベルを調べることができる。しかし、調べる遺伝子の数が増えると、時間と費用は非常にかさむようになる。
【０２９０】
大スケール検出方法は、多数の遺伝子の発現レベルのより迅速でより費用のかからない分析を同時に可能にする。そのような方法は典型的には、固相基質に固定したプローブのアレイに関係する。個々のプローブは、異なる組の核酸とハイブリダイズすることができる。一つの方法では、プローブは対象のさまざまな遺伝子のコード領域を増幅するかまたは合成してつくられる。これらの遺伝子は次いで固相担体上にスポットされる。mRNA検体が得られ、cDNAに変換され、増幅され標識される(通常は蛍光標識でusually with a 蛍光標識)。標識cDNAsを次いでアレイに加え、cDNAsはそれぞれのプローブと、その濃度と直線関係で、ハイブリダイズする。標識を検出することで、アレイに結合した個々のcDNAの量を測定することができる。
【０２９１】
Many 方法 for performing そのようなDNAアレイ実験を行うための多数の方法が既知である。典型的な方法を下記に示すが、制限することを意図しない。
【０２９２】
アレイはしばしば分割されて、マイクロアレイおよびマクロアレイとなり、ここでマイクロアレイは面積当たりでずっと高い濃度の個々のプローブ種を有する。マイクロアレイは1cm2中に1000以上の異なるプローブを有しうる。マイクロとマクロアレイの間の違いに境界を引く明確なカットオフは存在せず、両方の型のアレイを本発明に用いることが考えられる。しかし、その小さなサイズのため、マイクロアレイは速度、自動化および費用有効度について大きな利点を提供する。
【０２９３】
マイクロアレイは既知であって、遺伝子産物(たとえばcDNAs、mRNAs、オリゴヌクレオチド)の配列に対応するプローブが既知の位置に結合する表面を有する。一実施形態では、マイクロアレイはアレイ(すなわちマトリクス)であって個々の位置が遺伝子にコードされた産物の(たとえば、タンパク質またはRNA)離散的な結合部位を示し、標的生物のゲノムの大部分またはほぼ全部の遺伝子産物の結合部位が存在する。好適な一実施形態においては、「結合部位」(以下「部位」)は核酸または核酸アナログto whichで、特定の同族cDNAは特異的にハイブリダイズすることができる。結合部位の核酸またはアナログはたとえば、合成オリゴマー、完全長cDNA、完全長に満たないcDNA、または遺伝子断片であることができる。
【０２９４】
好適な一実施形態においては、マイクロアレイは標的生物のゲノムの大部分またはほぼ全部の遺伝子産物の結合部位を含むが、そのような包括性は必ずしも必要ではない。通常、マイクロアレイは少なくとも100遺伝子、より好ましくは、500、1000、4000またはそれ以上に対応する結合部位を有する。ある実施形態では、もっとも好ましいアレイは表示の特定生物の遺伝子の約98〜100%を有する。別の実施形態では、より少ない、具体的には選択された遺伝子に対応する結合部位を有するカスタマイズされたマイクロアレイを提供する。より少ない結合部位を有するマイクロアレイは、より安価で、より小さく、作成がより容易である。特に、本発明は移植片の状態を調べるためにカスタマイズされたマイクロアレイを提供する。好ましい実施形態では、カスタマイズされたマイクロアレイは4000未満、1000未満、200未満または50未満の遺伝子の結合部位を含み、またクラスターA, B, C, D, E, FまたはGのうち任意の少なくとも2、好ましくは少なくとも3、4、5またはより多い遺伝子の結合部位を含む。好ましくは、マイクロアレイは目的の生物学的ネットワークモデルの試験および確認に関連する遺伝子の結合部位を有する。いくつかの典型的なヒトマイクロアレイは公に入手可能である。Afrymetrix GeneChip HUM 6.8Kは7,070遺伝子から成るオリゴヌクレオチドアレイである。8,150 ヒトcDNAsを有するマイクロアレイがResearch Geneticsによって開発され公表されている(非特許文献１６９)。
【０２９５】
アレイに結合するプローブは典型的にはポリヌクレオチドである。これらのDNAは、たとえば、ゲノムDNA、cDNA(たとえばRT-PCRで)、またはクローン配列から得た遺伝子断片のポリメラーゼ連鎖反応(PCR)増幅によって得ることができる。PCRプライマーは、遺伝子またはcDNAの既知の配列に基づいて、特有の断片(すなわちマイクロアレイ上の他のどの断片とも、10塩基より大きい連続する同一の配列を共有しない断片)が増幅されるように選択される。必要な特異性および最適な増幅特性を有するプライマーの設計にはコンピュータプログラムが有用である。たとえば、 Oligo p1 version 5.0(National Biosciences)を参照。非常に長い遺伝子に対応する結合部位の場合には、oligo-dTをプライマーに用いたcDNAプローブがマイクロアレイとハイブリダイズするとき完全長に満たないプローブが効率的に結合するように、その遺伝子の3'末端に近いセグメントを増幅するのが望ましいときがある。まだ未知の遺伝子に対応するESTs（発現配列タグ）として知られるcDNAsを得るために、ランダムオリゴ-dTプライミングもまた用いることができる。あるアレイは遺伝子の重なり合う部分に対応する多くの小さなオリゴヌクレオチドを用いる。そのようなオリゴヌクレオチドはよく知られたさまざまな方法によって化学的に合成しうる。合成配列は長さ約15〜約500塩基の範囲にあり、より典型的には約20〜約50塩基の範囲にある。一部の実施形態では、合成核酸は非天然塩基、たとえばイノシンを含む。上記の通り、核酸アナログはハイブリダイゼーションのための結合部位として用いることができる。適当な核酸アナログの例はペプチド核酸である(たとえば非特許文献１７０;また特許文献２８も参照)。
【０２９６】
他の一実施形態では、結合(ハイブリダイゼーション)部位は、遺伝子、cDNAs(たとえば、発現配列標識)のプラスミドまたはファージクローン、またはその挿入部から作られる(Nguyen et al., 1995, Differential gene expression in the murine thymus assayed by quantitative hybridyzation of arrayed cDNA clones, Genomics 29:207-209)。さらにもう一つの実施形態では、結合部位のポリヌクレオチドはRNAである。
【０２９７】
核酸またはアナログは、ガラス、プラスチック（たとえばポリプロピレン、ナイロン）、ポリアクリルアミド、ニトロセルロース、または他の物質から作成することのできる固相担体に結合されている。核酸を表面に結合させる好ましい方法はガラス板へプリントすることであり、非特許文献１７１に概説される通りである。この方法はcDNAのマイクロアレイを作成するのに特に有用である。(非特許文献１７２;非特許文献１７３;および非特許文献１７４も参照)。上記の論文のそれぞれが、全体がこの参照により開示に含まれる。
【０２９８】
マイクロアレイを作成するための別の好ましい方法は、高密度オリゴヌクレオチドアレイを作成することによる。規定の配列と相補的な何千ものオリゴヌクレオチドを含むアレイを、in situ合成のための光リソグラフィー技術を用いて表面の定められた位置に作成する技術(非特許文献１７５;非特許文献１７６;非特許文献１７７;特許文献２９;特許文献３０;および特許文献３１（それぞれの全体がこの参照により開示に含まれる）)または規定のオリゴヌクレオチドの迅速合成と沈着のための他の方法が知られている(Blanchard et al., 1996, 11 : 687-90)。これらの方法が用いられるとき、既知の配列のオリゴヌクレオチドが、たとえば誘導体化したスライドガラスのような表面上に直接合成される。通常、作成されるアレイは、RNAにつきいくつかの リゴヌクレオチド分子が重複している。オリゴヌクレオチドプローブは、選択的にスプライスされたmRNAを検出するように選ぶことができる。
【０２９９】
たとえばマスキングによって(非特許文献１７８)マイクロアレイを作成する他の方法もまた用いることができる。原則的に、任意の型のアレイ、たとえば、ナイロンハイブリダイゼーション膜上のドットブロット(非特許文献１７（その全体がこの参照により開示に含まれる））を用いることができるがしかし、当業者に理解されるように、ハイブリダイゼーション容量はより小さくなるため、非常に小さいアレイが好ましい
マイクロアレイに接触させる核酸は様々な方法で作成することができる。トータルRNAおよびポリ(A)+RNAを作成する方法はよく知られており、上記非特許文献１７に概説されている。標識cDNAはｍRNAからオリゴdTプライマーまたはランダムプライマーを用いた逆転写によって作成され、その両方が既知である(たとえば非特許文献１７９を参照)。逆転写は、検出可能な標識と結合したdNTP、非常に好ましくは蛍光標識dNTPの存在下で行うことができる。あるいは、単離されたmRNAは、標識dNTPの存在下で二本鎖 cDNAのin vitro 転写によって合成された標識アンチセンスRNAに変換することができる(非特許文献１７７)。cDNAsまたはRNAsは検出可能な 標識の非存在下で合成することができ、後でたとえば、ビオチン化dNTPまたはrNTPを組み込み、または何らかの類似の方法を用い(たとえば、ビオチンのソラレン誘導体をRNAへ光架橋する)、その後に標識化ストレプトアビジン(たとえばフィコエリトリン結合ストレプトアビジン)または同等物によって標識することができる。
【０３００】
蛍光標識を用いる場合、フルオレセイン、リーサミン、フィコエリトリン、ローダミン(Perkin Elmer Cetus)、Cy2、Cy3、Cy3.5、Cy5、Cy5.5、Cy7、FluorX(Amersham)、その他(たとえば非特許文献１８０を参照)を含む多くの適当な蛍光発色団が知られている。
【０３０１】
別の一実施形態では、蛍光標識以外の標識が用いられる。たとえば放射性標識、または放射性標識と明瞭な発光スペクトルの組み合わせを用いることができる(非特許文献１８１;非特許文献１８２を参照). しかし、放射性同位体の使用はより好ましくない実施形態である。
【０３０２】
核酸ハイブリダイゼーションおよび洗浄条件は、標識核酸の集団が、マトリクスに結合された核酸と特異的に適当な相補的ハイブリダイズを行うように選択する。ここで用いられるように、ポリヌクレオチドのうち短い方が25塩基以下であって、標準の塩基対形成則を用いてミスマッチが存在しないかまたは、ポリヌクレオチドのうち短い方が25塩基より長く、ミスマッチが5%以下であるとき、一つのヌクレオチド配列は別のと相補的であると考えられる。好ましくは、ポリヌクレオチドは完全に相補的である(ミスマッチが無い)。
【０３０３】
最適ハイブリダイゼーション条件は、標識核酸および固定化ポリヌクレオチドまたはオリゴヌクレオチドの長さ(たとえば、オリゴマーに対して、200塩基より大きいポリヌクレオチド)および型(たとえば、RNA、DNA、PNA)に依存する。核酸の特異的(すなわち、ストリンジェントな)ハイブリダイゼーション条件のための一般的パラメータは上記非特許文献１７および非特許文献１８３に記載されており、その全体が開示に含まれる。標識核酸のアレイへの非特異的結合は、アレイを多量の非特異的DNAで処理するいわゆる「ブロッキング」段階によって減少させることができる。
【０３０４】
蛍光標識プローブを用いるとき、転写物アレイのそれぞれの部位での蛍光発光を 、好ましくは、共焦点レーザー顕微鏡法を用いて検出することができる。二つの蛍光発色団が用いられるとき、適当な励起線を用いた別々のスキャンを、使用した二つの蛍光発色団のそれぞれについて用いることができる。あるいは波長特異的、に二つの蛍光発色団に特異的な波長で同時に標本を蛍光発色させることができ、二つの蛍光発色団からの発光を同時に分析することができる(非特許文献１８４を参照)。好適な一実施形態においては、アレイはレーザー 蛍光 スキャナを用いてスキャンされる。レーザー 蛍光 スキャナはコンピュータ 制御X-Yステージおよび 顕微鏡対物レンズを有する。配列の励起はマルチライン混合ガスレーザーで行われ、放射光が波長によって分離され、２つの異なる波長の光増幅管で検出される。and detected with 二つのphotomultiplier tubes. 蛍光 レーザースキャン装置は非特許文献１８５および前出の他の文献に記載されている。あるいは、非特許文献１８６に記載された光ファイバーケーブルを用いて、多数の部位で同時にmRNA量をモニターすることができる。蛍光マイクロアレイスキャナはAfrymetrix、Packard BioChip Technologies、BioRoboticsおよび他の多数のメーカーから市販されている。
【０３０５】
シグナルはさまざまな コンピュータソフトウェアを用いて記録、定量、分析される。一実施形態ではスキャン画像の傷が画像プログラムによって取り除かれ、(たとえば、 Hijaak Graphics Suite)画像グリッドプログラムを用いて分析される。各波長での各位置のハイブリダイゼーション、必要であれば、実験的に２つの蛍光のチャンネルを重ねることができ、重なりを補正することができる。「cross talk」(または) 二つの蛍光物質のチャンネルを重ねる。特定の転写物アレイ上の任意の特定のハイブリダイゼーション部位について、二つの蛍光発色団の発光の比が好ましくは計算される。この値は同族遺伝子の絶対発現レベルとは独立であるが、しかし薬物投与によって発現が顕著に調節される個人の遺伝子は、薬物投与、遺伝子欠失、または他の任意の試験項目と比べることができる。
【０３０６】
本発明の方法によると、２つの検体中のmRNAの相対量が摂動として記録され、その大きさが測定される(すなわち二つの起源のmRNAについて相対量が異なる)、かまたは、摂動しなかったと記録される(すなわち相対量が等しい)。ここで用いられるように、二つの起源のRNAの差は、少なくとも係数が25%(ある起源からのRNAがもう一つの起源からより25%多い)、より普通には約50%、さらによりしばしば係数約２（２倍多い）、3(３倍多い)または5(５倍多い)と記録される。本検出法は信頼できる差の検出方法であり、オーダーの差は約2倍〜約5倍であるが、より高感度の方法が開発されることが予期される。
【０３０７】
好ましくは、摂動を正または負と識別することに加えて、摂動の大きさを測定することが有用であると考えられる。このことは、上記の通り、差別的標識に用いた二つの蛍光発色団の発光の比を計算するか、または当業者に容易に明らかとなる類似の方法によって達成される。
【０３０８】
本発明の一実施形態では、目的細胞の転写の状態を反映する転写物アレイが、二つの異なる標識の組のcDNAの混合物をマイクロアレイハイブリダイズさせることで得られる。一つの細胞は目的の細胞である一方、もう一つの細胞は正規化の対照として用いる。それぞれの細胞中でのcDNAのマイクロアレイへの相対的なハイブリダイゼーションは、後で２つの細胞における各遺伝子の相対的な発現を示す。たとえば、さまざまな 乳がんでの遺伝子発現を評価するためPerou et al.は各腫瘍から得た蛍光標識ｃDNAを、乳がん細胞株から得たｃDNAの標準混合物と組み合わせて、マイクロアレイとハイブリダイズした。この方法で、腫瘍検体それぞれにおける遺伝子発現が同じ標準に対して比較され、腫瘍検体間の比較が容易になる。
【０３０９】
好適な実施形態においては、そのような実験から得られたデータは、マイクロアレイ中に示された個々の遺伝子の相対的な発現を反映する。異なる検体および条件下での発現レベルは、さまざまな統計的方法を用いて比較することができる。
【０３１０】
利用できるさまざまな統計的方法から、異なる遺伝子の発現パターンにみられる近縁度を評価することができる。その統計的方法は２つの関連する部分に分けられる：一またはそれ以上の遺伝子の発現パターンの近縁度を測定する距離関数、および、適当な距離関数に基づいて発現データの組織化および分類を行うクラスター化法(非特許文献１８７;非特許文献１８８)。
【０３１１】
一実施形態では、ピアソン相関を距離関数として用いる。要約すると、任意の遺伝子について、遺伝子発現レベル上の個々のデータ点が、すべての条件にわたるその遺伝子の発現レベルの総平均からの遺伝子発現の変動を表すベクトルを定義する。そのため、各遺伝子の発現パターンは正および負のベクトルの一連のパターンとして見ることができる。ピアソン相関係数は、各遺伝子のベクトルを互いに比較して計算することによって求められる。そのような方法の一例は既に記載されている。ピアソン相関係数はベクトルの方向を説明するが、大きさは説明しない。
【０３１２】
別の一実施形態では、ユークリッド距離測定を距離関数として用いることができる。これらの方法では、ベクトルは個々の遺伝子について個々の条件で計算され、多次元空間の、その遺伝子のベクトルによって記載された点の間の絶対距離に基づいて比較される。
【０３１３】
さらなる一実施形態では、遺伝子発現パターンの近縁度がエントロピー計算(非特許文献１８８，上記)によって決定される。エントロピーは個々の遺伝子の発現パターンについて計算される。２つの遺伝子について計算されたエントロピーを比較し、相互情報量を決定する。相互情報量は、それぞれの遺伝子について個別に計算されたエントロピーから、連結した遺伝子発現パターンのエントロピーを差し引くことによって計算される。二つの遺伝子発現パターンが異なっているほど、連結エントロピーは高くなり、計算された相互情報量は低くなる。ゆえに、高い相互情報量は、その二つの遺伝子発現パターン間の規則的な近縁度を示す。
【０３１４】
近縁度に関する異なる距離関数を、遺伝子クラスターを識別するさまざまな方法に用いることができる。一つの実施形態では、エントロピー測定の包括的な２つ組比較によって、特に高い相互情報量を有する遺伝子のクラスターが同定される。好適な実施形態においては、正規化された相互情報量スコアが0.7以上、好ましくは0.8より大、0.9より大、または0.95より大であれば二つの遺伝子の発現パターンは相関している他の実施形態では、相互情報量についての統計的有意性は、発現測定の順序を無作為に30回変更し、そのような無作為な組み合わせから相互情報量の測定値の最高値を決定することによって得られる。３０回の順序変更後にランダムに得られる可能性があるよりも高い相互情報量を有するすべてのクラスタは統計的に有意である。さらなる一実施形態では、二つの遺伝子の発現パターンは、相関係数が0.8以上であるとき、そして好ましくは0.85、0.9よりも大きいときまたは、非常に好ましくは0.95よりも大きいとき、相関している。
【０３１５】
別の一実施形態では、集積的クラスタ化法を用いて遺伝子クラスタを同定することができる。一実施形態では、ピアソン相関係数またはユークリッド距離を、各遺伝子について測定し、それから樹上図を作成する基礎として用いる。一つの実施形態では、遺伝子をスキャンして最も近い相関係数を有する対を求めた。これらの遺伝子は次いで樹状図の二本の枝に、距離と枝の深さが相関の程度と比例するような節点で繋げられ、節点で繋がった樹状図の、この処理を続けて、徐々に枝を木に追加していく。最後には、短い枝で繋げられた遺伝子がクラスタを表し、長い枝で繋げられた遺伝子はクラスタ化していない遺伝子を表す。多次元空間内のユークリッド距離による点もまた、樹状図の作成に用いることができる。
【０３１６】
さらに別の一実施形態では、分割的クラスター化を用いることができる。たとえば、個々の遺伝子の発現パターンにベクトルを割り当て、そして二つのランダムベクトルを生成する。個々の遺伝子を次いでその二つのランダムベクトルのうち一方に、そのベクトルと一致する可能性に基づいて割り当てる。ランダムベクトルを繰り返し再計算し、その遺伝子を二つの群に分割する二つの重心を生じる。この分割によって樹状図の基部に大きな枝を生じる。それぞれの群を次いでさらに同じ方法で分割し、最終的に完全に枝分かれした樹状図を得る。
【０３１７】
さらなる一実施形態では、自己組織化マップ(SOM)を用いてクラスターを生成することができる。一般に、上記のユークリッド距離のような距離関数を用いて、遺伝子発現パターンをn次元空間内にプロットする。次いでそのn次元空間内に重心の格子を配置し、重心は点のクラスターに向かって移動させる。この点のクラスターは遺伝子発現のクラスターを表す。最終的に、重心は、遺伝子クラスターの平均のような一つの遺伝子発現パターンを表す。ある実施形態では、SOMを重心を生成するのに用いることができ、そして個々の重心にクラスター化した遺伝子はさらに樹状図で表すことができる。典型的な方法が非特許文献１８９に記載されている。重心が一旦形成されると、相関は上記の方法のうち一つを用いて評価しなければならない。
【０３１８】
別の面では、本発明はプローブの組を提供する。好ましいプローブの組は、複数の遺伝子の発現を検出し移植片の状態に関する情報を与えるように設計される。本発明の好ましいプローブの組は、遺伝子クラスターA、B、C、D、E、FまたはGに属する少なくとも２つの遺伝子を検出するのに有用なプローブを含む。特に好ましいプローブの組は、遺伝子クラスターA、B、C、D、E、FまたはGに属する少なくとも３個または少なくとも４個または少なくとも５個の遺伝子の検出に有用なプローブを含む。あるプローブの組は、遺伝子クラスターHに属する一またはそれ以上の遺伝子の検出に有用なプローブを追加的に含みうる。本発明のプローブの組は、10,000を超える遺伝子転写物を検出するのに有用なプローブを含まず、そして好ましいプローブの組は、4000未満、1000未満、200未満、そして非常に好ましくは50未満の遺伝子転写物を検出するのに有用なプローブを含む。本発明のプローブの組は、特定のゲノム中の可能な限り多くの遺伝子を検出することを意図するプローブの組よりも小さく安価であるため特に有用である。本発明のプローブの組は、移植状態について情報を与える遺伝子転写物の検出を標的とする。本発明のプローブの組は、移植状態について情報を与えない遺伝子転写物を検出する多数または少数のプローブを含みうる。そのようなプローブは対照としてまた正規化のために有用である。プローブの組は乾燥した混合物または溶液中の混合物でありうる。好適な実施形態においては、本発明のプローブの組は固体基質に接着され、プローブのアレイを形成する。プローブの組はまた多重PCRに有用であることが期待される。
【実施例１】
【０３１９】
炎症経路遺伝子のクローニングおよび同定
炎症性サイトカインシグナル伝達に関わる新規の遺伝子を同定するため、我々はサイトカイン反応性レポーターの活性を調節する能力を有する遺伝子産物を単離するための発現スクリーニングを開発した(Kiss-loth, E. et al. (2000) Journal ofImmunological Methods 239: 125-135)。ホタルルシフェラーゼ遺伝子の発現を調節するIL-8ケモカイン遺伝子プロモータをリードアウトに用いた。このプロモータ断片(-79 to +45:pIL8)はAP-1、C/EBPおよびNFKB部位を含み、炎症性シグナル応答性プロモータの典型的な構造を有する。我々はまた、この系におけるヒトEL-8の培地中への分泌レベルがレポーター系活性と相関していることを見いだしており、ゆえにこのレポーターはこの内因性遺伝子活性の有効な代理指標である。我々はシグナル伝達の抑制因子および活性化因子の両方を単離しており、IL-8遺伝子の転写を調節する役割を果たす遺伝子産物の数の推定値の下限を得ていた。
【０３２０】
オリゴdTプライマーとpCDMSを用いたヒト末梢血単核球cDNA発現ライブラリから得た約300クローンの30プールをスクリーニングin vivoでレポーターpIL-8-ホタルルシフェラーゼに対して、内部標準PTK(HSVチミジンキナーゼプロモータ)-ウミシイタケルシフェラーゼを用いて、デュアルルシフェラーゼ検定法によりHeLa細胞でスクリーニングした。プール(p)は陽性で、pIL-8/PTK 活性比が他方の29と比べて大幅に上昇していた。我々はこれと一つの陰性プールとを、シングルセルpIL-8-EGFP転写検定法によって前記の通り分析した。陽性プールは活性で(図1B)、遺伝子導入された集団のうち5〜10%の細胞がレポーターの誘導を示し、これはプール中の300クローンのうちの一つが生産的に導入される場合に予測される数に相当する。プールの解体後、活性挿入部分はインターフェロン-γのコード領域(ORF)全体をセンス方向で有していたことが配列決定によって明らかになった。この知見は、IFN-γはＮＦ−ΚＢを活性化するという報告に適合する。さらに、サイトカインの分泌が予測されたにもかかわらず、GFP検定法でシグナルの傍分泌性「拡散」はみられず、またそれを発現した細胞はアポトーシス性であったことが、それらが小さく、発光し、アネキシンV陽性であったという事実と共焦点蛍光顕微鏡写真から(データ記載せず)判断された。このことは、FN-γがFasL/FasまたはTrail/Trail-R アップレギュレーションを介してアポトーシスを生じさせることができるというおよびIFN-γがおそらくTNF/TNFRファミリーメンバーの誘導後に相乗的にNFKB活性化を誘導するという以前の知見、スクリーニングからのデータはpIL-8遺伝子の転写の調節に関わる遺伝子産物の数の推定値の下限を与える。ヒット率は1/8000であり、ライブラリは約5X106独立クローンを有するので、スクリーニングによってpIL-8 luc阻害因子または活性化因子転写約600クローンが検出されるとを示唆する。
【０３２１】
ライブラリは無方向性で、オリゴdTプライマーを使用し、平均挿入長は2〜3kBである。明らかにクローンの半数はアンチセンスであり多くが3'UTRsのみを含む。クローンのどの部分が発現可能なタンパク質をコードする挿入配列を有するかを推定するのは困難であり、また実際に我々の結果（下記参照）は、関連するクローンの検出に完全長コード領域は必ずしも必要でないことを示唆する。
【０３２２】
ランダムプライマーを用いたヒトB-細胞系(CB23)ライブラリのタイプII IL-1受容体についてのスクリーニングでは、完全長ORFを有するクローンの収率は推定で約1/300,000であった。我々のライブラリは、一つの細胞株からオリゴdTプライマーを用いてでなく、複雑な細胞集団である活性化末梢血単核球から調製されるので頻度はより低いと思われる。このことと、SKIPの結果(下記参照)を考慮して、我々は稀なmRNAについて発現可能クローンをわずか５個と推定し(クローン集団中に<1/25,000)、これは過剰発現によって検出可能である最小100個の明らかな遺伝子産物が、IL-8プロモータ調節に酸化していることを示唆する。D. melanogaster染色体3上の40個の遺伝子が脂肪体細胞中のDifとDorsal転座の調節に関わるという推定を考慮するとこの数は合理的である(非特許文献１９０を参照)。すべての関連遺伝子産物は過剰発現後に活性が変化しない可能性があるため、これは全構成成分の部分集合に過ぎないと思われる。実際に、我々はIL-1RIとTLR4は、HeLa細胞で過剰発現されたときは、外因性リガンドが培養中に添加されないかぎり、pEL8を活性化しないことをを発見している。
【０３２３】
得られたクローンのうち２つは、一つはIL-8媒介転写の活性化因子として、もう一方は阻害因子として、IL-8のレベルを変える活性があった。活性化因子はセンス方向の完全長Re1A cDNAクローンであり;IL-8プロモータの構造を考慮すると予想される結果である。阻害因子cDNAクローンはマウスオーファンステロイドホルモン受容体Nur77のヒト相同遺伝子NAK-1をセンス方向でコードする。Nur77/N10/NAK-1/NGFI-B(NR4サブファミリーの一員)は、PC12細胞と繊維芽細胞でさまざまな刺激に寄って誘導される最初期遺伝子であると以前に同定された[たとえばそれは分裂促進因子による活性化後に多くの細胞型で発現されている]。多数の文献が、たとえば、細胞活性化誘導細胞死(AICD)の負の選択において、Nur77および近縁の転写因子NOR-1とNurr1は多くの細胞型でアポトーシスの中心的役割を果たすとしている。Nur77/N10遺伝子導入マウスは、大規模な早発アポトーシスのために二重陽性および単独陽性陽性胸腺細胞の劇的な減少を示した。最近の報告は、Nur77は未刺激IgHELBリンパ球のニワトリ卵リゾチーム刺激に応答してアップレギュレートされる最初期遺伝子の限られた組の一つである(誘導1時間後)ことを示している。
【０３２４】
NAK-1の一過性過剰発現は、IL-8プロモータの基本的およびIL-1刺激された活性の両方を阻害した。さらに、AP-1、NFKBおよびCREレポーターの刺激はNAK-1によって抑制された。それはまた合成LHREプロモータの活性化をブロックした。このようにNAK-1の阻害活性は幅広く、おそらく過剰発現の結果である。しかし、内部調節レポーターの活性は阻害されないため、これは転写または翻訳の一般的阻害因子ではない。Nur77は部分的にしか理解されていないある機構によってAICDを促進することが示されていて、我々のデータはNAK-1はサイトカインシグナル伝達の阻害因子として作用しうることを示している。ステロイドホルモン受容体はNFKBによって転写促進をブロックでき、そしてNur77/NAK-1の活性はNor-1、Nurr1およびRXRsとのヘテロ二量体化によって増強することができる。レチノイド類もまたNFKBを通じて作用することによってサイトカイン遺伝子発現をブロックすることが示されている。我々のデータはNAK-1/Nur77はＮＦ−κＢのような生存シグナルの阻害を一部の原因としてアポトーシス促進性である可能性があることを示唆している。
【０３２５】
もう一つの抑制クローンはpoly-A部分に終わるセンス方向の3'UTR断片をコードした。対応する完全長転写物の配列はヒトゲノムおよびcDNA配列データベースを検索することによって推定した。部分配列は以前に報告されている(GenBank AJ000480)。完全長cDNA配列は、IMAGEコレクションから得られた発現配列タグを配列決定することによって確認された。我々はこの遺伝子産物をストレスキナーゼ阻害タンパク質-1(SKIP-1)と命名した。
【０３２６】
PBMCから作成されたcDNA発現ライブラリからのプールのスクリーニングで(非特許文献１９１)、さらに、我々は以前は機能未知であった一つのcDNAを同定した。相同ショウジョウバエ遺伝子tribblesが近年記載されている(非特許文献５;非特許文献１９２;非特許文献４)。したがって我々は、我々のクローンによってコードされる単離された哺乳類タンパク質について、ヒトtribbles相同体-(htrb-1)という名称を提案する。
【実施例２】
【０３２７】
htrb-1抑制特異性の分析
図1Aはhtrb-1過剰発現のIL-8レポーター活性に対する影響を示す。HeLa細胞にIL-8ルシフェラーゼレポーターを、htrb-1発現構造と共に、またはそれ無しで導入した。黒の棒グラフはhtrb-1共導入無しでのレポーター活性化を示し、一方、灰色の棒グラフは50ngのhtrb-1発現構造の存在下でのレポーター活性化を示す。細胞を炎症性サイトカインで刺激し、レポーター活性を測定した。
【０３２８】
図B〜D：htrb-1はストレスキナーゼシグナル伝達の特異的阻害因子である。HeLa細胞にAP-1(B)、NFkB(C)そしてヒト成長ホルモン(D)シグナル伝達経路特異的転写レポーターを一過性に導入し、htrb-1発現プラスミドの存在下(灰色棒グラフ)または非存在下(黒棒グラフ)で、MEKK-1発現構造(B、C)またはヒト成長ホルモン(D)によって活性化した。図E：PAP-1 lucをV12Ras発現プラスミドで刺激し、htrb-1とhtrb-3の同時発現の効果を調べた。図F：AP-1レポーター(菱形)をMEKK-1発現プラスミド(四角)で刺激し、htrb-1過剰発現(三角)のその刺激に対する効果を調べた。構成性活性TK-Rluc対誘導性AP-1 lucの活性をプロットした。図G：p38応答性PFR-luc + PFA-CHOPレポーターをMEK-3発現構造で刺激した。標示のように刺激の存在または非存在で、htrb-3をレポーターと同時導入した。
【０３２９】
過剰発現時に、htrb-1はIL-8レポーターの基本的活性を阻害するが、一方でこのプロモータのIL-1およびTNFαによる誘導は影響されなかったことが発見された(図1A)。この検定に用いたIL-8プロモータ断片は、NFkBおよびAP-1との結合部位を含み、サイトカイン誘導性活性の大部分はＮＦ−κＢ部位を通じて媒介される一方、AP-1部位は基本的プロモータ活性に大きく寄与している(非特許文献１９３)。どのシグナル伝達経路がhtrb-1によって阻害されるかを判断するため、完全長htrb-1 ORFをコードするcDNAを、NFkBまたはAP-1結合部位の複数コピーを含む転写レポーターに対して試験した。レポーターはMEKK-1によって活性化した。htrb-1タンパク質の過剰発現はAP-1の活性化によって抑制されたが、ＮＦ−κＢ レポーター(図1BおよびC)あるいはJAK/STAT経路特異的プロモータ(図1D)の活性化では抑制されなかった。これらのデータは、htrb-1のシグナル伝達に対する観察された負の効果は、ストレスキナーゼ経路に特異的であることを示唆する。
【０３３０】
観察されたAP-1阻害はMEKK-1過剰発現に限定されないことを確認するため、htrb-1またはhtrb-3発現構造の非存在または存在下で、V12 RasをAP-1レポーターと同時導入した(下記参照)(図1E)。Ras媒介活性化もまた、上昇したhtrb濃度によって阻害された。htrb過剰発現が構成性HSV-TKプロモータに及ぼす効果(図1F)およびp38媒介一般ストレス応答の活性化に関与している可能性(図1G)を評価した。我々のデータは、htrb-1がMEKK-1媒介AP-1活性化の阻害に及ぼす影響はその誘導性レポーターに特異的であり、一方、TK-調節レポーターの活性はこの処理に影響されなかったことを示した(図1F)。
【実施例３】
【０３３１】
他のhtrb遺伝子の同定と分析
図2はhtrbタンパク質ファミリーの複数の配列を示す。Searching公開DNAデータベースを検索することで、3個のヒトhtrb遺伝子と、さらに脊椎動物と昆虫でtrb相同遺伝子をコードする発現配列タグが見つかった。ヒトhtrbファミリーの推定されるタンパク質配列および同定されたtrb相同遺伝子を、ClustalXによってデフォルトのパラメータを用いて配置している。htrb変異の位置を矢印で示す。略語:h- Homo sapiens、m- Mus musculus、r- Rattus norvegicus、c- Cards canis、b- Bos taurus、x- Xenopus laevis、o- Oncorhynchus mykiss、a- Aedes aegypti。
【０３３２】
htrb-1配列についての公開データベース検索で、さらに２個のヒト遺伝子、htrb-2とhtrb-3が同定され、それぞれ41および51%がhtrb-1と同一である。さらに、trb遺伝子産物と推定されるものがいくつか、脊椎動物種に、また昆虫に見つかった(図2)。これらのタンパク質のすべてが中心の類似のキナーゼ様ドメインを共有している。さらに、それぞれが、データベース中の他のどの配列とも、また互いにも近縁でない短いN末端(約70〜100残基)およびC末端(約25残基)ドメインを有している。ヒトhtrb-1配列の一部が報告されている（非特許文献７）。イヌtrb-2は、キナーゼ活性を欠く非常に不安定な細胞質リン酸タンパク質として記載されており:そのmRNAは分裂促進因子によってアップレギュレートされる(非特許文献７;非特許文献１９４)。htrb-3のラット相同体は、神経細胞死の間に誘導される新規のキナーゼ様遺伝子として同定されている(非特許文献６)。ショウジョウバエ相同体はtribblesであり、これはCDC25系列を調節することによって有糸分裂と形態形成を調節する(非特許文献５;非特許文献１９２;非特許文献４；非特許文献１９５)。trbキナーゼ様ドメインは、一般にタンパク質セリン-スレオニンキナーゼと、特にカルシウムカルモジュリンキナーゼおよびSNF1キナーゼと相同性を示す。しかし、trbsは活性部位リジンを欠き、イヌtrb-2(非特許文献７)およびtribble (非特許文献５)について示されるようにキナーゼ活性は無いと予測される。
【０３３３】
To determine whether htrb-3がhtrb-1のと類似の転写調節活性を有するかどうか判断するため、htrb-3発現のAP-1レポーター活性化に対する効果を調べた。この二つの哺乳類相同遺伝子は類似の活性を有し(図3A参照)、さらに、観察されたAP-1阻害は、V12 Ras 媒介AP-1活性化が同様にhtrb-1またはhtrb-3発現構造の発現によって影響されたため(図1E)、MEKK-1過剰発現に限られなかった。さらに、p38反応性レポーターの基本的活性はhtrb-3によって影響されず、これらのキナーゼの活性化はhtrb-3を過剰発現することによってわずかに阻害された(図1G)。
【０３３４】
さらにhtrb発現レベルがストレスキナーゼシグナル伝達に及ぼす影響を調べるため、逆方向のhtrb-1またはhtrb-3 5'UTRおよびN末端可変領域に対応する領域を発現するアンチセンス構造をHeLa細胞に、AP-1またはNFkBレポーターと、そして活性化因子としてMEKK-1またはNIK発現構造と同時導入した(図3A、B)。完全長センスcDNAについて観察された通り、これらの構造はAP-1活性化を強く阻害する一方、NFkBには殆ど影響しなかった。
【０３３５】
図3はアンチセンスhtrb-1およびhtrb-3 RNAの発現がストレスキナーゼ活性化阻害するのを示している。同時導入したアンチセンスhtrb-1またはhtrb-3構造の効果は、AP-1(A)およびNFkB反応性レポーター(B)のMEKK-1またはNIK発現プラスミドによる活性化についてそれぞれ記録した。(C)HeLa細胞にセンスまたはアンチセンス htrb-3発現構造を導入し、細胞の大きさをフローサイトメトリーで測定し、前方散乱をプロットした。(D)対照およびhtrb-3を導入したHeLa細胞を可浸透化し、RNAse処理し、ヨウ化プロピジニウムで染色した。細胞のDNA含量はフローサイトメトリーで測定した。
【実施例４】
【０３３６】
htrb細胞周期調節の研究
成虫原基細胞におけるtrb -/- 遺伝子型またはtribblesの過剰発現はG2停止と細胞の大きさの増大を生じることが示されている(非特許文献１９６;非特許文献１９７)。この効果は細胞型特異的であった(非特許文献５;非特許文献１９２)。htrbsはtribblesに最も近い既知の哺乳類相同遺伝子であるので、HeLa細胞におけるhtrb発現レベルの、細胞の大きさおよび細胞周期に対する影響を調べた。tribblesについて観察されたように、上昇または低下したhtrb-3(およびhtrb-1、データ記載せず)レベルの結果として、細胞の大きさの増大が生じた(図3C)、対照的に、細胞周期分布は過剰発現したhtrb-3に影響されなかった(図3D)。これらの観察は、ショウジョウバエ成虫原基細胞の大きさがtribblesの支配下にあるように、脊椎動物細胞の大きさはtrbタンパク質によって支配されている可能性があることを示唆する(非特許文献５;非特許文献４)。
【実施例５】
【０３３７】
htrb-1媒介抑制の分析
表１は、htrb-3がAP-1を阻害するが、ＮＦ−κＢ、さまざまなサイトカインの誘導を阻害しないことを示す。終濃度1OnMのそれぞれのサイトカインおよび50ng/mlのPMAを、HeLa細胞を４時間刺激するのに用いた。活性化はPBS対照との比較で示す。AP-1レポーターを活性化する能力を有するものを、htrb-3の効果について調べた。結果は、同時導入されたhtrb-3構造によって起こったパーセント阻害で示す。略語: IL- インターロイキン、bFGF- 塩基性繊維芽細胞成長因子、EGF- 上皮成長因子、Ins. like GF- インシュリン様成長因子、TGFβ- 形質転換成長因子β-1、M-CSF- マクロファージコロニー刺激因子、G-CSF- 顆粒球コロニー刺激因子、GM-CSF- 顆粒球マクロファージコロニー刺激因子、PDGF-BB- 血小板由来成長因子-BB、LIF- 白血病抑制因子、PMA テトラデカノイルホルボール酢酸。
【０３３８】
HeLa細胞におけるhtrb-1の過剰発現はMEKK-1媒介AP-1を阻害するが、ＮＦ−κＢ活性化は阻害しない。類似の効果が、AP-1レポーターがPMA(図4A、B)または一群のヒトサイトカイン(表１参照)によって刺激されたときにみられた。.可能性のあるhtrb作用部位を特徴づけるため、我々はMEKK-1の用量を増やすことで効果をバイパスしうるかどうか試験した(図4C)。我々のデータはそうでないことを示し、htrb-3はMEKK-1の下流の律速因子と相互作用することを示唆する。我々の現在の理解によると、MEKK-1は二つの下流 キナーゼ、MKK4(SEK1)およびMKK7をリン酸化する(非特許文献１９６;非特許文献１９７)。これらのキナーゼの活性化は、Junキナーゼを介したc-JunおよびCREB2を含め、いくつかの転写因子のリン酸化につながる(非特許文献１９８)。htrb遺伝子の作用点をさらに特徴づけるため、MKK4およびMKK7の発現構造がhtrb-1発現プラスミドとともにまたはそれ無しで同時導入された（図4E)。MKK7媒介AP-1活性化はhtrb-1の同時発現時に阻害された。さらに、AP-1のPMAによる活性化はMKK7を過剰発現することによって増強され、またこの活性はhtrb-1またはhtrb-3の同時発現時に阻害された(図4F)。使用したMKK4構造はAP-1レポーターを刺激せず(図4E)、また用いた条件下ではPMA活性化を増強もしなかった(図4F)。MKK4がhtrb作用に関係する可能性を調べるため、HeLa細胞にhtrb-1またはhtrb-3発現構造を導入し、PMAで刺激した(図4D)。内因性MKK4タンパク質のリン酸化レベルはPMAにもhtrbsにも影響されなかった。要約すると、我々のデータはMKK4でなくMKK7がこの系のAP-1活性化に寄与し、またhtrbsの阻害効果はMKK7またはその下流に働くことを示唆する。このことを試験するため、エフェクター転写因子c-Junのリン酸化を、PMA刺激HeLa細胞からの細胞抽出物中で測定した(図5A)。活性化の最大レベルは同等であった一方、c-Junリン酸化の動態はhtrb-3過剰発現時に顕著に変化し、結果としてストレスキナーゼ応答のより迅速なダウンレギュレーションが生じた。
【０３３９】
図4はhtrb-1がMEKK-1およびMKK7媒介AP-1活性化を阻害するのを示す。HeLa細胞にAP-1レポーター(菱形)および一定量(50ng/ウェル)のhtrb-1(三角)またはhtrb-3(四角)発現構造を導入し、PMAで刺激した。PMAの漸増量を、4時間刺激するのに用いた。 B：50ng/mlのPMAの効果を６時間追跡した。C：MEKK-1の過剰発現がhtrb-3阻害をバイパスしうるかどうか調べるため、MEKK-1発現プラスミドの漸増量(黒棒グラフ)、および一定量(50ng/ウェル)のhtrb-3発現構造(灰色棒グラフ)を同時導入した。D：HeLa細胞にhtrb-1またはhtrb-3発現構造を導入し、50ng/ml PMAによって導入後24時間刺激した。pMKK4濃度は、等しい量の全細胞破砕液をウェスタンブロットすることによって追跡した。E：AP-1レポーター活性を、htrb-1発現プラスミドの存在(灰色棒グラフ)または非存在(黒棒グラフ)下で、MKK4またはMKK7発現構造の同時導入に対して測定した。F： AP-1レポーター、MKK4またはMKK7発現プラスミド +/- htrb-1発現構造を導入したHeLa細胞を、2ng/ml PMAで刺激しレポーター活性を測定した。
【０３４０】
外因性MAPK活性化刺激に対する、全体としての細胞反応は、個々のMAPK経路が活性化された程度に依存する。これは精密に調節された過程であり、微小環境、細胞周期の状態、共刺激シグナルを含む多くの因子が関わる。他のMAPK経路がhtrbの過剰発現に影響されるかどうか調べるため、HeLa細胞にhtrb-3発現構造とERK、JNKまたはp38反応性レポーターとを同時導入し、これらのエフェクターキナーゼを特異的に活性化する上流のMAPキナーゼを過剰発現させることによって刺激した。htrb3の漸増量を同時導入した(図5B)。我々のデータが示す通り、少量のhtrb-3はJNKとERKsの活性化を促進することができ、一方でp38活性化は抑制された。多量のhtrb(>20ng)はすべてのMAPK経路の活性化を阻害した。さらに、MAPK活性化を促進する最適htrb-3用量はERKsとJNKsについて異なり、htrb濃度の調節は個々のMAPK経路の活性化の間のバランスを変える感受性の高い機構である可能性があることを示唆する。
【実施例６】
【０３４１】
htrbはERK活性化を増大させる
htrb過剰発現のERK活性化に対する効果を調べた。HeLa細胞をPMAで活性化し、リン酸化ERKsの濃度をウェスタンブロット法によって観察した(図5C、D)。我々の結果は、リン酸化ERKの基本濃度がhtrb-3によって上昇し、最大刺激はhtrb-1およびhtrb-3過剰発現の過剰発現の結果として大きく増加したことを示す。同様に、増大したERK活性が、htrb-1またはhtrb-3が過剰発現されたHeLa細胞由来のPMA活性化細胞抽出物を用いて行ったキナーゼ検定法で検出された(図5E)。JNKおよびERKリン酸化レベルおよびキナーゼ活性に対するhtrbの観察された効果とは対照的に、p38キナーゼ活性はこれらのタンパク質の過剰発現時に抑制された(図5F)。
【０３４２】
図5(A)ではHeLa細胞にhtrb-1またはhtrb-3発現構造を導入し、50ng/ml PMAで刺激している。リン酸-cJun濃度は等しい量の全細胞破砕液をウェスタンブロットすることによって測定し、NIH画像によって定量した。(B) PFR luc レポーターをHeLa細胞にPFA-CHOPと共に導入し、PMEK-3(p38活性化因子)(三角)または、PMEK-1(ERK活性化因子)(菱形)で活性化したpFA2-Elk-1で活性化した。AP-1 lucはストレスキナーゼカスケードを活性化するpMEKK-1同時導入によって活性化された(四角)。(C) HeLa細胞を図5(A)のように導入し処理した。総およびリン酸化-ERK濃度はウェスタンブロット法によって測定した。(D)リン酸化-ERK濃度を測定した: 対照を導入(菱形)、htrb-1を同時導入(四角)、htrb-3を同時導入(三角)。キナーゼ検定をPMA刺激細胞抽出物について行い、ERK(E)またはp38(F)活性を測定した。
【実施例７】
【０３４３】
htrbタンパク質ドメイン機能の分析
trbタンパク質の複数の配置は、３個の構造的に明瞭なモジュールの存在を示唆する(図2)。これらのドメインのtrb機能における役割を調べるため、一個または二個のドメインを欠くhtrb-1欠失変異体を作成した(図6A)。結果の構造はHeLa細胞でGFP融合タンパク質として発現し、完全長htrb-1および欠失変異体のそれぞれの細胞内局在を調べた。htrb-1は核に局在しているが核小体には含まれないことが分かった。C末端可変領域の欠失は細胞内分布に影響を与えなかった一方(記載せず)、N末端可変領域の欠失によって核内に差別的に局在していないタンパク質が生じた(図6B上)。両方の末端を欠く欠失変異体は均一な細胞内分布を示した(記載せず)。類似の細胞内局在が、完全長またはN末端欠失変異体htrb-3-GFP融合タンパク質が発現されたときにみられた(図6B下)。異なるhtrbドメインのストレスキナーゼシグナル伝達における関与を一過性導入検定法で調べた。HeLa細胞に完全長およびhtrb-1欠失構造を、活性化因子としてMEKK-1発現プラスミドと導入し、htrb変異体のAP-1活性化に対する効果を測定した(図6C)。すべてのhtrb-1欠失変異体はMEKK-1媒介AP-1活性化の強い阻害を示し、htrbキナーゼ様ドメインの過剰発現がストレスキナーゼシグナル伝達を阻害するのに十分であることを示唆する。htrbsの全体のタンパク質配列はtribblesと顕著に類似しているが、プロリンに富むN末端領域は、htrb-1およびhtrb-3に核を標的とさせる原因であるが、最低レベルの相同性を示した。このことから、哺乳類相同遺伝子は、ショウジョウバエタンパク質とは異なる細胞小器官を標的とさせることができるおよび／または異なるタンパク質と相互作用させることのできる可能性が生じる。
【０３４４】
図6はhtrb-1の欠失突然変異誘発を示す。(A) trbsは高度に保存された中心ドメインと可変末端領域を共有する。htrb-1の欠失構造は可変領域の一つまたは両方を欠いて作成され、GFP融合タンパク質として発現された。(B) HeLa細胞に完全長または欠落したhtrb-1またはhtrb-3形を発現する発現構造を導入した。欠落した構造はN末端可変領域を欠く。導入の24時間後、細胞を5%ホルムアルデヒドで固定しヨウ化プロピジニウム（PI）で対比染色した。PIとGFPを励起して共焦点顕微鏡写真を撮影した。顕微鏡写真はPowerMacintoshに取り込んで重ね合わせた。(C) htrb-1-GFP欠落変異体がMEKK-1媒介AP-1活性化を阻害する能力を、一過性導入したHeLa細胞で試験した。
【０３４５】
我々はさらに、内因性htrb-1メッセージの発現の定常状態レベルがhtrb-1 3'UTRの過剰発現後に上昇したため(データ記載せず)、htrb-1 3'UTR 構造が単独でhtrb-1 タンパク質濃度を上昇させることができることを示している。この調節の機構は、過剰の3'UTR RNAの存在下で滴定されて失われるhtrb-1翻訳の陰性調節因子を含む可能性がある。
【実施例８】
【０３４６】
htrb発現の組織特異性および機能の細胞特異性
htrbタンパク質は互いに高い一次配列相同性を示すが、in vivo機能は重複していない可能性がある。特異性はしばしば、個々のファミリー構成体の組織特異的発現によって達成される(たとえば INKまたはJIP遺伝子)。この可能性を、３個すべてのhtrb遺伝子のmRNA発現プロファイルをHeLa細胞および休止期ヒト組織で決定することによって試験した。HeLa細胞は３個すべてのhtrb遺伝子を発現する(図7C)対照的に、３個すべてのhtrb遺伝子は制限された発現パターンを示し、組織特異的役割を示唆する(図7A)。この仮説は、HeLa細胞、NIH 3T3繊維芽細胞およびRAW 264.7 マクロファージに、htrb-1またはhtrb-3発現構造とAP-1ルシフェラーゼレポーターを同時導入し、そしてMEKK-1を過剰発現させることによってそれらを活性化させて確認した(図7B)。両方のhtrb遺伝子がAP-1活性化をHeLa細胞で破壊した一方、htrb-3だけがRAW細胞で阻害効果を有した。AP-1のNIH 3T3 細胞における活性化はいずれのhtrbsの過剰発現によっても影響されなかった。これらの結果は、MEKK-1媒介AP-1活性化の下流構成成分およびこのシグナル伝達カスケードに対するhtrbの観察された阻害効果は、細胞型およびhtrbファミリー成員に特異的であることを示す。
【０３４７】
図7は、htrb遺伝子は組織特異的な方法で発現され作用することを示す。htrb遺伝子の発現プロファイルを特徴づけるため、「Human Rapid-Scan panel」(OriGene)を用いて、多組織PCRを実施した。以下に示す組織をスクリーニングした: 1.脳、2.心臓、3.腎臓、4.脾臓、5.肝臓、6.大腸、7.肺、S.小腸、9.筋肉、10.胃、11.精巣、12.胎盤、13.唾液腺、14.甲状腺、15.副腎、16.膵臓、17.卵巣、18.子宮、19.前立腺、20.皮膚、21.末梢血リンパ球、22.骨髄、23.胎児脳、24.胎児肝臓。 B：HeLa, NIH 3T3 およびRAW 264.7 細胞にAP-1レポーター、MEKK-1発現ベクターおよびhtrb-1またはhtrb-3発現構造を一過性に導入した。C：総RNAをHeLa細胞から精製し、htrb遺伝子の発現をRT-PCRによって試験した。D：trb作用の機構についての作業仮説。
【実施例９】
【０３４８】
htrb足場機能
足場タンパク質は酵母および哺乳類においてNFkBおよびMAPK活性化カスケードの活性化に不可欠であることが示されている(非特許文献１９９;非特許文献２００;非特許文献２０１;非特許文献２０２;非特許文献２０３)。ここで我々はショウジョウバエtribblesのヒト相同遺伝子ファミリーを記載する。我々のデータは、htrb-1および／またはhtrb-3の発現レベルがMAPK活性化の幅を調節することを示唆する。我々の仮説によると(図7D)、htrbタンパク質(「T」)は活性MAPK複合体(「A」および「B」)の会合に必須である。htrbレベルの過剰発現または抑制の結果として不活性複合体の増加が生じ、今度はMARK媒介活性化が低下する。足場はシグナル伝達反応を濃度によって促進または阻害することができるため (Ferrell, J.E. (2000))
（www. stke.org/cgi/content/flll/OC_sigtrans;2000/52/pel）、trb作用について提案されたモデル(Fig 7D)は、我々の観察および、ショウジョウバエ実験における観察 (非特許文献５;非特許文献１９２;非特許文献４) (図5B)の両方を説明する。
【０３４９】
図8は、htrb-1およびhtrb-3の発現の共焦点顕微鏡法による検出を示す。HeLa細胞にhtrb-3-GFP発現プラスミドを、アンチセンスhtrb-3およびアンチセンスhtrb-1発現構造と組み合わせて、一過性に導入した。24時間後、共焦点顕微鏡写真を1Oxエアレンズを用いて撮影し、htrb-GFP発現細胞をNIH画像を用いて検出した(分析の詳細については非特許文献２０４を参照)。検出された粒子のThe brightness vs. theWea がプロットされている。赤い点はバックグラウンドレベルより高い蛍光を有する細胞を示し、したがってhtrb-GFP発現細胞を表す。 B HeLa細胞に、完全長または欠落のあるhtrb-1-GFPタンパク質を発現するプラスミドを導入した。図8Aと同様に、発現細胞は細胞一個レベルで検出されている。
【０３５０】
図9はセンス対アンチセンスhtrb-3の滴定を示す。HeLa細胞に、標記のレポーターおよび発現構造を導入し、PMA(A)またはMEKK-1発現ベクターの同時導入(B)によって活性化した。
【実施例１０】
【０３５１】
材料および方法
本書面に報告されているヒトtrb配列はGenBankデータベースに寄託されている:htrb-1(AF250310)およびhtrb-3(AF250311)。
【０３５２】
配列番号１ = htrb-1の完全長cDNA配列
配列番号２ = htrb-1ポリペプチド配列
配列番号３ = htrb-3ポリペプチド配列
配列番号４ = htrb-3ポリペプチド配列.
プラスミド、PCR: MKK4、MKK7(非特許文献１９７)、IL-S-luc(非特許文献２０５およびLHRE-TK-luc(非特許文献２０６)は先に記載した。V12 RasはDr. J. Downwardより寄贈を受けた。PAP-1 luc、PNF B luc、PFR luc、PFA-CHOP、pFA2-Elk-l、PMEKK-1 PMEK 1およびPMEK-3はPathDetect(Stratagene)シグナル形質導入レポーター系の一部であった。
【０３５３】
htrbクローン:可変領域を欠く欠失構造は、下記のプライマーを用いてPCRによって作成した: htrb-1 5'欠失プライマー: 5'-CCGGATCCACCATGATCGCCGACTACCTGCTG-3'、3'欠失プライマー: 5'-CCGGTACCTTACGGCCGAAACCAGGGGTGCAGTAG-3'、htrb-3 5'欠失プライマー: 5'-CCGGATCCATCCATCCATGATTGGGCCCTATGTCCTCCTGGAG-3'。PCR産物はPCR 2.1 TOPO (Invitrogen)にサブクローニングし配列決定した。GFP融合タンパク質作成のために、htrb変異体を必要に応じてpEGFPN1またはpEGFPN2(Clontech)にサブクローニングした。
【０３５４】
培養細胞、導入: HeLa(ECACC、85060701)およびNIH 3T3細胞は10%胎児ウシ血清(FCS)およびペニシリン-ストレプトマイシンを含むDMEM中で維持した。Raw細胞は10%FCSおよびペニシリン-ストレプトマイシンを添加したRPMI中で培養した。導入の24時間前に、細胞(1.5x104/ウェル)を96穴組織培養プレートに播種した。
【０３５５】
導入はSuperFect(Qiagen)を用いて取扱説明書に従って行われた;適当な図の説明中に特記しない場合は、各ウェルに500ngの誘導性レポーター構造(PIL-8 luc, PAP-1 luc, pNFkB lucまたはpLHRE-TK luc)、導入効率の正規化のために100ngのpTK-RLuc (Promega)、そして50ngの試験対象のhtrb-1またはhtrb-3発現ベクターを加えた。p38またはERKを特異的に活性化するために、およびhtrb-3が活性化に及ぼす影響を調べるために、500ngのPFR luc、lOOngのpTK RLucおよびlO ngのPFA-CHOPまたはpFA2-Elk-l、25ngのPMEK-1またはPMEK-3プラスミドが導入された。DNA総用量をTOOng/wellで一定に保つため、十分なpCDNA3. 1 (Invitrogen) (「空ベクター」)を加えた。導入の2時間後、細胞を洗浄し100μLの新しい培地を加えた。処理のそれぞれについて３つ組のウェルに導入した。刺激は24時間後に4時間(特記しない限り)実施した。2nMのIL1βまたは10ng/mLのTNFα、0.5ug/mlのヒト成長ホルモン、50ng/mlのPMAまたは10nMの表１に記載のもう一方のサイトカインを用いた(図中に特記しない限り)。
【０３５６】
アゴニストは、11ulのPBS中に10倍保存溶液として調製し添加した。レポーター濃度は、4時間の刺激に続いてデュアルルシフェラーゼ系(Promega)を用いてメーカーの指示通りに測定した。
【０３５７】
サイトカイン: EL-IβはImmunex Corporationから寄贈を受けた。もう一方のヒトサイトカイン調製物は、NIBSCのDr. Steve Pooleから寄贈を受けた。
【０３５８】
ウェスタンブロット: pJun、pERKおよびpMKK4の検出のために、ポリクローナル抗体はSigmaから購入した。細胞破砕液のタンパク質濃度を測定し、等しい量の総タンパク質を各レーンに加えた。キナーゼ測定はNew England Biolabsから購入した適当なキットを用いて実施した。
【表１】
2005506038.tif 000002
【０３５９】
同等物
ここに記載の本発明の特定の実施例の多数の同等物を、通常の実験だけを用いて、当業者は認識することができるかまたは確認することができる。そのような同等物は別記の請求項に含まれることが意図される。
【図面の簡単な説明】
【０３６０】
【図１】図1は基本的な、しかしIL-1βまたはTNFα活性化されたものでないIL-8レポーター発現のhtrb-1媒介抑制(図A)；AP-1活性化の特異的抑制(図B)しかしhtrb-1によってＮＦ−κＢは活性化されない(図C)；AP-1のhtrb-1とhtrb-3媒介抑制の比較(図E)；htrb-1(三角)によるMEKK-1媒介AP-1活性化の抑制(四角、横軸)；そしてp38媒介活性化のhtrb-3抑制を示す図である。
【図２】図2はhtrb-1、htrb-3および関連するtribbles遺伝子配列を示す図である。
【図３】図3はアンチセンスhtrb-1およびhtrb-3RNAの発現がストレスキナーゼ活性化を阻害するのを示す図である。
【図４】図4はhtrb-1がMEKK-1およびMKK7媒介AP-1活性化を阻害するのを示す図である。
【図５】図5はhtrb-1およびhtrb-3がc-JunおよびERKのリン酸化動態を変化させるのを示す図である。
【図６】図6はhtrb-1の欠失分析を示す図である。
【図７】図7はhtrb遺伝子は組織特異的に発現し作用することを示す図である。
【図８】図8は共焦点顕微鏡法によるhtrb-1およびhtrb-3の発現の検出を示す図である。
【図９】図9はセンス対アンチセンスhtrb-3の滴定を示す図である。
【図１０】図10はhtrb-1(GenBank Accession No. AF250310)の核酸(図A)およびポリペプチド配列を示す図である。
【図１１】図11はhtrb-3(GenBank Accession No. AF250311)の核酸(図A)およびポリペプチド配列を示す図である。
【図１】
2005506038.tif 000003
【図２】
2005506038.tif 000004
【図３】
2005506038.tif 000005
【図４】
2005506038.tif 000006
【図５】
2005506038.tif 000007
【図６】
2005506038.tif 000008
【図７】
2005506038.tif 000009
【図８】
2005506038.tif 000010
【図９】
2005506038.tif 000011
【国際公開パンフレット】
2005506038.tif 000012
2005506038.tif 000013
2005506038.tif 000014
2005506038.tif 000015
2005506038.tif 000016
2005506038.tif 000017
2005506038.tif 000018
2005506038.tif 000019
2005506038.tif 000020
2005506038.tif 000021
2005506038.tif 000022
2005506038.tif 000023
2005506038.tif 000024
2005506038.tif 000025
2005506038.tif 000026
2005506038.tif 000027
2005506038.tif 000028
2005506038.tif 000029
2005506038.tif 000030
2005506038.tif 000031
2005506038.tif 000032
2005506038.tif 000033
2005506038.tif 000034
2005506038.tif 000035
2005506038.tif 000036
2005506038.tif 000037
2005506038.tif 000038
2005506038.tif 000039
2005506038.tif 000040
2005506038.tif 000041
2005506038.tif 000042
2005506038.tif 000043
2005506038.tif 000044
2005506038.tif 000045
2005506038.tif 000046
2005506038.tif 000047
2005506038.tif 000048
2005506038.tif 000049
2005506038.tif 000050
2005506038.tif 000051
2005506038.tif 000052
2005506038.tif 000053
2005506038.tif 000054
2005506038.tif 000055
2005506038.tif 000056
2005506038.tif 000057
2005506038.tif 000058
2005506038.tif 000059
2005506038.tif 000060
2005506038.tif 000061
2005506038.tif 000062
2005506038.tif 000063
2005506038.tif 000064
2005506038.tif 000065
2005506038.tif 000066
2005506038.tif 000067
2005506038.tif 000068
2005506038.tif 000069
2005506038.tif 000070
2005506038.tif 000071
2005506038.tif 000072
2005506038.tif 000073
2005506038.tif 000074
2005506038.tif 000075
2005506038.tif 000076
2005506038.tif 000077
2005506038.tif 000078
2005506038.tif 000079
2005506038.tif 000080
2005506038.tif 000081
2005506038.tif 000082
2005506038.tif 000083
2005506038.tif 000084
2005506038.tif 000085
2005506038.tif 000086
2005506038.tif 000087
2005506038.tif 000088
2005506038.tif 000089
2005506038.tif 000090
2005506038.tif 000091
2005506038.tif 000092
2005506038.tif 000093
2005506038.tif 000094
2005506038.tif 000095
2005506038.tif 000096
2005506038.tif 000097
2005506038.tif 000098
2005506038.tif 000099
2005506038.tif 000100
2005506038.tif 000101
2005506038.tif 000102
2005506038.tif 000103
2005506038.tif 000104
2005506038.tif 000105
2005506038.tif 000106
2005506038.tif 000107
2005506038.tif 000108
2005506038.tif 000109
2005506038.tif 000110
2005506038.tif 000111
2005506038.tif 000112
2005506038.tif 000113
2005506038.tif 000114
2005506038.tif 000115
2005506038.tif 000116
2005506038.tif 000117
2005506038.tif 000118
2005506038.tif 000119
2005506038.tif 000120
2005506038.tif 000121
2005506038.tif 000122
2005506038.tif 000123
2005506038.tif 000124
2005506038.tif 000125
2005506038.tif 000126
2005506038.tif 000127
2005506038.tif 000128
2005506038.tif 000129
2005506038.tif 000130
2005506038.tif 000131
2005506038.tif 000132
2005506038.tif 000133
2005506038.tif 000134
2005506038.tif 000135
2005506038.tif 000136
2005506038.tif 000137
2005506038.tif 000138
2005506038.tif 000139
2005506038.tif 000140
2005506038.tif 000141
2005506038.tif 000142
【国際公開パンフレット（コレクトバージョン）】
2005506038.tif 000143
【国際調査報告】
2005506038.tif 000144
2005506038.tif 000145
2005506038.tif 000146
2005506038.tif 000147